(57)【要約】デバイスは、１つ以上の香りのする物質を含有する１つ以上のチャンバを含む容器または取り換え可能なカートリッジと、カートリッジを保持するための区分、１つ以上の香りのするまたは香りのない物質を、デバイスから外部環境に分注することを可能にするための開口、及び区分と開口の間に形成された１つ以上の輸送チャネルであって、１つ以上の輸送チャネルのそれぞれが、１つ以上の香りのする物質から香りを送出するために対応するチャンバから開口まで香りのする物質を送出するように構成された１つ以上の輸送チャネルを含むように構造化された筐体と、対応する輸送チャネル内に配列されたアクチュエータスイッチであって、適用される信号に基づいて、開放位置と閉鎖位置の間を移動するように迅速に動作可能であり、対応する輸送経路からの香りのするまたは香りのない物質の通過を選択的に可能にする、アクチュエータスイッチと、を含む。【選択図】図３Ａ
2018516719.tif 000002
【特許請求の範囲】
【請求項１】
デジタル制御可能な香り生成及び送出装置であって、
容器のアレイであって、各容器が入口及び出口を有し、前記入口を通って入力キャリヤガスが、香り原料、もしくは原料と呼ばれる、特徴的な臭気を作り出す基本または基礎化学物質を含有する材料を保持するための、香り容器と呼ばれるチャンバに流入し、かつ前記出口を通って前記入力ガス及び前記香り原料の混合物が流出する、容器のアレイと、
電磁信号に基づいて、各容器を通るガス流を制御する流れ調節機構と、
前記容器の出口に結合され、送出チャネル出口を有する１つ以上の配合チャンバであって、前記容器の前記出口からの個々の出力を均質に共に配合して、所定の香りを発生させ、前記送出チャネル出口を通して前記所定の香りを流出させることを可能にする、配合チャンバと、
前記容器の入口に結合された加圧チャンバであって、前記入力キャリヤガスの流れを発生させる、加圧チャンバと、を備える、装置。
【請求項２】
各香り容器が、香り組成に基づいて２つ以上の臭気を作り出す原料を含有する材料を保持する、請求項１に記載の装置。
【請求項３】
前記流れ調節機構が、ガス流量、速度、もしくは持続期間のうちの１つ以上、及び／またはデジタルオン−オフ周波数を有するバルブ開放／閉鎖電子作動電流信号の周波数、及び／または前記アレイにおける香り容器のうちの１つもしくはいくつかの選択及び作動によって、前記ガス流を制御する、請求項１に記載の装置。
【請求項４】
前記加圧チャンバ内の加圧レベルが、ガス流量及び／またはガス流速及び／またはガス流持続期間及び／またはデジタルオン−オフ周波数を有するガス流事象を制御することによって、前記ガス流を制御する、請求項１に記載の装置。
【請求項５】
前記加圧チャンバ内の加圧レベルが、前記デバイスの入力と外の間の経路における、圧電ポンプ、容積式ポンプ、電気扇、またはそれらの組み合わせによって、前記流れ調節機構によって選択された容器を通る流れを駆動する圧力差を作り出すように制御される、請求項１に記載の装置。
【請求項６】
前記流れ調節機構が、各容器を通るガス流を制御して、キャリヤガス内の特定の百分率または濃度の前記香り原料が、各香り容器から前記配合チャンバに送出されることを可能にし、それによって、前記アレイにおけるいずれの個々の香り容器内に保持されるものとも異なる所定の香りを結果としてもたらす、請求項３に記載の装置。
【請求項７】
前記流れ調節機構が、前記アレイの容器の入口に結合されたバルブの列を含み、前記バルブが、前記電磁信号に基づいて、前記バルブの入口の中への前記入力ガスの流れを制御するように動作可能である、請求項１に記載の装置。
【請求項８】
前記列におけるバルブが、
適用される電磁信号に基づいて開放位置及び閉鎖位置の間を移動して、前記バルブの入力から前記バルブの出力までの輸送チャネル経由でのガス状材料の通過を選択的に可能にするように動作可能なアクチュエータスイッチを備える、請求項７に記載の装置。
【請求項９】
前記アクチュエータスイッチが、
（ｉ）前記輸送チャネルの内側のベース構造であって、前記ベース構造を通した通路を形成する高透磁率材料を含むベース構造と、（ｉｉ）前記輸送チャネル内の前記ベース構造に対して固定された磁化可能なピンアセンブリであって、ソレノイド構成要素、前記ピンの構成要素を形成する実質的に矩形ループの磁化材料、及び前記ピンの構成要素を含むガイド構造を含む、磁化可能なピンアセンブリと、を含むように構造化された磁気的にラッチ可能なゲートバルブアセンブリを含み、
前記磁化可能なピンの構成要素は、前記アクチュエータスイッチが閉鎖位置にあるときに前記ベース構造と接触して、前記通路の開口をブロックし、前記磁化可能なピンの構成要素は、消磁される場合、前記アクチュエータスイッチが開放位置にあるときに前記ベース構造と接触せず、前記通路の前記開口を露出し、
前記磁化可能なピンが、２００エルステッドよりも少ない磁気切り換え保磁力を有し、
前記ピンの構成要素が、前記ガイド構造内を移動可能であり、周囲のソレノイドの磁場の変化後に移動して、前記輸送チャネルにおける前記アクチュエータスイッチの前記開放または閉鎖を作動させる、請求項８に記載の装置。
【請求項１０】
前記磁化可能なピンが、１２０エルステッドよりも少ない磁気切り換え保磁力を有し、飽和磁化に対する残留磁化の角形比が、少なくとも０．８である、請求項９に記載の装置。
【請求項１１】
前記角形比が、少なくとも０．８５、または少なくとも０．９である、請求項１０に記載の装置。
【請求項１２】
前記ベース構造の前記高透磁率構成要素が、少なくとも１００の比透磁率を有する、請求項９に記載の装置。
【請求項１３】
前記流れ調節機構が、前記アレイの香り容器の出口に結合されたバルブの列を含み、前記バルブが、前記電磁信号に基づいて、各香り容器を通るキャリヤガス流の流量、速度、持続期間、及びオン−オフ開放−閉鎖周波数を制御して、前記バルブの出口から放出するように動作可能である、請求項１に記載の装置。
【請求項１４】
前記香り容器のアレイが、１次元パターン、２次元パターン、または３次元パターンに配列され、前記香り容器の前記パターンが、線形構成、円形構成、球形もしくは無作為構成、または別の選択された構成である、請求項１に記載の装置。
【請求項１５】
前記アレイが、前記２次元パターンに直交する軸に沿って回転可能であり、前記アレイの少なくとも一部の香り容器を前記流れ調節機構と整列させる一方で、前記アレイの他の香り容器が、前記流れ調節機構と整列されない、請求項１４に記載の装置。
【請求項１６】
回転制御信号に応答して、前記アレイを回転するために前記アレイに結合された及び／または前記流れ調節機構を回転するために前記流れ調節機構に結合された電子的に制御される回転機構を更に含む、請求項１５に記載の装置。
【請求項１７】
電磁信号が、前記ピンを磁化または消磁して、回転制御信号に応答して前記アレイまたは流れ調節機構を回転させることができるように、各ピンの周りに巻かれたソレノイドと共に、隣接した放射状の一連の磁気的にラッチ可能なピンのうちの１つ以上と磁気的に結合可能である１つ以上の高透磁率嵌合部品を備える、前記アレイまたは前記流れ調節機構に結合された電子的に制御される回転機構を更に含む、請求項１５に記載の装置。
【請求項１８】
前記香り容器のアレイが、３次元パターンを形成する、請求項１に記載の装置。
【請求項１９】
前記３次元パターンは、前記送出チャネル出口の外に送出される前に、前記入力ガスが複数の香り容器を通って進むように、香り容器の複数の２次元アレイを備える、請求項１８に記載の装置。
【請求項２０】
前記３次元パターンが、容器の積み重ね構成、容器の鏡映構成、または容器の入れ子状構成を含む、請求項１８に記載の装置。
【請求項２１】
前記アレイが、第１の円板形状２次元パターンと放射状に整列配置される香り容器の第２の円板形状２次元パターンを含む、請求項１に記載の装置。
【請求項２２】
前記香り容器の円板形状２次元パターンが、個々にまたは単位として取り外し可能及び取り換え可能である、請求項２１に記載の装置。
【請求項２３】
前記香り容器の円板形状２次元パターンが、毛管作用によってまたは加圧注入によって前記香り容器の中に送出される香り材料の追加的な予備物を含む別個の再装填ユニットと結合することによって、個々にまたは単位として、香り材料を補充可能である、請求項２１に記載の装置。
【請求項２４】
前記アレイが、前記第２の円板形状２次元パターンと放射状に整列配置される香り容器の追加的な円板形状２次元パターンを含み、前記香り容器の第２の円板形状２次元パターンが、前記香り容器の第１の円板形状２次元パターン上に積み重ねられる、請求項２１に記載の装置。
【請求項２５】
前記アレイが、前記第２の円板形状２次元パターンと放射状に整列配置される香り容器の追加的な円板形状２次元パターンを含み、前記香り容器の第２の円板形状２次元パターンが、前記香り容器の第１の円板形状２次元パターン上に鏡映され、積み重ねられる、請求項２１に記載の装置。
【請求項２６】
前記香り送出出口に隣接した加湿器チャンバを更に含み、それを通して、香りのないガスの別個のチャネルが、独立した動作の間に前記ユーザの鼻及び口の空間を加湿するように方向付けられ得、または前記加湿器チャンバは、任意選択的に、前記送出チャネル出口から出現する香りのするガスを加湿することができる、請求項１に記載の装置。
【請求項２７】
前記加湿器チャンバが、高湿度水蒸気の注入を含む、請求項２６に記載の装置。
【請求項２８】
出力をユーザに提供する前に前記入力ガス及び前記香り原料の前記配合を除湿する除湿器チャンバを更に含み、前記除湿器チャンバは、常に活性化されるモード、手動で活性化されるモード、またはセンサ式に活性化されるモードにおいて動作可能である、請求項１に記載の装置。
【請求項２９】
前記香り原料との相互作用の前に前記入力ガスを除湿する除湿器チャンバを更に含み、前記除湿器チャンバは、常に活性化されるモード、手動で活性化されるモード、またはセンサ式に活性化されるモードにおいて動作可能である、請求項１に記載の装置。
【請求項３０】
前記除湿器チャンバが、乾燥窒素ガスを含む、請求項２９に記載の装置。
【請求項３１】
前記加圧チャンバ、前記流れ調節機構、前記配合チャンバ、もしくは前記香り送出チャネルに隣接してまたは前記香り送出チャネルの内部に配置された加熱素子を更に備え、入力の前または前記香り容器からの出力の後に前記キャリヤガスを加熱させる、請求項１に記載の装置。
【請求項３２】
抵抗加熱、誘導加熱、または熱電ヒートポンプ機構が、加熱のために使用される、請求項２６に記載の装置。
【請求項３３】
前記加熱素子が、（ｉ）配合及び流れを含む、最適化された香りのするまたは香りのない流体の発生、（ｉｉ）ユーザへの無汚染流体の送出、（ｉｉｉ）標準化または可変流体温度での送出、（ｉｖ）デバイスユーザへの加熱の追加的なセンサ式構成要素の送出、（ｖ）コンパニオンデバイスに伝送されるまたはコンパニオンデバイスによって再生される媒体のユーザ知覚の修正、あるいは（ｖｉ）意図された新たな香りの生成のための少なくとも２つの香り原料の混合及びそれらの間の温度誘発性化学反応を増強することまたは可能にすることのうちの少なくとも１つのために周囲の吸気温度の調整を行う、請求項３１に記載の装置。
【請求項３４】
前記加熱素子が、（ｉ）標準化または可変流体温度での送出、（ｉｉ）デバイスユーザへの加熱の追加的なセンサ式構成要素の送出、あるいは（ｉｉｉ）コンパニオンデバイスに伝送されるまたはコンパニオンデバイスによって再生される媒体のユーザ知覚の修正のうちの少なくとも１つのために配合されたキャリヤガス温度の調整を行う、請求項２７に記載の装置。
【請求項３５】
前記加熱素子は、前記装置の内部流れチャネル、配合チャンバ、及び香り材料の堆積物の他の選択された構成要素を、前記装置を通る流れの間に抵抗もしくは誘導加熱または加熱ガスによってそれらの表面を直接的に加熱して、堆積物を除去することによって、掃除するのに役立つ、請求項３１に記載の装置。
【請求項３６】
前記加圧チャンバ、前記流れ調節機構、前記配合チャンバ（複数可）、または前記香り送出チャネルに隣接してまたは前記香り送出チャネルの内部に配置された冷却素子を更に備え、原料または香り組成物を含有する前記香りのするガスを前記入力ガスとの混合の前に冷却させる、請求項１に記載の装置。
【請求項３７】
前記冷却素子が、熱電冷却コイルを備え、前記冷却が、（ｉ）配合及び流れを含む、最適化された香りのするガスの発生、（ｉｉ）ユーザへの無汚染流体の送出、（ｉｉｉ）標準化または可変流体温度での送出、（ｉｖ）追加的なセンサ式構成要素を前記ユーザに付与する送出、（ｖ）デバイスに伝送されるまたはデバイスによって再生される媒体のユーザ知覚の修正、あるいは（ｖｉ）意図され新たな香りの生成のための少なくとも２つの香り原料の混合及びそれらの間の温度誘発性化学反応の制限または防止のうちの少なくとも１つのために周囲の温度の調整を行う、請求項１に記載の装置。
【請求項３８】
各香り容器が、前記バルブにわたる圧力差に対する流れを許可する受動的逆止バルブを用いて、前記入口または前記出口のいずれかの一端部に結合される、請求項１に記載の装置。
【請求項３９】
前記容器を通るガス流が、前記入力ガス及び前記香り原料のガス状混合物を作り出すように、各香り容器は、基材及び前記基材によって吸収または吸着される液体香り原料コーティングを含む材料を保持する、請求項１に記載の装置。
【請求項４０】
各香り容器が、有機香り材料を保持する、請求項１に記載の装置。
【請求項４１】
各香り容器が、金属、セラミック、ポリマー、炭素材料から選択される材料でできたマイクロナノ多孔性構造を有する分岐及び二又配列によって全体にわたって相互に関連し合う固体原料に特有の材料を保持し、前記香り液体が、所定位置に機械的に保持されるように、かつ前記容器を通る前記ガス流が、前記入力ガス及び前記香り原料のガス状混合物を作り出すように、毎グラム少なくとも３００平方メートルの比表面積を有する、請求項１に記載の装置。
【請求項４２】
各香り容器が２つの区分に分割され、第１のものが、各入口から出口までガス流を収容し、かつ基材から成る材料を保持し、その中に液体香り原料または香り組成物が分配されて、ガス流を露出することを許可し、第２の区分が、液体香り媒体貯蔵器を囲んで、必要に応じて、毛管作用または加圧注入を経て前記基材区分を再補給する、請求項１に記載の装置。
【請求項４３】
各香り容器が、２つの区分に分割され、第１のものが、各入口から出口までとガス流を収容し、かつ表面多孔性を有する分岐中空マイクロまたはナノ構造を含み、その中に液体香り原料または香り組成物が分配されて、ガス流への露出を許可し、第２の区分が、液体香り媒体貯蔵器を囲んで、必要に応じて、毛管作用または加圧注入を経て前記第１の区分の前記中空分岐構造を再補給する、請求項１に記載の装置。
【請求項４４】
前記送出チャネル出口に結合された排気バルブを更に含み、前記装置の掃除動作の間に前記ガス流を選択的にそらす、請求項１に記載の装置。
【請求項４５】
前記香り及び蒸気放出装置が、２ミリメートルよりも少ない直径を有する、請求項１に記載の装置。
【請求項４６】
前記香り及び蒸気放出装置が、１００ミリ秒よりも少ない切り換え速度を有する、請求項１に記載の装置。
【請求項４７】
各オン／オフ周期についての前記香り及び蒸気放出装置の電力消費が、２５０ｍＪよりも少ない、請求項１に記載の装置。
【請求項４８】
香りのするガス、蒸気、または液体物質を分注するためにデジタル制御可能なデバイスであって、
１つ以上の容器を含むように構造化されたカートリッジであって、それぞれ、香り原料、香り組成物、薬剤、または他の香りのするもしくは香りのない物質を含有する、カートリッジと、
前記カートリッジを保持するための区分と、前記１つ以上の物質を前記デバイスから外部環境に分注することを可能にするための開口と、前記区分及び前記開口の間に形成された１つ以上の輸送チャネルと、を含む、筐体構造であって、前記１つ以上の輸送チャネルのそれぞれが、対応する容器から及び前記開口を通して物質を送出するように構成される、筐体構造と、
対応する輸送チャネル内に配列されたアクチュエータスイッチであって、適用される信号に基づいて、開放位置及び閉鎖位置の間を移動して、前記対応する輸送経路からの前記香りのする物質の通過を選択的に可能にするように動作可能であるアクチュエータスイッチと、を備える、デバイス。
【請求項４９】
前記アクチュエータスイッチが、残留磁化バルブを提供する磁気的にラッチ可能な切り換え構造を含む、請求項４８に記載のデバイス。
【請求項５０】
前記磁気的にラッチ可能な切り換え構造が、磁気的にラッチ可能な及び移動可能なピン、高透磁率嵌合リング、ソレノイド、電磁シールド、及び非円筒形ピンガイドのうちの１つ以上を含み、ガス、液体、蒸気、または霧流を促進する、請求項４８に記載のデバイス。
【請求項５１】
前記磁気的にラッチ可能な切り換え構造が、前記ソレノイドへのパルス信号を使用して前記ピンを磁化させて、その後、前記ピンが前記リングに対してパチッとはまって封止を生成するように、かつ前記ソレノイドへのＡＣ信号を漸減させることによって、または単一もしくは一連のＤＣ信号によって作り出された反対方向に向けられた及び減少された場を印加することによって、前記ピンを消磁するように動作可能である、請求項４８に記載のデバイス。
【請求項５２】
前記磁気的にラッチ可能な切り換え構造が、一端部において前記ピンガイド及び前記高透磁率嵌合リングの間に結合され、かつ他端部において前記ピンに接触するように構造化された片持ちバネを含む、請求項５０に記載のデバイス。
【請求項５３】
前記磁気的にラッチ可能な切り換え構造が、消磁の間に適用されるガス圧力もしくは重力、またはその両方に基づいて、開放位置及び閉鎖位置の間を移動するように動作可能である、請求項５０に記載のデバイス。
【請求項５４】
各香り容器が、前記入口または前記出口のいずれかの一端部において、受動的逆止バルブと結合され、前記受動的逆止バルブは、前記バルブにわたる圧力差に対する流れを許可する、請求項４８に記載のデバイス。
【請求項５５】
前記デバイスが、前記輸送チャネル及び前記アクチュエータスイッチのアレイを含み、前記アクチュエータスイッチが、残留磁化バルブを提供する磁気的にラッチ可能な切り換え構造をそれぞれ含み、前記磁気的にラッチ可能な切り換え構造が、磁気的にラッチ可能な及び移動可能なピン、高透磁率嵌合リング、ソレノイド、電磁シールド、及び非円筒形ピンガイドを含み、前記磁気ピンによって妨害されないガス流を促進する、請求項４８に記載のデバイス。
【請求項５６】
前記ピンが、密封を生成することができる弾性もしくはゴム状または他の適合先端材料のコーティングあるいは取り付け品を含む、請求項５４に記載のデバイス。
【請求項５７】
前記磁気的にラッチ可能な切り換え構造が、前記ソレノイドへのパルス信号を使用して前記ピンを磁化し、その後、前記ピンが前記リングに対してパチンとはまって封止を生成するように、かつ前記ソレノイドへのＡＣ信号を漸減させることによって、または単一もしくは一連のＤＣ信号によって作り出された反対方向に向けられた及び減少された場を印加することによって、前記ピンを消磁するように動作可能である、請求項５４に記載のデバイス。
【請求項５８】
前記アクチュエータスイッチを作動させて、前記香り使用可能デバイスから前記１つ以上の香りのする物質の分注を引き起こすための前記適用される信号が、前記デバイス上のボタンを押すことによって、あるいはセル方式信号、磁気信号、光信号、音響／振動信号、もしくは他の信号を含む有線または無線通信制御信号によって、提供される制御に基づいて、適用される、請求項４８に記載のデバイス。
【請求項５９】
前記アクチュエータスイッチが、
（ｉ）前記輸送チャネルの内側のベース構造であって、前記ベース構造を通る通路を形成する高透磁率材料を含むベース構造と、（ｉｉ）前記輸送チャネル内の前記ベース構造に対して固定された磁気ピンアセンブリであって、ソレノイド構成要素、密封のための弾性または適合材料を用いる弾性端コーティング、前記ピン構成要素を含むガイド構造、及び前記ピン構成要素を形成する実質的に矩形ループの磁化材料を含む、磁気ピンアセンブリと、を含むように構造化された磁気的にラッチ可能なゲートバルブアセンブリを含み、
磁化されるときに、前記ピン構成要素は、前記アクチュエータスイッチが閉鎖位置にあるときに前記ベース構造と接触して、前記通路の開口をブロックし、かつ消磁されるときに、前記ピン構成要素は、前記アクチュエータスイッチが開放位置にあるときに前記ベース構造と接触せず、前記通路の前記開口を露出し、
前記ピン構成要素が、前記ガイド構造において移動可能であり、磁場の変化後に移動して、前記輸送チャネル内の前記アクチュエータスイッチの前記開放または閉鎖を作動させる、請求項４８に記載のデバイス。
【請求項６０】
前記磁気的にラッチ可能なゲートバルブアセンブリが、
前記ベース構造の前記通路におけるバネ構成要素であって、前記ピン構成要素を消磁することによって、前記アクチュエータスイッチが前記開放位置へと作動されるときに前記通路の前記開口を越えて伸張して、前記開口から離れて前記ピン構成要素を押すように動作可能で、かつ前記ピンが磁化されるときに前記ピン構成要素及び前記高透磁率ベースの間の磁力の結果として、閉鎖位置へと収縮するように動作可能なバネ構成要素を更に含む、請求項５９に記載のデバイス。
【請求項６１】
前記ピン構成要素は、前記アクチュエータスイッチが前記開放位置へと作動されるときに前記ピン構成要素を前記開口から離して移動させるように、前記消磁されたピンの上に適用される重力に打ち勝つ前記通路からのガス圧力に基づいて、消磁の後に前記ガイド構造内で移動可能であり、かつ前記ピンが磁化されるときに前記ピン構成要素及び前記高透磁率ベースの間の前記磁力の結果として、閉鎖位置へと収縮するように動作可能である、請求項６０に記載のデバイス。
【請求項６２】
ＶＡＲと呼ばれる、仮想、複合、もしくは拡張現実感、またはホログラフィックに含まれる、請求項４９に記載のデバイスであって、
ユーザの頭にまたは前記頭の上に取り付けられるように構成された頭に装着されるＶＡＲデバイスを備え、
前記デバイスが、香り使用可能デバイスと呼ばれる、前記装着可能なＶＡＲデバイスに取り付けられるかまたは組み込まれ、かつ１つ以上の香りのする物質を、前記香り使用可能デバイスを装着している前記ユーザの前記頭の周りの空間を含む前記外部環境に送出するように動作可能である、デバイス。
【請求項６３】
前記空間が、前記ユーザの鼻の空間を含む、請求項６２に記載のデバイス。
【請求項６４】
前記ＶＡＲデバイスが、前記頭の上または前記頭の周りに装着される、請求項６２に記載のデバイス。
【請求項６５】
前記ＶＡＲデバイスが、眼鏡の形状因子で装着される、請求項６２に記載のデバイス。
【請求項６６】
前記ＶＡＲデバイスの構成要素が、眼用コンタクトレンズとして装着される、請求項６２に記載のデバイス。
【請求項６７】
前記デバイスの構成要素が、ヘッドホン、イヤホン、または内蔵もしくは付随スピーカホンを含む音声機能を有する、請求項６２に記載のデバイス。
【請求項６８】
前記香り送出の方法が、前記ＶＡＲデバイスの前記動作によってまたは前記動作と併せて動作されるように構成される、請求項６２に記載のデバイス。
【請求項６９】
前記香り送出の方法が、ユーザへの聴覚、視覚、視聴覚、もしくは他の媒体のＶＡＲブロードキャストまたは伝送またはストリーミングの間に動作されるように構成される、請求項６２に記載のデバイス。
【請求項７０】
前記香り送出の方法が、前記ＶＡＲデバイスの動作に連動されるコントローラ、触覚デバイス、または他の周辺機器のうちの少なくとも一部を含む、ＶＡＲ周辺機器デバイスの動作の間にまたは前記ＶＡＲ周辺機器デバイスと併せて動作するように構成される、請求項６２に記載のデバイス。
【請求項７１】
前記香り送出の方法が、前記ＶＡＲデバイスのソフトウェア、ハードウェア、エレクトロニクス、フォトニクス、頭部追跡、手の認識／追跡、中心窩の追跡、または他のＶＡＲデバイス構成要素もしくは成分技術のうちの１つまたはそれらの組み合わせによって動作または制御されるように構成される、請求項６２に記載のデバイス。
【請求項７２】
前記香り送出の方法が、前記ＶＡＲデバイスとインタラクティブに動作するように構成される、請求項６２に記載のデバイス。
【請求項７３】
前記香り送出の方法が、第三者ＶＡＲまたは周辺機器アプリケーションとインターフェースを有し、かつ動作するように、あるいはその第三者ＶＡＲまたは周辺機器アプリケーションによって動作されるように構成されてもよい、請求項６２に記載のデバイス。
【請求項７４】
前記１つ以上の香りのするまたは香りのない物質が、薬剤または薬剤の組み合わせ、または薬剤及び心地よい香りの組み合わせを含み、前記外部環境が、経皮的薬剤送出のためのユーザの鼻孔、肺、口、または前記ユーザの皮膚の特定の領域を含む、請求項４８に記載のデバイス。
【請求項７５】
前記１つ以上の物質が、前鼻腔経路による送出のための薬剤を含む、請求項４８に記載のデバイス。
【請求項７６】
前記鼻または口または肺に送出される前記１つ以上の物質が、直径１マイクロメートルよりも小さい液滴サイズを作り出す能力を有する直径１００マイクロメートルよりも小さい液滴サイズを有するマイクロ霧またはナノ霧の形態にある、請求項７５に記載のデバイス。
【請求項７７】
前記薬剤の経鼻送出が、脳の嗅覚場所の中に突出する鼻の嗅覚神経細胞に沿う脳神経細胞への医薬品の直接及び高速送出のための血管の血液脳関門のバイパスを可能にする、請求項７５に記載のデバイス。
【請求項７８】
前記薬剤が、一般的な医薬品、アルツハイマー疾患治療薬剤、糖尿病治療薬剤、例えば、インシュリンなど、冷却及びアレルギー治療用のうっ血除去剤、痛みを低減させる薬剤、ホルモン治療、双極性症状治療薬剤、インフルエンザワクチン、発作治療、抗生物質、または赤ん坊／子供用の薬剤の迅速かつ効率的な送出のうちの少なくとも１つを含む、請求項７５に記載のデバイス。
【請求項７９】
前記薬剤は、毒性を低減させる化学物質、ある特定の毒素を中和させるための抗毒素または抗体、痛みを低減させる医薬品のうちの少なくとも１つを含み、その適用先として、活動中のもしくは攻撃下にある軍隊の兵士、救出チーム要員、化学プラント事故被害者、または一般の民間人のための装着可能なギアの構成要素が挙げられる、請求項７５に記載のデバイス。
【請求項８０】
前記毒性を低減させる化学物質、ある特定の毒素を中和する抗毒素または抗体、痛みを低減させる医薬品が、５分以下である事前に指定された時間内に高速切換可能なバルブによって、活動中のまたは攻撃下にある前記軍隊のソルダーまたは救出チーム要員に迅速に投与される、請求項７９に記載のデバイス。
【請求項８１】
ガス、蒸気、または液体物質の流れを制御するためのバルブであって、
前記ガスの通過を可能にする流れチャネルであって、前記流れチャネルが、第１の部分と、開口を有する封止によって前記第１の部分とは分離された第２の部分と、を有し、
前記第１の部分は、ガスが前記流れチャネルに入るための入口を有し、前記開口は、ガスが前記第２の部分に入ることを可能にする、流れチャネルと、
前記バルブにおけるチャネル内に位置付けられた磁気的に移動可能なピンであって、前記ピンが磁化されて前記開口を閉じ、それによって、前記ガスが前記流れチャネルの前記第１の部分から前記流れチャネルの前記第２の部分の中に流れることを禁止する閉鎖位置へと、ならびに前記ピンが消磁されて前記開口とは分離され、それによって、前記ガスが、前記流れチャネルの前記第１の部分から前記流れチャネルの前記第２の部分の中に流れることを許可する開放位置へと、前記チャネルに沿って移動可能なピンと、
前記ピンに対応する領域において前記バルブの外部上に位置するソレノイドであって、一方向において前記ソレノイドを通る電流が、前記磁化と、それによって、前記閉鎖位置及び前記開放位置の間の前記ピンの位置と、を制御するような、ソレノイドと、を備え、
前記ピンが、十分な圧力下で、前記ピンを前記ガイドに沿って移動させるための前記ガスを有することによって、前記閉鎖位置から前記開放位置に更に移動可能である、バルブ。
【請求項８２】
前記流れチャネルの前記第２の部分において、前記ガスの通過が、前記ガイド及び前記バルブの外部壁の間の空間において起こる、請求項８１に記載のバルブ。
【請求項８３】
前記ピンガイドが、非円形断面形状を有し、前記外部壁が、円形断面形状を有する、請求項８１に記載のバルブ。
【請求項８４】
前記ソレノイドが、電磁シールドによって覆われる、請求項８１に記載のバルブ。
【請求項８５】
反対方向において前記ソレノイドを通る前記電流が、前記ピンを消磁することによって、前記ピンの前記位置を制御する、請求項８１に記載のバルブ。
【請求項８６】
ガス、蒸気、または液体物質の流れを制御するためのデジタル制御可能なバルブ装置であって、
一端部に貫通孔を備える高透磁率プレート及び別の端部において１つ以上の貫通孔を備える背面プレートを有する筐体と、
前記筐体の内部に位置付けられた残留磁化ピンであって、
前記ピンが磁化されて、前記一端部に移動するときに、前記ピンが前記高透磁率プレートに接触し、それによって、前記貫通孔を閉じて、前記筐体を通るガスまたは蒸気または液体物質の通過を禁止するように、及び
前記ピンが消磁されて、前記一端部から離れて前記別の端部に向かって移動するときに、前記ピンが、前記貫通孔、前記筐体の前記内部、及び前記別の端部における前記１つ以上の貫通孔を通る前記ガスまたは前記蒸気または前記液体の通過を可能にするように、
前記一端部と前記別の端部の間を行ったり来たり移動することが可能な残留磁化ピンと、
前記筐体の外部上のソレノイドであって、電流を運んで、前記一端部と前記別の端部の間の前記ピンの磁化または消磁及び後続の運動を引き起こすことができる、ソレノイドと、を備える、バルブ装置。
【請求項８７】
前記筐体が、非円形であり、かつ三角形または長方形形状の一方を成す断面を有する、請求項８６に記載の装置。
【請求項８８】
前記筐体及びソレノイドが、非円形であり、かつ三角形または長方形形状の一方を成す断面を有する単一部品に併合される、請求項８６に記載の装置。
【請求項８９】
前記ソレノイドが、実質的に平坦であり、前記筐体の前記端部に位置する、請求項８６に記載の装置。
【請求項９０】
前記ソレノイドが、前記一端部の近くの第１の区分及び前記別の端部の近くの第２の区分に分割され、前記第１の区分を通る電流の通過が前記ピンの磁化を引き起こし、前記第２の区分を通る電流の通過が、前記ピンの消磁を引き起こす、請求項８６に記載の装置。
【請求項９１】
前記第１の区分及び前記第２の区分が、実質的に平坦であり、リソグラフィ技法を使用して作製可能である、請求項９０に記載の装置。
【請求項９２】
前記複数のバルブを通してガス、蒸気、または液体物質の流れを制御するための請求項８６〜９１のいずれかに記載の複数のデジタル制御可能なバルブのアレイ。
【請求項９３】
前記バルブのそれぞれが、使用の間に、前記バルブのそれぞれの前記ピンが、重力によって助けられて前記貫通孔を閉じるように配向される、請求項９２に記載のアレイ。
【請求項９４】
前記アレイが、前記デジタル制御可能なバルブの２次元または３次元配列を備える、請求項９２に記載のアレイ。
【請求項９５】
平面リングであって、その中心における開口を取り囲むリング材料を含む平面リングと、
少なくとも１つのヒンジによって前記リングに取り付けられたフラップ材料でできたフラップであって、少なくとも、前記フラップが前記開口を通る流体の通過または漏出を止める閉鎖位置、及び前記フラップが、前記流体が前記開口を通って前記フラップと前記平面リングの間の間隙を経て逃げることを可能にする開放位置において、前記ヒンジの周りに移動可能である、フラップと、を備える、逆止バルブ装置であって、
前記リング材料及び前記フラップ材料の間の磁気引力が、前記フラップを前記閉鎖位置に移動または保持するように機能し、前記フラップに押し寄せるガス流の力が、前記フラップを開放位置に移動するように機能する、逆止バルブ装置。
【請求項９６】
前記リング材料が、磁性材料を含み、前記フラップ材料が、磁気的に感受性のある軟磁性材料を含む、請求項９５に記載の装置。
【請求項９７】
前記フラップ材料が、磁性材料を含み、前記リング材料が、磁気的に感受性のある軟磁性材料を含む、請求項９５に記載の装置。
【請求項９８】
前記リングが、円形、矩形、または長方形形状を含む種々の幾何学的形状の中からの形状のうちの１つから成る、請求項９５に記載の装置。
【請求項９９】
複数の逆止バルブ装置の平面配列を備えるアレイであって、各逆止バルブ装置が、請求項９５〜９８のいずれかに記載の構造を有する、アレイ。
【請求項１００】
混合または分割バルブ装置であって、
３つのチャネル筐体であって、同じ平面にある各チャネルと、軸が前記３つのチャネルを含む前記平面に直交するように前記３つのチャネルの合流点において前記軸方向に対称的なオープン中心チャンバと、を伴う、３つのチャネル筐体と、
前記中心チャンバ内に位置し、かつ前記中心チャンバの対称軸の周りに回転可能な放射状に位置付け可能なブロッキングウェッジと、
前記ブロッキングウェッジに埋め込まれ、かつバルブ外部に隣接して位置付けられた高透磁率嵌合部品と、
電磁信号によって磁化または消磁される前記バルブの外部に位置付けられたソレノイド内に巻かれた磁気的にラッチ可能なピンの円弧状アレイと、を備え、
前記中心チャンバ軸の周りの前記ブロッキングウェッジの角度の位置が、前記埋め込まれた高透磁率嵌合部品及び前記磁化された外部のラッチ可能なピンの間の磁気引力によって決定され、かつ流れを第１のチャネルから第２のチャネルへと、第３のチャネルまで方向付けるのに、または前記第２の及び第３のチャネルの間の流れを前記ブロッキングウェッジの前記放射状位置によって決定された比例量で分割するのに、または代わりに、前記第３のチャネルからの、前記第２のチャネルから第１のチャネルの中への流れを許可するのに、または前記第２及び第３のチャネルの両方からの流れを前記ブロッキングウェッジの前記放射状位置によって決定された前記比例量と組み合わせるのに役立つ、混合または分割バルブ装置。
【請求項１０１】
デジタル制御可能な香り生成及び送出装置であって、
入口ポートであって、その入口ポートから空気が前記装置に入る、入口ポートと、
出口ポートであって、その出口ポートから所定の香りが前記装置の外へ流れる、出口ポートと、
加圧機構、残留磁化バルブ、及び香り原料を保持する香り容器の配列であって、前記入口ポートから前記出口ポートまで、
前記加圧機構の後の前記残留磁化バルブの後の前記香り容器、または
前記加圧機構の後の前記香り容器の後の前記残留磁化バルブ、または
前記香り容器の後の前記残留磁化バルブの後の前記加圧機構、または
前記残留磁化バルブの後の前記香り容器の後の前記加圧機構、または
前記残留磁化バルブの後の前記香り容器の後の第２のセットのもしくは残留磁化バルブの後の前記加圧機構、または
前記加圧機構の後の前記残留磁化バルブの後の前記香り容器の後の第２のセットのもしくは残留磁化バルブのうちの１つからのカスケードを備える、配列と、を備え、
前記加圧機構が、空気をその出力の外へ押し出し、その場合、前記残留磁化バルブが、電磁制御信号を使用して、前記バルブの選択的な開放によって空気流を制御する、装置。
【請求項１０２】
香り原料を保持する前記香り容器が、前記装置から取り外し可能、補充可能、及び／または取り換え可能であるカートリッジ内に置かれるアレイを形成する、請求項１０１に記載の装置。
【請求項１０３】
ヘッドセットがユーザによって装着されるときに、前記装置が前記ユーザの鼻空間に近接するように、前記装置が前記ヘッドセット上に実装される、請求項１０１に記載の装置。
【請求項１０４】
前記ヘッドセットが、仮想、複合、または拡張現実感ヘッドセットを含む、請求項１０３に記載の装置。
【請求項１０５】
前記加圧機構が、電気扇を含む、請求項１０１に記載の装置。
【請求項１０６】
前記加圧機構が、圧電ポンプを含む、請求項１０１に記載の装置。
【請求項１０７】
前記加圧機構が、容積式ポンプを含む、請求項１０１に記載の装置。
【請求項１０８】
前記加圧機構が、事前に加圧されたガスを含む、請求項１０１に記載の装置。
【請求項１０９】
前記出口ポートが、前記出口ポートからの直接的なまたは香り拡散器を通した送出のために、一緒に混合せずに、個々別々の香りを運ぶ複数のチャネルを備える、請求項１０１に記載の装置。
【請求項１１０】
取り付け品を備え、人間によって単独型の香り送出デバイスとして装着可能であるヘッドギアであって、前記取り付け品が、請求項１０１に記載の装置を備える、ヘッドギア。
【請求項１１１】
前記取り付け品が、着脱可能である、請求項１１０に記載のヘッドギア。
【請求項１１２】
前記香りカートリッジは、前記ヘッドギアが前記ユーザによって装着されるときに、ユーザのこめかみの近くにあるように位置し、前記出口ポートが、１つ以上のガスチャネル経由で前記ユーザの鼻空間の近くの香り拡散器に香りを供給する、請求項１１０に記載のヘッドギア。
【請求項１１３】
請求項１に記載の装置が、前記ヘッドギアの中間区分の近くに位置付けられる、請求項１１０に記載のヘッドギア。
【請求項１１４】
前記ガスを運ぶチャネルが、異なった香りを同時に送出することができる２つ以上の別個の通路に分割され、その通路のうちの１つ以上が左鼻孔による感覚のためのものであり、その他のものが、右鼻孔による感覚のためのものである、請求項１０１に記載の装置。
【請求項１１５】
前記ガスを運ぶチャネルが、前記出口において分割バルブを採用して、前記左鼻孔への流れ及び前記右鼻孔への流れの間の制御可能かつ調節可能な割合において流れを分割する、請求項１０１に記載の装置。
【請求項１１６】
ＶＡＲ体験をユーザに提示するためのアイウェアであって、請求項１０１に記載の前記香り送出装置を備える、アイウェア。
【請求項１１７】
ユーザの頭上に装着されるヘッド部分及び前記ユーザの別の場所における身体に装着される装着可能部分を備える人間が装着可能な装置であって、前記人間が装着可能な装置が、請求項１０１に記載の前記香り送出装置を含む。
【請求項１１８】
前記装着可能部分が、香り原料を保持する前記カートリッジを含み、前記出力ポートが、ガスを運ぶチャネル経由で前記ヘッド部分上に位置付けられた香り拡散器に結合される、請求項１１７に記載の人間が装着可能な装置。
【請求項１１９】
前記ガスを運ぶチャネルが、可撓性チャネルを含む、請求項１１８に記載の人間が装着可能な装置。
【請求項１２０】
前記可撓性チャネルが、異なる香りを運ぶために香りに特有のチャネルの束を含む、請求項１１９に記載の人間が装着可能な装置。
【請求項１２１】
各チャネルが、運ばれる香りと接触する内面であって、疎水性及び／または疎油性及び／またはセラミック材料でできている内面と、構造上の支持を提供する外面と、を備える、請求項１２０に記載の人間が装着可能な装置。
【請求項１２２】
前記可撓性チャネルが、使用の間に前記可撓性チャネルによって運ばれるガスを抵抗加熱するための導電性材料でできた内側コーティングを含む、請求項１１９に記載の人間が装着可能な装置。
【請求項１２３】
前記可撓性チャネルが、その外側の周りに巻かれたソレノイドを更に含み、前記ソレノイドが、前記チャネルの内側伝導性材料の誘導加熱によって前記可撓性チャネルの内側の掃除を行うことができる、請求項１１９に記載の人間が装着可能な装置。
【請求項１２４】
前記可撓性チャネルが、構造上の支持のために外側チャネリングスリーブと掃除のための可撓性及び震動可能な内側チャネルとを含み、前記可撓性チャネルが、前記外側チャネリングスリーブと前記内側チャネルの間に取り付けられた磁気材料の交互に配列された部品と、前記外側の周りに巻かれたソレノイドとを更に含み、前記ソレノイドが、前記取り付けられた磁気材料を震わすための交流場の印加によって前記内側チャネルの掃除を行うことができる、請求項１１９に記載の人間が装着可能な装置。
【請求項１２５】
有線、無線、光学、磁気、音響、または振動信号によって、香り送出を制御するコントローラを更に含む、請求項１０１〜１１８のいずれかに記載の装置。
【請求項１２６】
請求項１０１に記載の前記香り送出装置を含む手持ち式デバイスであって、前記手持ち式デバイスからの香り送出が、有線、無線、光学、磁気、音響、または振動信号によって、制御可能である、手持ち式デバイス。
【請求項１２７】
前記デバイス上に１つ以上のボタンを含み、前記ボタンが、香り送出を制御するように押され得る、請求項１２６に記載の手持ち式デバイス。
【請求項１２８】
前記装置から取り外し可能及び／または取り換え可能なカートリッジを含む、請求項１２６に記載の手持ち式デバイス。
【請求項１２９】
毛管作用または加圧注入によって前記香り容器の中に送出され得る香り材料の追加的な予備物を含む別個の再装填ユニットとの結合によって、香り材料を補充可能なカートリッジを含む、請求項１２６に記載の手持ち式デバイス。
【請求項１３０】
前記流れ調節機構が、前記電磁信号に基づいて、各香り容器を通るキャリヤガス流の流量、速度、持続期間、及びオン−オフ開放−閉鎖周波数を制御して、前記バルブの出口から放出するように動作可能な残留磁化バルブの並びを含む、請求項１２６に記載の手持ち式デバイス。
【請求項１３１】
デジタル制御された香り体験を送出する方法であって、
非嗅覚的な感覚刺激をユーザに送出することと、
香り活性化、香り配合、放出、及びユーザへの送出を制御する電磁制御信号によって香りデバイスからの香り刺激の送出を制御することと、
前記香り刺激を前記ユーザに送出することであって、前記香り刺激が、前記非嗅覚刺激に関連し、かつ前記非嗅覚刺激のユーザ体験を増強する、増大する、修正する、変える、または前記体験と統合する、送出することと、
前記香り刺激を前記ユーザに送出することであって、前記香り刺激が前記非嗅覚刺激に関連し、前記ユーザが、受動的もしくは能動的に、またはインタラクティブに前記非嗅覚刺激と関わる、送出することと、
前記香り刺激を前記ユーザに選択的に送出することであって、前記ユーザが、ある活動に従事している間に、前記香り刺激が、前記非嗅覚刺激に関連する、送出することと、を含む、方法。
【請求項１３２】
前記非嗅覚刺激の前記送出が、非嗅覚刺激と呼ばれる、聴覚、視覚、視聴覚、及び／または他の感覚刺激、あるいはそれらの組み合わせを送出することを含む、請求項１３１に記載の方法。
【請求項１３３】
前記非嗅覚刺激の前記送出が、非嗅覚媒体と呼ばれる、認識可能及び解釈可能な媒体コンテンツの編成または構造化された形態で前記ユーザに提供される、請求項１３１に記載の方法。
【請求項１３４】
前記非嗅覚刺激（複数可）が、携帯電話、コンピュータ、ラップトップ、ノートブック、プロジェクタ、または他の装着されない媒体デバイスによって送出される、請求項１３１に記載の方法。
【請求項１３５】
前記非嗅覚刺激または媒体が、限定されるものではないがＶＡＲデバイスを含む、装着可能デバイスによって前記ユーザに送出される、請求項１３１に記載の方法。
【請求項１３６】
前記非嗅覚デバイスが、前記非嗅覚刺激へのユーザフィードバックを受信することと、
前記ユーザフィードバックを使用して、前記香り刺激（複数可）の前記送出を更に制御または修正することと、を更に含む、請求項１３３または請求項１３４に記載の方法。
【請求項１３７】
前記ユーザフィードバックの前記受信が、
発話認識、顔面認識、体、手、動き、足取り、もしくは姿勢捕捉、ユーザ活動もしくはインタラクティビティデータ、呼吸吸い込み／吐き出し及び他のユーザ行動、活動、インタラクティビティ、または生理学的、挙動的、もしくは情動的応答を含む、請求項１３１に記載の方法。
【請求項１３８】
前記香りが、フレーバーまたは味覚原料を含み、前記香り刺激を送出することが、ユーザの口の領域の近くに前記香り刺激を送出して、前記ユーザの味覚もしくはフレーバー体験または知覚を増強するかまたは変えることを含む、請求項１３１に記載の方法。
【請求項１３９】
前記非嗅覚刺激は、温度及び湿度刺激のうちの１つまたはそれらの組み合わせを含む、請求項１３１に記載の方法。
【請求項１４０】
前記非嗅覚刺激または非嗅覚媒体は、前記ユーザが、ショッピングする活動に従事している間に送出される、請求項１３１に記載の方法。
【請求項１４１】
前記非嗅覚刺激または非嗅覚媒体は、前記ユーザが、食事するまたは飲食する活動に従事している間に送出される、請求項１３１に記載の方法。
【請求項１４２】
前記非嗅覚刺激または非嗅覚媒体は、前記ユーザが、香り生成に従事しているに送出される、請求項１３１に記載の方法。
【請求項１４３】
前記非嗅覚刺激または非嗅覚媒体は、前記ユーザが、１人以上の他のユーザと関わる間に送出される、請求項１３１に記載の方法。
【請求項１４４】
前記非嗅覚媒体が、娯楽、例えば、ビデオゲーム、映画、本、芸術品、ドキュメンタリー、台本ありもしくは台本なしの演劇、または冒険などである、請求項１３１に記載の方法。
【請求項１４５】
前記非嗅覚媒体が、広告である、請求項１３１に記載の方法。
【請求項１４６】
前記非嗅覚媒体は、ユーザが相互作用し得るビデオゲームに加えて、任意の媒体であり、インタラクティブな子供の本、インタラクティブな広告を必要とするもしくは要求する反応的フィードバック、インタラクティブな芸術品、または他のインタラクティブな媒体を含む、請求項１３１に記載の方法。
【請求項１４７】
前記香り刺激（複数可）は、前記ユーザが、ＶＡＲアプリケーションに従事している間に送出される、請求項１３１に記載の方法。
【請求項１４８】
前記香り刺激（複数可）の前記送出は、香り容器のアレイからの第１の香り刺激の送出を、前記アレイ内の前記香り容器のうちの少なくとも一部から第１のチャネルへの香り原料の放出を制御する電磁制御信号によって、制御することによって、及び前記香り容器のアレイからの第２の香り刺激の送出を、前記アレイ内の前記香り容器のうちの少なくとも一部から第２のチャネルへの香り原料の放出を制御する前記電磁制御信号によって、制御することによって、前記香り刺激（複数可）を送出して、香りに基づく３次元性を前記前記非嗅覚刺激（複数可）または非嗅覚媒体の前記ユーザ体験に追加することと、
ユーザの左鼻孔空間の近くに第１の割合で、前記第１の香り刺激及び前記第２の香り刺激の第１の混合物を送出することと、
ユーザの右鼻孔空間の近くに第２の割合で、前記第１の香り刺激及び前記第２の香り刺激の第２の混合物を送出すること、を含み、
前記第１の割合及び前記第２の割合が、前記ユーザによって空間的な香り体験を可能にするように選択される、請求項１３３または請求項１３４に記載の方法。
【請求項１４９】
香り原料の霧を発生する方法であって、
微粒子形態で前記香り原料の制御された逃げを可能にする少なくとも１つの多孔性側面を有する貯蔵器内に液体形態にある香り原料を保管することと、
前記香り原料を前記微粒子形態で前記貯蔵器から前記少なくとも１つの多孔性側面を通して流れチャンバの中に逃げさせることと、
前記流れチャンバを通る空気流を制御して、香り粒子を含む霧の中への前記微粒子形態での前記香り原料の所望の分離を達成することと、
前記流れチャンバの出口において前記霧形態を出力することと、を含む方法。
【請求項１５０】
前記香り粒子が、前記香り物質によって被覆されるナノ粒子コアまたは非芳香性物質でできた表面によって被覆される香り原料コアを含んでもよい、請求項１４９に記載の方法。
【請求項１５１】
前記香り原料コアが、埋め込まれた磁気粒子を含む、請求項１５０に記載の方法。
【請求項１５２】
前記香り原料を前記逃げさせることは、前記貯蔵器からの前記香り原料を毛管作用によって前記多孔性側面に向かって進ませる高表面積領域を提供することを含む、請求項１４９に記載の方法。
【請求項１５３】
前記香り原料を前記逃げさせることは、圧力を前記貯蔵器に印加して、前記香り原料を前記多孔性側面に向かって進ませることを含む、請求項１４９に記載の方法。
【請求項１５４】
前記圧力を前記印加することは、プランジャの運動を制御して、前記貯蔵器内の小径パターンプレートを通して前記香り原料を押し出すことを含む、請求項１４９に記載の方法。
【請求項１５５】
前記多孔性側面が、前記空気チャンバを通る前記空気流を部分的に遮断する複数の分岐層であって、前記複数の分岐層の周りに前記空気流を進ませる、複数の分岐層を備える、請求項１４９に記載の方法。
【請求項１５６】
前記多孔性側面が、疎水性、疎油性、またはオムニフォビック材料のうちの少なくとも１つを含む、請求項１４９に記載の方法。
【請求項１５７】
前記香り原料を前記逃げさせることは、前記香り原料において部分的または全面的に浸漬される疎水性、疎油性、またはオムニフォビック表面処理を伴うマイクロスケールまたはナノスケールメッシュを震動させることを含む、請求項１４９に記載の方法。
【請求項１５８】
前記貯蔵器が、マイクロスケールまたはナノスケールフィラメントを備え、前記香り原料を前記逃げさせることが、前記貯蔵器を通してマイクロ泡またはナノ泡を通過させて、前記香り原料を前記多孔性側面に向かって進ませることを含む、請求項１４９に記載の方法。
【請求項１５９】
前記フィラメントが、疎水性、疎油性、またはオムニフォビック材料のうちの少なくとも１つを含む、請求項１５８に記載の方法。
【請求項１６０】
霧発生装置であって、
液体形態にある香り原料を保管する貯蔵器であって、微粒子形態での前記香り原料の制御された逃げを可能にする少なくとも１つの多孔性側面を有する、貯蔵器と、
前記香り原料を微粒子形態で前記貯蔵器から前記少なくとも１つの多孔性側面を通して流れチャンバの中に逃げさせる機構と、
空気が流れて、前記多孔性側面から香り粒子を含む霧の中に逃げた微粒子形態にある前記香り原料の所望の分離を達成することを可能にするための流れチャンバと、
バルブ開放−閉鎖電子信号方式で前記空気の流量率または事象の頻度を制御することによって、またはバルブ開放−閉鎖周期自体の頻度によって、霧送出の量及び速度を制御するバルブシステムのアレイと、
前記霧を出力する出口と、を備える、霧発生装置。
【請求項１６１】
命令が記憶されたコンピュータ可読記憶媒体を備えるコンピュータプログラム製品であって、前記命令が、実行されるときに、プロセッサに、容器から香り原料の放出を制御する複数の残留磁化バルブを備える１つ以上の香り送出アレイを、
前記残留磁化バルブを繰り返しオン及びオフすること、
前記香り原料の放出の圧力を変動させること、
香りのないガスと混合することによって前記香り原料の希釈を計測すること、
キャリヤガス温度または配合チャンバ内の温度を調整すること、それによって、
香り原料の濃度及び比率または他のパラメータを配合及び制御すること、ならびに
調合法で定義される配合された香りを前記香り送出アレイから送出させることのうちの１つ以上によって、デジタル制御させる、コンピュータプログラム製品。
【請求項１６２】
前記プロセッサが、
ユーザの状態のバイオセンサフィードバックを受信することと、
事前に指定された規則またはアルゴリズムに従って、前記所望の香りの送出を調節することと、を更に行う、請求項１６１に記載のコンピュータプログラム製品。
【請求項１６３】
前記事前に指定された規則またはアルゴリズムが、ＶＡＲまたは非ＶＡＲ設定においてユーザ体験を増強するための規則または調節機構を含む、請求項１６１に記載のコンピュータプログラム製品。
【請求項１６４】
前記バイオセンサフィードバックが、ユーザ入力、ユーザの呼吸パターン、凝視、吸い込みもしくは吐き出し、ユーザの頭または体の運動、姿勢、挙動、脳波活動、中心もしくは周辺神経系、またはユーザの生理学的、挙動的、もしくは情動的状態、変化、意図、傾向、好み、及びパターンを反映する他の生物物理学的フィードバックのうちの１つ以上を含む、請求項１６１に記載のコンピュータプログラム製品。
【請求項１６５】
前記プロセッサが、
香り送出動作を作動させるまたは変えるための無線信号を受信する動作と、
前記無線信号に従って、香り送出を開始する動作、または現行の香り送出を変える動作と、を更に行う、請求項１６１に記載のコンピュータプログラム製品。
【請求項１６６】
前記無線信号が、音声コマンドを含む、請求項１６５に記載のコンピュータプログラム製品。
【請求項１６７】
前記開始する動作または変える動作が、前記無線信号の受信と同時に、または前記無線信号の受信後の指定された時間経過後に行われる、請求項１６５に記載のコンピュータプログラム製品。
【請求項１６８】
カスタマイズ可能な嗅覚体験を提供するコンピュータに実装される方法であって、
検索可能なデータベース内に、香りの説明及び標識原料及び付随調合、化学物質パラメータ、消費者または個々のデータ優先、味覚及び知覚、ならびに／あるいは香り原料または組成の使用またはユーザへの送出を支配する規制上の制約、限定、パラメータ、または条件を記憶することと、
特定の香りが要求される状況を示す入力信号を受信することと、
前記検索可能なデータベースに少なくとも基づいて、前記入力信号についての香り生成情報を導出することと、
香り容器のアレイ、流れ調節機構、配合チャンバ（複数可）、及び加圧チャンバの１つ以上を備えるデジタル制御可能な香り送出装置を動作させて、前記選択された香りを発生及び送出することと、を含む、方法。
【請求項１６９】
クラウド内に前記検索可能なデータベースを設置することと、
前記データベースを異なる場所にある複数のユーザデバイスにアクセス可能にさせることと、を更に含む、請求項１６８に記載の方法。
【請求項１７０】
前記入力信号が、ユーザの状況、事情、または命令の提供を記述する発話信号を含む、請求項１６８に記載の方法。
【請求項１７１】
前記入力信号が、ユーザの現在の状態についてのバイオセンサフィードバックを含む、請求項１６８に記載の方法。
【請求項１７２】
前記入力信号が、周囲の条件を含む、請求項１６８に記載の方法。
【請求項１７３】
前記周囲の条件が、時刻情報、湿度情報、温度情報、風速及び方向情報、ならびに照明情報のうちの少なくとも１つを含む、請求項１７２に記載の方法。
【請求項１７４】
前記入力信号は、ＶＡＲ光照射野、動きまたは光学捕捉、追跡、及び他のＶＡＲまたはＶＡＲアプリケーションデータを含む、請求項１６８に記載の方法。
【請求項１７５】
前記デジタル制御可能な香り送出装置の前記動作が、無線通信を使用して前記デジタル制御可能な香り送出装置を動作させることを含む、請求項１６８に記載の方法。
【請求項１７６】
トランザクション記録内に、前記入力信号のログ及び前記入力信号に基づいて提供される対応する特定の香りを記憶することを更に含む、請求項１６８に記載の方法。
【請求項１７７】
前記ログを要求側コンピュータに電子的に提供することを更に含む、請求項１６８に記載の方法。
【請求項１７８】
異なるユーザ間の香り情報の交換を容易にすることであって、前記動作上の設定を記憶及び使用して、それらのそれぞれの香り送出装置の動作を再現するのと交換に、他のユーザへの伝送のための第１のユーザの送出装置動作設定の第１の複製を作製することによって、交換を容易にすることを更に含む、請求項１６８に記載の方法。
【請求項１７９】
各ユーザによって、異なるユーザ間の香り情報の交換を容易にすることであって、それぞれのユーザの香り送出装置内に記憶及び使用して、香りを生成、放出、及び送出するのと交換に、他のユーザへの伝送のための彼／彼女のデータベースの複製を作製する交換において、交換を容易にすることを更に含む、請求項１６８に記載の方法。
【請求項１８０】
各ユーザによる異なるユーザ間の１人のユーザから他のユーザ香り情報への遠隔サーバまたは前記クラウドからの情報の伝送を容易にすることであって、それぞれのユーザの香り送出装置内に記憶及び使用して、香りを生成、放出、及び送出するのと交換に、他のユーザへの伝送のための彼／彼女のデータベースの複製を作製する交換において、伝送を容易にすることを更に含む、請求項１６８に記載の方法。
【請求項１８１】
物質を対象部位に送出する方法であって
前記物質を構成する１つ以上の原料を保持する１つ以上の容器を提供することであって、各容器が、少なくとも１つの磁気的に制御可能なバルブを備え付けている、提供することと、
制御回路を動作させて、前記物質の所望の特徴に基づいて、前記磁気的に制御可能なバルブのうちの少なくとも一部を選択的に作動させて、前記１つ以上の原料のうちの少なくとも一部を所定の割合で混合させることと、
前記対象部位の近傍に配置された出口を通して前記物質の結果として生じる混合物を送出することと、を含む、方法。
【請求項１８２】
前記対象部位が、前記物質の経皮的な送出を容易にするための対象者の鼻孔または口または皮膚のある特定の領域である、請求項１８１に記載の方法。
【請求項１８３】
前記物質が、浮遊物を含む、蒸気、霧、ガス、または粉末形態にある、請求項１８１に記載の方法。
【請求項１８４】
前記方法が、前記物質の前鼻腔経路送出によって、肺疾患の治療の間に使用される、請求項１８１に記載の方法。
【請求項１８５】
前記肺疾患が、喘息または気腫またはアレルギーのうちの１つである、請求項１８４に記載の方法。
【請求項１８６】
前記方法が、前鼻腔経路を経て前記物質を送出することによって、脳関連疾患の治療の間に使用される、請求項１８１に記載の方法。
【請求項１８７】
前記脳関連疾患は、アルツハイマー疾患、パーキンソン疾患、またはてんかんを含む、請求項１８１に記載の方法
【請求項１８８】
前記物質が、脳機能を標的とする薬剤を含む、請求項１８１に記載の方法。
【発明の詳細な説明】
【技術分野】
【０００１】
関連出願の相互参照
本特許文書は、２０１５年４月１０日に出願された「ＳＷＩＴＣＨＡＢＬＥ  ＳＣＥＮＴ，ＶＡＰＯＲ，ＡＮＤ  ＬＩＱＵＩＤ  ＲＥＬＥＡＳＥ  ＡＮＤ  ＤＥＬＩＶＥＲＹ  ＳＹＳＴＥＭＳ  ＡＮＤ  ＭＥＴＨＯＤＳ」と題された米国仮特許出願第６２／１４５，９１８号、及び２０１５年６月１１日に出願された「ＡＵＧＭＥＮＴＥＤ  ＳＷＩＴＣＨＡＢＬＥ  ＳＵＢＳＴＡＮＣＥ  ＲＥＬＥＡＳＥ  ＡＮＤ  ＤＥＬＩＶＥＲＹ  ＳＹＳＴＥＭＳ」と題された米国仮特許出願第６２／１７４，４５０号の優先権の利益を主張する。前述の特許出願の全内容は、本特許文書の開示の一部として参照によって組み込まれる。本出願は、同じ発明者らによるＰＣＴ出願である「ＳＷＩＴＣＨＡＢＬＥ  ＧＡＳ  ＡＮＤ  ＬＩＱＵＩＤ  ＲＥＬＥＡＳＥ  ＡＮＤ  ＤＥＬＩＶＥＲＹ  ＤＥＶＩＣＥＳ，ＳＹＳＴＥＭＳ，ＡＮＤ  ＭＥＴＨＯＤＳ」と題された出願通し番号ＰＣＴ／ＵＳ１４／０３５０５４号に関連する。
【０００２】
本特許文書は、限定せずに、香りのする流体を含む、流体（例えば、ガス、蒸気、霧、または液体）及び他の物質の放出ならびに送出のためのシステム、デバイス、プロセス、及び方法に関する。
【背景技術】
【０００３】
種々の技術が、娯楽、教育、工学、広告、医学治療及び療法、軍事、ならびに他の目的のためのアプリケーションと共に、ガス、蒸気、霧、及び液体の制御された放出のために開発されている。感覚入力、例えば、香り、風、または霧などをユーザまたは観測者に提供することができる技術が、より没入型の、感覚的な、または現実的な体験をもたらすように仮想現実（ＶＲ）及び拡張現実感（ＡＲ）アプリケーションに導入されている。同期可能な遠隔作動によって、混合されたまたは混合されていない香りのするガスフラックスの信頼できる高速な切り換えを繰り返し可能な手法で可能にする香り送出デバイスの設計は、仮想の、ホログラフィックな、複合現実、または拡張現実感、及び生の体験の効果にかなりの影響を及ぼし得るのみならず、蒸発、霧状化、原子化、液体、粉末、または他の形態での医薬薬剤送出のための更なる利益をもたらす。迅速に切換可能で、コンパクトな配合可能な流体の制御は、既定された調合に従って最大数千もの基礎原料のオンデマンド式の合成のために有望であり、研究及び教育ツール、製造または処理方法、及び商業上のみならず消費者製品及び用途として広範囲の分野における適用がある。その上、かかるデバイスは、実用的な、経済的な、コンパクトな、機械的かつ電気的に信頼できる、及び効率的なオンデマンド式の制御、ならびに個々のユーザまたはグループによる効果的な使用のための精密に時間を合わされるガス、蒸気、霧、液体、粉末、または他の物質送出を提供するべきである。
【発明の概要】
【課題を解決するための手段】
【０００４】
オンデマンド式に流体（液体、蒸気、霧、またはガスとして本明細書に定義される）及び他の物質の分注ならびに送出を迅速かつ簡単に切り換えるための技法、システム、及びデバイスが開示される。
【０００５】
本技術は、かかる物質のオンデマンド式の組み合わせ及び分注のための高速な切り換えを含む、非常にコンパクトな、複数ゲート式の、香りのするまたは香りのない流体の放出及び送出を提供するための技法、プロセス、システム、及びデバイスを含む。一部の実現形態において、例えば、開示される技法、システム、及びデバイスは、香りのするガスを局所的な空間（例えば、個々の鼻空間など）の中に送出し、それは、仮想、複合、もしくは拡張現実感、またはホログラフィック（「ＶＡＲ」）アプリケーション、例えば、ＶＡＲショッピング、シミュレーション、工学もしくは科学的設計、療法、訓練、遠隔教育、社会的相互作用、及び他の、インタラクティビティ、娯楽、または他の媒体などに匂いの感覚を加えることができる。
【０００６】
本特許文書に説明される主題は、以下の特徴のうちの１つ以上を提供する特定の手法で実現することができる。例えば、開示される技術は、ラッチ可能な磁気スイッチ、圧電性物質、または熱的に作動可能なスイッチに基づいて、便利な、遠隔の、電気的に作動可能な流体放出を可能にするデバイスを含む。多くの異なる種類の流体のうちの１つ以上を選択的に放出する能力のために、Ｘ−ＹまたはＸ−Ｙ−Ｚ行列演算放出システムがまた、関連したＰＣＴ出願ＰＣＴ／ＵＳ１４／０３５０５４に説明されるものと同様に、目下開示される実施形態のために利用されてもよい。
【０００７】
開示される技術は、単純であり、安価であり、動作するのが高速であり、かつ、送出装置、プロセス、システム、及び／または機構を小型化することができると同時に、自動化様式またはオンデマンド式で保管され得、組み合わされ得、分注され得、及び反復され得、または順序付けられ得る異なる香りのするもしくは香りのない流体、または他の物質の数を最大限にすることができる。開示されるデバイスのラッチ可能な性質は、送出システムがアクティブにされないときに電気または電力を連続的に使用する必要がないので、非常に便利である。本技術の例示的な適用は、局所的空間（例えば、個人の鼻の空間など）の中への香りのするガスの送出のみならず、医学薬剤送出のための蒸気、霧、粉末、または他の浮遊物の切換可能な放出を含む。とりわけ、本技術は、ＶＡＲ体験及び娯楽（映画及びビデオゲーム）及び他のＶＡＲ媒体、オンラインショッピング、及び／またはオンラインによる製品の広告、またはブリック＆モルタル店舗表示環境に大いに適している。
【０００８】
一態様例では、デジタル制御可能な香り生成及び送出装置が開示される。装置は、容器のアレイであって、各容器が、入口と、チャンバと、出口と、を有し、入口を通って入力キャリヤガスが流入し、チャンバが、香り原料または原料と呼ばれる特徴的な臭気を作り出す基本またはベース化学物質を含有する材料を保持するための、香り容器と呼ばれ、出口を通って入力ガス及び香り原料の混合物が流出する、容器のアレイと、電磁信号に基づいて、各容器を通るガス流を制御する流れ調節機構と、容器の出口に結合され、かつ送出チャネル出口を有する１つ以上の配合チャンバであって、容器の出口からの個々の出力を均質に共に配合して、所定の香りを発生して、送出チャネル出口を通して所定の香りを流出させることを可能にする、１つ以上の配合チャンバと、容器の入口に結合され、かつ入力キャリヤガス流を発生する加圧チャンバと、を含む。
【０００９】
別の態様例では、デジタル制御され、香りを増強されたマルチメディア体験を送出する方法が開示される。方法は、非嗅覚的な感覚刺激、例えば、音響、視覚、及び／または他の刺激などをユーザに送出することと、香りの活性化、香りの配合、放出、及びユーザへの送出を制御する電磁制御信号によって、香りデバイスから香り刺激の同期送出を制御することと、香り刺激であって、非嗅覚刺激に関連し、かつ非嗅覚刺激のユーザ体験を増強する、増大する、修正する、変更する、またはそれと統合する香り刺激をユーザに送出することと、香り刺激をユーザに送出することであって、香り刺激が非嗅覚刺激に関連し、かつユーザが、受動的または能動的に、またはインタラクティブに非嗅覚刺激と関わる、送出することと、香り刺激をユーザに選択的に送出することであって、ユーザが活動に従事している間に、香り刺激が非嗅覚刺激に関連する、送出することと、を含む。
【００１０】
これらの及び他の特徴ならびに態様は、図面、説明、及び請求項において、より詳細に説明される。
【図面の簡単な説明】
【００１１】
【図１−１】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−２】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−３】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−４】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−５】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−６】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−７】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−８】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−９】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−１０】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図１−１１】残留磁化バルブの種々の実施形態、すなわち、（Ａ）香りのするガス浸透を可能にするためのラッチ可能な磁気ピン及び高透磁率リングの内部機械的バネに基づく分離を用いる残留磁化バルブ、（Ｂ）香りまたはガス浸透を可能にするための移動可能な磁気ロッド構成要素の圧力に基づく分離を利用するガス流バネを用いる残留磁化バルブ、（Ｃ）ノッチ付きピンガイド及び高透磁率リングを示す残留磁化バルブの詳細、（Ｄ）流れを例解する非円筒形残留磁化バルブの半断面、（Ｅ）片持ちバネを用いる残留磁化バルブ、（Ｆ）圧力起動を用いる残留磁化バルブ、（Ｇ）重力起動を用いる残留磁化バルブ、（Ｈ）非円筒形ソレノイドを用いる残留磁化、（ｉ）二重ソレノイドを用いる残留磁化バルブ、（Ｊ）所望の香り（複数可）または他のガス／霧／液体の便利な放出のための残留磁化バルブの２次元に組立てられた３×８アレイ、（Ｋ）所望の香り（複数可）または他のガス／霧／液体の便利な放出のための嵌合カートリッジを用いる残留磁化バルブの２次元に製造された２×２アレイ、及び（Ｌ）典型的なリソグラフ製造のための２次元ソレノイドを用いる残留磁化バルブアレイを概略的に例解する。
【図２Ａ】磁気逆止バルブの種々の実施形態、すなわち、（Ａ）磁気リングを用いる逆止バルブ、（Ｂ）磁性フラップを用いる逆止バルブ、及び（Ｃ）同時に作り出された逆止バルブのアレイを概略的に例解する。
【図２Ｂ】磁気逆止バルブの種々の実施形態、すなわち、（Ａ）磁気リングを用いる逆止バルブ、（Ｂ）磁性フラップを用いる逆止バルブ、及び（Ｃ）同時に作り出された逆止バルブのアレイを概略的に例解する。
【図２Ｃ】磁気逆止バルブの種々の実施形態、すなわち、（Ａ）磁気リングを用いる逆止バルブ、（Ｂ）磁性フラップを用いる逆止バルブ、及び（Ｃ）同時に作り出された逆止バルブのアレイを概略的に例解する。
【図３Ａ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図３Ｂ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図３Ｃ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図３Ｄ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図３Ｅ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図３Ｆ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図３Ｇ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図３Ｈ】個々またはグループへのデバイス送出のための（そのデバイスは、代わりに、本明細書において後に「デジタルデバイス」として称される）香りのないまたは香りのする化合物（「コンパウンディング」）のオンデマンド式の生成のために、研究及び開発、試験及び実験の目的のために、調合によって指定される、または（インターネットまたは他の有線もしくは無線伝送経由で）プログラムされ得る、または手動で調節され得る、組み合わせ及びパラメータに従って（臭気／香りを発生する化学物質原料から発生されたまたはその原料を含有するガスを含む）流体の配合、すなわち、（Ａ）配合のための流体のオン−オフ放出用に同時にアクティブにされる／デューティーサイクル化される残留磁化バルブ、（Ｂ）遠隔に位置する原料保管容器及びチャネルを経る配合チャンバへの送出（Ｃ）高速な流体配合を容易にするためのカートリッジ容器の円板レイアウト、（Ｄ）回転可能な整列、鏡映、及び積み重ね型配備のための代替の円板型容器レイアウト、（Ｅ）高速な流体配合を容易にするためのカートリッジ容器の円筒形レイアウト、（Ｆ）大容量原料システムのためのカートリッジ容器の入れ子状リングレイアウト、（Ｇ）幾何学的形状または撹拌によって支援される配合、ならびに（Ｈ）ラッチ可能な残留磁化配合／分割バルブを概略的に例解する。
【図４Ａ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｂ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｃ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｄ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｅ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｆ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｇ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｈ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｉ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｊ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｋ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｌ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｍ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｎ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｏ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｐ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｑ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｒ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｓ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｔ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｕ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｖ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図４Ｗ】香り送出デバイス及び構造の種々の実施形態、すなわち、（Ａ）代替の容器、バルブ、及び加圧構成、（Ｂ）制御された放出のための残留磁化バルブのアレイと嵌合する置き換え可能なカートリッジ、（Ｃ）制御された放出のための出口におけるアレイ状逆止バルブを用いる置き換え可能なカートリッジ、（Ｄ）仮想現実デバイス、拡張または複合現実感（「ＶＡＲ」）デバイスのユーザへの香りのするガスの送出（「香り送出」）のための鼻下用カートリッジ構造、（Ｅ）ＶＡＲデバイス用のヘッドセット内の中線カートリッジ位置を用いる香り送出、（Ｆ）ＶＡＲデバイス用の完全にまたは部分的に可処分な香り送出ユニット、（Ｇ）ＶＡＲヘッドまたはアイウェアに取り付けられた及びそれらを用いる使用のための片側または両側に実装される取り換え可能／補充可能なカートリッジ（複数可）からの自己充足式に制御可能な香り送出、（Ｈ）小さい拡散器を備えるＶＲもしくはＡＲヘッドギアに取り付けられた及びそれらを用いる使用のための片側に実装される取り換え可能／補充可能なカートリッジ（複数可）からの自己充足式に制御可能な香り送出、（ｉ）首に実装される取り換え可能／補充可能なカートリッジからの自己充足式に制御可能な香り送出、（Ｊ）ベルトに実装される取り換え可能／補充可能なカートリッジからの自己充足式に制御可能な香り送出、（Ｋ）腕に実装される取り換え可能／補充可能なカートリッジからの自己充足式に制御可能な香り送出、（Ｌ）卓上または手持ち式の取り換え可能／補充可能なカートリッジからの自己充足式に制御可能な香り送出、（Ｍ）大きな香り容量（すなわち、数千もの専用の香り）を用いる大きな中心ユニットからの自己充足式に制御可能な香り送出、（Ｎ）方向付けられた二重または三重の香り出力による方向性の香り送出、（Ｏ）使用の間の音声捕捉及び相互作用のための内蔵マイクロホンを用いるユーザの鼻孔の下に位置する香り送出デバイス、（Ｐ）香り送出用の有線デスクトップ構成、（Ｑ）香りまたは代替の送出用の無線デスクトップ構成、（Ｒ）ユニットとしてフレキシブルな寸法及び配置を用いる可動性または固定された香り送出マルチメディアデバイス、（Ｓ）着脱可能な、取り換え可能な、または補充可能なカートリッジを用いる手持ち式デバイスからの自己充足式に制御可能な香り送出、（Ｔ）香り送出の選択的な起動のための組み込み型カメラまたはデータの有線もしくは無線伝送による物体認識を用いる手持ち式香り送出デバイス、（Ｕ）フレーバー付き流体をユーザの鼻空間または口にも送出するように位置する香り送出デバイス、（Ｖ）多気候動作のための吸気除湿器、ならびに（Ｗ）掃除の間の残留物放出のための排気機構を概略的に例解する。図４（Ａ）〜（Ｗ）に示される構成は、任意選択的に、ＶＲもしくはＡＲヘッドギアまたはアイウェアと共に使用され得るか、それに取り付けられ得るか、またはそれに組み込まれ得るか、あるいは、代わりに、代替の使用のために独立して動作及び装着されるように構成され得る。
【図５Ａ】単一チャネルの下方に連続的または同時に、複数の化学物質流体または他の物質を送出するためのチャネルの堆積物を掃除する手順の種々の実施形態、すなわち、（Ａ）種々の化学流体または他の物質を送出するための束にされた香りに特有の送出チャネル、（Ｂ）香り材料残留物の最小限の堆積物を伴う、ある期間にわたる異なる香りのするガスの送出用に使用することができる非多孔性の残留物に耐性のある単一チャネル、（Ｃ）抵抗加熱による内部コーティングの堆積物の掃除、（Ｄ）誘導加熱による内部コーティングの堆積物の掃除、（Ｅ）自動化または事前にプログラムされた内部化学パージによる堆積物の掃除、（Ｆ）ガス流を受ける間のチャネルの電磁的な震えによる堆積物の掃除、及び（Ｇ）内部システム構成要素を掃除するための事前または断続的な加熱機構を概略的に例解する。
【図５Ｂ】単一チャネルの下方に連続的または同時に、複数の化学物質流体または他の物質を送出するためのチャネルの堆積物を掃除する手順の種々の実施形態、すなわち、（Ａ）種々の化学流体または他の物質を送出するための束にされた香りに特有の送出チャネル、（Ｂ）香り材料残留物の最小限の堆積物を伴う、ある期間にわたる異なる香りのするガスの送出用に使用することができる非多孔性の残留物に耐性のある単一チャネル、（Ｃ）抵抗加熱による内部コーティングの堆積物の掃除、（Ｄ）誘導加熱による内部コーティングの堆積物の掃除、（Ｅ）自動化または事前にプログラムされた内部化学パージによる堆積物の掃除、（Ｆ）ガス流を受ける間のチャネルの電磁的な震えによる堆積物の掃除、及び（Ｇ）内部システム構成要素を掃除するための事前または断続的な加熱機構を概略的に例解する。
【図５Ｃ】単一チャネルの下方に連続的または同時に、複数の化学物質流体または他の物質を送出するためのチャネルの堆積物を掃除する手順の種々の実施形態、すなわち、（Ａ）種々の化学流体または他の物質を送出するための束にされた香りに特有の送出チャネル、（Ｂ）香り材料残留物の最小限の堆積物を伴う、ある期間にわたる異なる香りのするガスの送出用に使用することができる非多孔性の残留物に耐性のある単一チャネル、（Ｃ）抵抗加熱による内部コーティングの堆積物の掃除、（Ｄ）誘導加熱による内部コーティングの堆積物の掃除、（Ｅ）自動化または事前にプログラムされた内部化学パージによる堆積物の掃除、（Ｆ）ガス流を受ける間のチャネルの電磁的な震えによる堆積物の掃除、及び（Ｇ）内部システム構成要素を掃除するための事前または断続的な加熱機構を概略的に例解する。
【図５Ｄ】単一チャネルの下方に連続的または同時に、複数の化学物質流体または他の物質を送出するためのチャネルの堆積物を掃除する手順の種々の実施形態、すなわち、（Ａ）種々の化学流体または他の物質を送出するための束にされた香りに特有の送出チャネル、（Ｂ）香り材料残留物の最小限の堆積物を伴う、ある期間にわたる異なる香りのするガスの送出用に使用することができる非多孔性の残留物に耐性のある単一チャネル、（Ｃ）抵抗加熱による内部コーティングの堆積物の掃除、（Ｄ）誘導加熱による内部コーティングの堆積物の掃除、（Ｅ）自動化または事前にプログラムされた内部化学パージによる堆積物の掃除、（Ｆ）ガス流を受ける間のチャネルの電磁的な震えによる堆積物の掃除、及び（Ｇ）内部システム構成要素を掃除するための事前または断続的な加熱機構を概略的に例解する。
【図５Ｅ】単一チャネルの下方に連続的または同時に、複数の化学物質流体または他の物質を送出するためのチャネルの堆積物を掃除する手順の種々の実施形態、すなわち、（Ａ）種々の化学流体または他の物質を送出するための束にされた香りに特有の送出チャネル、（Ｂ）香り材料残留物の最小限の堆積物を伴う、ある期間にわたる異なる香りのするガスの送出用に使用することができる非多孔性の残留物に耐性のある単一チャネル、（Ｃ）抵抗加熱による内部コーティングの堆積物の掃除、（Ｄ）誘導加熱による内部コーティングの堆積物の掃除、（Ｅ）自動化または事前にプログラムされた内部化学パージによる堆積物の掃除、（Ｆ）ガス流を受ける間のチャネルの電磁的な震えによる堆積物の掃除、及び（Ｇ）内部システム構成要素を掃除するための事前または断続的な加熱機構を概略的に例解する。
【図５Ｆ】単一チャネルの下方に連続的または同時に、複数の化学物質流体または他の物質を送出するためのチャネルの堆積物を掃除する手順の種々の実施形態、すなわち、（Ａ）種々の化学流体または他の物質を送出するための束にされた香りに特有の送出チャネル、（Ｂ）香り材料残留物の最小限の堆積物を伴う、ある期間にわたる異なる香りのするガスの送出用に使用することができる非多孔性の残留物に耐性のある単一チャネル、（Ｃ）抵抗加熱による内部コーティングの堆積物の掃除、（Ｄ）誘導加熱による内部コーティングの堆積物の掃除、（Ｅ）自動化または事前にプログラムされた内部化学パージによる堆積物の掃除、（Ｆ）ガス流を受ける間のチャネルの電磁的な震えによる堆積物の掃除、及び（Ｇ）内部システム構成要素を掃除するための事前または断続的な加熱機構を概略的に例解する。
【図５Ｇ】単一チャネルの下方に連続的または同時に、複数の化学物質流体または他の物質を送出するためのチャネルの堆積物を掃除する手順の種々の実施形態、すなわち、（Ａ）種々の化学流体または他の物質を送出するための束にされた香りに特有の送出チャネル、（Ｂ）香り材料残留物の最小限の堆積物を伴う、ある期間にわたる異なる香りのするガスの送出用に使用することができる非多孔性の残留物に耐性のある単一チャネル、（Ｃ）抵抗加熱による内部コーティングの堆積物の掃除、（Ｄ）誘導加熱による内部コーティングの堆積物の掃除、（Ｅ）自動化または事前にプログラムされた内部化学パージによる堆積物の掃除、（Ｆ）ガス流を受ける間のチャネルの電磁的な震えによる堆積物の掃除、及び（Ｇ）内部システム構成要素を掃除するための事前または断続的な加熱機構を概略的に例解する。
【図６Ａ】液体溶液もしくは浮遊物の蒸発、原子化、またはエアロゾル化のための種々の代替物、すなわち、（Ａ）任意選択的に磁気起動を用いる被覆されたまたは中空の多孔性マイクロ／ナノ粒子、（Ｂ）高表面積香り基材及び補給用液体原料貯蔵器を用いる分割されたカートリッジ容器、（Ｃ）中空分岐高表面積香り基材及び補給用液体原料貯蔵器を用いる分割されたカートリッジ容器、（Ｄ）液滴が空気または他の蒸気の横の流れに分散される、出口面上の疎水性／疎油性／オムニフォビックなコーティングを伴うパターン化されたプレートを通した流体の加圧分配によるマイクロスケール／ナノスケール液滴の分散、（Ｅ）高周波数範囲において起動される周囲の圧電性材料への機械的接続によって震動される疎水性／疎油性／オムニフォビックな表面を有する３次元メッシュを通したマイクロスケール／ナノスケール液滴の分散、（Ｆ）液体閉じ込めチャンバを通した蒸気流れとしてナノスケール長のフィラメントによって別個に保持されるマイクロ／ナノ泡による流体の連続的な蒸発、及び（Ｇ）３次元高表面積多孔性複合材料、例えば、樹脂を経る、超高濃度香り媒体を概略的に例解する。
【図６Ｂ】液体溶液もしくは浮遊物の蒸発、原子化、またはエアロゾル化のための種々の代替物、すなわち、（Ａ）任意選択的に磁気起動を用いる被覆されたまたは中空の多孔性マイクロ／ナノ粒子、（Ｂ）高表面積香り基材及び補給用液体原料貯蔵器を用いる分割されたカートリッジ容器、（Ｃ）中空分岐高表面積香り基材及び補給用液体原料貯蔵器を用いる分割されたカートリッジ容器、（Ｄ）液滴が空気または他の蒸気の横の流れに分散される、出口面上の疎水性／疎油性／オムニフォビックなコーティングを伴うパターン化されたプレートを通した流体の加圧分配によるマイクロスケール／ナノスケール液滴の分散、（Ｅ）高周波数範囲において起動される周囲の圧電性材料への機械的接続によって震動される疎水性／疎油性／オムニフォビックな表面を有する３次元メッシュを通したマイクロスケール／ナノスケール液滴の分散、（Ｆ）液体閉じ込めチャンバを通した蒸気流れとしてナノスケール長のフィラメントによって別個に保持されるマイクロ／ナノ泡による流体の連続的な蒸発、及び（Ｇ）３次元高表面積多孔性複合材料、例えば、樹脂を経る、超高濃度香り媒体を概略的に例解する。
【図６Ｃ】液体溶液もしくは浮遊物の蒸発、原子化、またはエアロゾル化のための種々の代替物、すなわち、（Ａ）任意選択的に磁気起動を用いる被覆されたまたは中空の多孔性マイクロ／ナノ粒子、（Ｂ）高表面積香り基材及び補給用液体原料貯蔵器を用いる分割されたカートリッジ容器、（Ｃ）中空分岐高表面積香り基材及び補給用液体原料貯蔵器を用いる分割されたカートリッジ容器、（Ｄ）液滴が空気または他の蒸気の横の流れに分散される、出口面上の疎水性／疎油性／オムニフォビックなコーティングを伴うパターン化されたプレートを通した流体の加圧分配によるマイクロスケール／ナノスケール液滴の分散、（Ｅ）高周波数範囲において起動される周囲の圧電性材料への機械的接続によって震動される疎水性／疎油性／オムニフォビックな表面を有する３次元メッシュを通したマイクロスケール／ナノスケール液滴の分散、（Ｆ）液体閉じ込めチャンバを通した蒸気流れとしてナノスケール長のフィラメントによって別個に保持されるマイクロ／ナノ泡による流体の連続的な蒸発、及び（Ｇ）３次元高表面積多孔性複合材料、例えば、樹脂を経る、超高濃度香り媒体を概略的に例解する。
【図６Ｄ】液体溶液もしくは浮遊物の蒸発、原子化、またはエアロゾル化のための種々の代替物、すなわち、（Ａ）任意選択的に磁気起動を用いる被覆されたまたは中空の多孔性マイクロ／ナノ粒子、（Ｂ）高表面積香り基材及び補給用液体原料貯蔵器を用いる分割されたカートリッジ容器、（Ｃ）中空分岐高表面積香り基材及び補給用液体原料貯蔵器を用いる分割されたカートリッジ容器、（Ｄ）液滴が空気または他の蒸気の横の流れに分散される、出口面上の疎水性／疎油性／オムニフォビックなコーティングを伴うパターン化されたプレートを通した流体の加圧分配によるマイクロスケール／ナノスケール液滴の分散、（Ｅ）高周波数範囲において起動される周囲の圧電性材料への機械的接続によって震動される疎水性／疎油性／オムニフォビックな表面を有する３次元メッシュを通したマイクロスケール／ナノスケール液滴の分散、（Ｆ）液体閉じ込めチャンバを通した蒸気流れとしてナノスケール長のフィラメントによって別個に保持されるマイクロ／ナノ泡による流体の連続的な蒸発、及び（Ｇ）３次元高表面積多孔性複合材料、例えば、樹脂を経る、超高濃度香り媒体を概略的に例解する。
【図６Ｅ】液体溶液もしくは浮遊物の蒸発、原子化、またはエアロゾル化のための種々の代替物、すなわち、（Ａ）任意選択的に磁気起動を用いる被覆されたまたは中空の多孔性マイクロ／ナノ粒子、（Ｂ）高表面積香り基材及び補給用液体原料貯蔵器を用いる分割されたカートリッジ容器、（Ｃ）中空分岐高表面積香り基材及び補給用液体原料貯蔵器を用いる分割されたカートリッジ容器、（Ｄ）液滴が空気または他の蒸気の横の流れに分散される、出口面上の疎水性／疎油性／オムニフォビックなコーティングを伴うパターン化されたプレートを通した流体の加圧分配によるマイクロスケール／ナノスケール液滴の分散、（Ｅ）高周波数範囲において起動される周囲の圧電性材料への機械的接続によって震動される疎水性／疎油性／オムニフォビックな表面を有する３次元メッシュを通したマイクロスケール／ナノスケール液滴の分散、（Ｆ）液体閉じ込めチャンバを通した蒸気流れとしてナノスケール長のフィラメントによって別個に保持されるマイクロ／ナノ泡による流体の連続的な蒸発、及び（Ｇ）３次元高表面積多孔性複合材料、例えば、樹脂を経る、超高濃度香り媒体を概略的に例解する。
【図６Ｆ】液体溶液もしくは浮遊物の蒸発、原子化、またはエアロゾル化のための種々の代替物、すなわち、（Ａ）任意選択的に磁気起動を用いる被覆されたまたは中空の多孔性マイクロ／ナノ粒子、（Ｂ）高表面積香り基材及び補給用液体原料貯蔵器を用いる分割されたカートリッジ容器、（Ｃ）中空分岐高表面積香り基材及び補給用液体原料貯蔵器を用いる分割されたカートリッジ容器、（Ｄ）液滴が空気または他の蒸気の横の流れに分散される、出口面上の疎水性／疎油性／オムニフォビックなコーティングを伴うパターン化されたプレートを通した流体の加圧分配によるマイクロスケール／ナノスケール液滴の分散、（Ｅ）高周波数範囲において起動される周囲の圧電性材料への機械的接続によって震動される疎水性／疎油性／オムニフォビックな表面を有する３次元メッシュを通したマイクロスケール／ナノスケール液滴の分散、（Ｆ）液体閉じ込めチャンバを通した蒸気流れとしてナノスケール長のフィラメントによって別個に保持されるマイクロ／ナノ泡による流体の連続的な蒸発、及び（Ｇ）３次元高表面積多孔性複合材料、例えば、樹脂を経る、超高濃度香り媒体を概略的に例解する。
【図６Ｇ】液体溶液もしくは浮遊物の蒸発、原子化、またはエアロゾル化のための種々の代替物、すなわち、（Ａ）任意選択的に磁気起動を用いる被覆されたまたは中空の多孔性マイクロ／ナノ粒子、（Ｂ）高表面積香り基材及び補給用液体原料貯蔵器を用いる分割されたカートリッジ容器、（Ｃ）中空分岐高表面積香り基材及び補給用液体原料貯蔵器を用いる分割されたカートリッジ容器、（Ｄ）液滴が空気または他の蒸気の横の流れに分散される、出口面上の疎水性／疎油性／オムニフォビックなコーティングを伴うパターン化されたプレートを通した流体の加圧分配によるマイクロスケール／ナノスケール液滴の分散、（Ｅ）高周波数範囲において起動される周囲の圧電性材料への機械的接続によって震動される疎水性／疎油性／オムニフォビックな表面を有する３次元メッシュを通したマイクロスケール／ナノスケール液滴の分散、（Ｆ）液体閉じ込めチャンバを通した蒸気流れとしてナノスケール長のフィラメントによって別個に保持されるマイクロ／ナノ泡による流体の連続的な蒸発、及び（Ｇ）３次元高表面積多孔性複合材料、例えば、樹脂を経る、超高濃度香り媒体を概略的に例解する。
【図７Ａ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｂ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｃ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｄ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｅ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｆ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｇ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｈ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図７Ｉ】増強された、快適な、もしくは修正された香り送出知覚または体験のための種々の機構、すなわち、（Ａ）長時間にわたる使用の間のいらだちを防ぐための出口ストリーム用の加湿器、（Ｂ）出口ストリーム温度を上げるように調整される加熱機構、（Ｃ）出口ストリーム温度を下げるように調整される冷却機構、（Ｄ）サイクル、濃度、希釈、または加圧によって強度を低減または増大するための香り分量制御、（Ｅ）３次元香り送出のための二重または複数の鼻孔供給、（Ｆ）ユーザの状態へのフィードバック及び／または反応的フィードバックの能動的監視のための、あるいは任意の種類の媒体の再生またはユーザとのインタラクティビティとの香り送出同期の動的調節の目的のための種々のバイオセンサ、（Ｇ）香り送出、３次元香り送出、香り共有、触覚により起動される香り送出、反応的香り調節、コンテクスチュアルな（ｃｏｎｔｅｘｔｕａｌ）香り選択及び生成のための発話認識を含む、増強された、インタラクティブな、または（ＶＡＲを含む）より没入型の香り体験のためのプログラム通りの機能のいくつかの実施例、（Ｈ）ユーザ間の香りのデジタル交換、及び生成用調合、ならびに（Ｉ）呼吸パターンまたは間隔認識及び同期を概略的に例解する。
【図８】デジタル制御される香りが増強されたマルチメディア体験を送出するための方法例のフローチャート描写である。
【図９】香り原料の霧を発生する方法例を例解するフローチャートである。
【図１０】香り送出アレイをデジタル制御する方法例を例解するフローチャートである。
【図１１】カスタマイズ可能な嗅覚体験を提供する方法例を例解するフローチャートである。
【図１２】物質を対象部位に送出する方法例を例解するフローチャートである。
【図１３】デジタル制御される香りが増強されたマルチメディア体験を送出する方法を例解するフローチャートである。
【発明を実施するための形態】
【００１２】
本文書は、液体、霧、蒸気、またはガスのオンデマンド式の分注及び送出のための高度にスケーラブルな技法、プロセス、システム、及びデバイスを開示する。開示される技術の香り送出デバイスは、例えば、ラッチ可能な磁気的に、圧電式に、または熱的に作動可能なスイッチ及び機構に基づく、便利な、遠隔から、電気的に作動可能な香り放出構成要素を含む。一部の実現形態において、例えば、送出デバイスは、流体（例えば、例えば、液体、蒸気、もしくはガスなど）の形成及び／または送出を制御して、香りのする物質を作り出すためのナノスケール及びマイクロスケール材料構造を含む。一部の実現形態において、例えば、開示される技術は、例えば、Ｘ−ＹまたはＸ−Ｙ−Ｚ行列演算放出システムを使用して、多くの異なる種類のガスまたは液体のうちの１つ以上を選択的に放出する能力を提供する。本技術は、配合プロセス及び送出システムの小型化をもたらすと同時に、自動化様式及び／またはオンデマンド式に、保管され得、迅速に配合され得、分注され得、及び反復され得、または順序付けられ得る異なる基礎原料（例えば、香り原料など）の数を最大限にする。
【００１３】
説明される技術の一部の態様及び実施形態は、請求項の欄に列挙される請求項と共に、提供される種々の付記を含む発明を実施するための形態に基づいて、理解され得る。
【００１４】
本技術の適用は、限定されるものではないが、とりわけ、ＶＡＲ体験及び適用に非常に適した局所的空間（例えば、例えば、個人の鼻空間など）への香りのするガスの送出と、制御された前鼻腔経路（ｏｒｔｈｏｎａｓａｌ）または経口薬剤送出と、を含む。香りのするガス送出及び前鼻腔経路または経口薬剤送出に加えて、迅速に切換可能かつ配合可能な流体制御は、研究または教育ツール、製造または処理方法、ならびに商業用及び消費者製品として、広範囲の分野におけるオンデマンド式の合成適用に有望である。個々の構成要素または配合された組成のいずれかとして、多数の流体の精密な、高速な、及び小型化可能な制御を必要とする任意の手順は、開示されるデバイス、システム、及び方法から利益を受け得る。
【００１５】
高速な順次送出のために異なる香りの潜在的な数を増やすことによって、例えば、開示される香り送出デバイスは、より複雑かつ精巧な感覚（嗅覚）的な伝達、インタラクティビティ、サンプリング、ブランディング、または広告、ならびにより大きな劇的な可能性及び／またはＶＡＲもしくは生の体験における現実感または没入の増大の可能性を提供する。例えば、一部の場合において、開示されるデバイスは、移動電話もしくは他の通信デバイスにおける嗅覚ディスプレイとしてまたは発信者識別子として使用することができる。他の例では、開示されるデバイスは、映画またはビデオゲームと併せて（例えば、場面、行動、俳優／キャラクター、音楽／音響、または演劇の要素と同期して起動される、送出用に利用可能な広範囲の複数の香り追跡として）使用することができる。香りのする流体のナノまたはマイクロデバイス制御及びオンデマンド送出の他の例示的な適用は、例えば、数ある適用の中でも特に、（ａ）ブリック＆モルタル小売店、オンラインもしくはＶＡＲのショッピングまたは広告、（ｂ）生の、オンライン、もしくはＶＡＲの娯楽、スポーツ、ファッションショー、ニュース放送、または任意の他の種類の媒体、（ｃ）ユーザ間の交換またはインタラクティビティ、（ｄ）任意の種類の媒体とのユーザの受動的または能動的相互作用、（ｅ）香りのするパッケージング、（ｆ）装着者のバイオフィードバックによって設定されたまたはそのフィードバックに反応する、選択された異なる香料を分注及び反復するための機構／デバイスを埋め込まれた、香気を発する宝石類であって、その機構が、装着者の近くもしくは周りの直近の空間内またはその空間の周りに目に見えない大群の香りを発生させる、宝石類、（ｇ）例えば、棚もしくは他の家具などの小さな閉じ込められた空間内の芳香剤、または固定物に取り付けられ得る芳香剤、（ｈ）嗅覚のブランディングまたは信号方式、（ｉ）戦闘シミュレーションまたは個人の挙動の制御もしくは影響のための軍事適用、（ｊ）アロマ療法、（ｋ）医学療法、薬剤送出、または遠隔もしくは仮想手術、（ｌ）衛生、（ｍ）教育、（ｎ）シミュレーション、（ｏ）記録されたまたは生の香りのする媒体及び娯楽、ならびに／あるいは（ｐ）挙動的、神経的、多モードの（香り、味覚、感触、視覚、及び／または音響の組み合わせの）効果を提供する多感覚装置（例えば、触覚及び香り、香り及び味覚、触覚−感覚−味覚、触覚−聴覚−香り等を組み合わせる装置）における使用を含む。
【００１６】
開示される技術は、いくつかの利点を提供する。本技術の１つの例示的な利点は、簡易型バルブを含む分注、またはオンデマンド式に配合された流体（例えば、香りのする流体など）内の化学物質の選択を可能にする無バルブ分注を使用する汎用性のある設計である。かかる設計は、開示される技術の例示的な「ラッチ可能なスイッチゲーティング」機構を含む。例えば、これらの例示的なゲート機構は、複雑な機械的バルブの必要性に取って代わるだけではなくて、ゲーティングを制御するために必要な電気入力もまた最小限にし、かつまた、例えば、ミリメートルまたはミリメートルよりも少ないスケールを含む、小さい寸法に縮尺可能であり、それによって、技術を具体化するデバイスまたは装置のサイズ及び重さ（及び可搬性または装着可能性）における削減を加える。
【００１７】
一部の既存のシステムは、少量の香りを局所的空間に分注することができる無バルブシステムを利用するが、送出チャネルの直径または長さの寸法の技術的な要件は、それら自体、限定的である。本技術の利点は、そのような限界が存在しないことである。無バルブ技術を使用する一部の他の既存のシステムは、加熱素子によって香りのするガスを蒸発及び分注する主な方法を採用し、本技術の機構が香りのするガスのより高速なオン−オフ制御、発生、及びユーザへの送出を可能にするのに対して、必要とされる分量の香りのするガスを生成するために必要とされる時間が比較的不利である。これらの及び他の既存の香り発生デバイスはまた、速度、物理的な寸法及び小型化、選択性、ならびに耐久性の点において限界がある。また、（香りのするガスを含む）流体を局所的空間または鼻空間に選択的に放出するように現在採用されている既存の技術は、オンデマンド式の精密な送出のために反復されるまたは順序付けられ、時間を合わされ、及び制御されることができる異なる香りの数（または、それらの生成のための調合の仕方によって指定される原料の数）によって限定される。より具体的な例として、スケーラブルな複数の香りを出す能力ならびに香りのするガスの精密に時間を合わせた制御及び鼻空間（または、鼻への）例えば、嗅覚計などへの送出法を有する機械は、サイズが比較的大きく、本技術のように装着可能性または可搬性のためにサイズ及び形状因子を削減することができない。更なる例として、複数の香りを出す香り合成能力を有する先行技術のデバイスは、合成され得る化学物質原料の数、したがって、生成され得る香りのカタログの特異性、範囲、及び質によって限定される。
【００１８】
開示される技術はまた、「周囲拡散（ａｍｂｉｅｎｔ  ｄｉｆｆｕｓｉｏｎ）」技術の使用を含むことができ、それは、例えば、流体、ペースト、樹脂、カプセル化、半固体、または固体材料の化学元素を蒸発するための主な機構として加熱の使用を用いずに、周囲温度または室温において、香りのするまたは香りのないガスを発生する。本技術による蒸発された香りの送出はまた、本来の化学的堆積、空気内の長引く存続期間、ならびに個人に対する近距離における（例えば、香りのする霧を含む）原子化された化学物質の送出における他の不利な点及びリスクを未然に防ぐ。周囲拡散はまた、例えば、高速なガスの形成及び送出のための高速蒸発を達成するために必要とされるエネルギーと、香りの場合において、加熱によって香りを発生する化学成分の特性または挙動を潜在的に（望ましくなく）変えるための潜在性と、を含む、香りのするもしくは香りのない液体または他の香るもしくは香りのない媒体を蒸発するための主な機構として加熱の使用と関連付けられた一定の限定または欠点も回避する。
【００１９】
蒸発された（例えば、完全に蒸発された）香りのするガスを発生するための他の主な機構は、香りのする溶媒もしくは他の材料の表面上に、または多孔性固体、ゲル、もしくは他の香りのする物質を通るガスの通路を含むことができる。本技術において、例えば、一実施形態では、ガスのマイクロ泡が、香りのする材料を含有し、かつ溶媒または油の表面における出口で香りのするガスを発生する油または他の溶媒を通して生成及びポンピングされる。かかる手法でのマイクロ泡の使用は、香りのする溶媒または油内の空気（またはガス）の大表面積接触の潜在性を最大限にし、それによって、潜在的な拡散を増大し、結果として、所望の分量の香りのするガスを送出するのに必要な時間を削減するか、またはキャリヤガス内に放出される対象の化学分子の濃度を上げるという効果がある。
【００２０】
目下開示される技術における、更なる例として、別の実施形態では、基材材料のマイクロまたはナノ分岐によって生成された極めて大きな表面積基材が、香りもしくは液体を含有するチャンバ内にまたは取り換え可能なカートリッジ内に配置されてもよい。かかるナノ構造化された基材材料は、香りのする溶媒で被覆され、チャンバまたはカートリッジからの液体材料の漏出を防ぐための追加的な機械的治具を導入する必要なしに、溶媒を所定位置に保持し、かつまた、大きな表面積の理由で、所与の時間毎に必要とされる香り濃度を作り出すのに必要な香りのする液体の量を削減し、それによって、デバイスのサイズ及び重さを削減して、装着可能性を与えるのに役立つ。例えば、セラミック、金属、ポリマー、または炭素材料などでできたかかるナノ構造化された基材材料の所望の大きな表面積は、ガス吸着のブルナウアー−エメット−テラー（ＢＥＴ）分析技法によって測定される際に、少なくとも３００平方メートル毎グラム、好ましくは、少なくとも１，０００平方メートル毎グラム、好ましくは、少なくとも２，０００平方メートル毎グラムである。
【００２１】
現時点までに導入されている既存の選択的な香り放出及び送出システムのほとんどの例は、効果的でない制御、意図された対象に送出可能である精密なタイミングの欠如、順序付けられる送出の間の香りの望まれない混合、環境内に長引く香り、機械的信頼性、エネルギー効率、ならびに／あるいは送出装置の費用及びサイズのいずれかによって限定される。広範囲への大量の香りの拡散は、空気から急速に取り除く（または消散する）ことが比較的困難であり、それによって、後続の香りが空間内の個人に「きれいに」送出され得る迅速性を制限する。娯楽適用の場合、例えば、多くの場合において、香りのする空気が、換気システムもしくは扇によって劇場の大まかな空間の中に、または座席において及び座席の周りに放出される。かかる従来の送出機構は、限定されたもしくは非多重（香り切り換え）機能または容量を有し、それらはまた、本技術のように個人の鼻空間に精密に時間を合わせた高速な香りまたは効率的な送出機能として提供することができない。座席領域内に香りを放出することができる既存のシステムの例として、センソラマ（Ｓｅｎｓｏｒａｍａ）ゲームシステムが挙げられ、そのシステムから、香りは、表示された場面に従って椅子から放出され、ハンドルは、機械的振動を提供することができる。例えば、ＡＭＬＵＸ劇場におけるものなどの映画の間、香りは、視覚画像と併せて放出された。香りのする材料を蒸発または噴霧することによる香り放出が、消防士の訓練のために利用されており、香りを発するカラー（ｃｏｌｌａｒ）が、兵士の訓練のために採用されている。しかしながら、これらの既知のアプローチの多くは、非実用的であるか、動作上信頼できないか、または精密に時間を合わせた多重香り送出のためのそれらの能力において制限される。したがって、（最小限の数の制御機構を用いて）多くの異なる香りの源からの制御された、時間を合わせた香り放出を可能にするｘ−ｙまたはｘ−ｙ−ｚ行列演算システムを組み込む迅速に切換可能な、自動化された及び／または遠隔式の、作動可能な、ならびに多重サイクルに耐久性のある特徴を有する信頼できる香り放出及び送出システムのための必要性が存在する。
【００２２】
セクションの見出しが、可読性を容易にするために本文書において使用されるが、開示される技術の範囲を決して限定するものではない。
【００２３】
能動的な流体放出のための残留磁化バルブ構成及び方法の例
【００２４】
図面を参照すると、図１（Ａ）〜図１（Ｌ）は、ピンガイド、磁気的にラッチ可能かつ移動可能なピン、高透磁率嵌合リングまたはプレート、ソレノイド（複数可）、及び電磁シールドを用いる残留磁化バルブの種々の実施形態を概略的に例解する。ピンの磁化は、ソレノイドへのパルス信号を用いて達成され、その後、ピンが、リングに対してパチッとはまり、封止を生成する。消磁は、ソレノイドへのＡＣ信号を減少させること、単一もしくは一連のＤＣ信号によって作り出された反対方向に方向付けられた及び減少された場、または反対方向に配向された磁場を作り出す２次ソレノイドによって、達成される。磁気シールドは、近隣バルブを、互いのソレノイドの磁化によって影響を及ぼされることから遮蔽することに有用であり得る。
【００２５】
ラッチ可能な磁気ピン材料のために、種々の矩形ループ磁気材料を利用することができる。ロッドまたはピン形状の所望の幾何学的形状のために、簡単にスエージ加工され得る機械的に延性のある合金、かかる幾何学的形状に引き出し加工されるロッドまたは引き出し加工されるワイヤが、好適である。例は、Ｆｅ−Ｃｒ−Ｃｏをベースにしたスピノーダル分解する磁性合金、例えば、（重量％で）Ｆｅ−３３％Ｃｒ−７％Ｃｏ−２％Ｃｕなどを使用することであり、それは、最初に加熱処理され、２相構造にスピノーダル分解し、次いで、矩形ループ磁気特性を作り出すように、変形老化または磁場老化される。合金の組成は、２５〜４０％のＣｒ、５〜１５％のＣｏ、０〜４％のＣｕの範囲とすることができ、残りはＦｅである。１０重量％を超えない他の合金元素がまた、追加されてもよい。Ｓ．Ｊｉｎによる文献、「Ｄｅｆｏｒｍａｔｉｏｎ−Ｉｎｄｕｃｅｄ  Ａｎｉｓｏｔｒｏｐｉｃ  Ｃｒ−Ｃｏ−Ｆｅ  Ｐｅｒｍａｎｅｎｔ  Ｍａｇｎｅｔ  Ａｌｌｏｙｓ」、ＩＥＥＥ  Ｔｒａｎｓ．Ｍａｇｎｅｔｉｃｓ、ＭＡＧ−１５、１７４８（１９７９）、ならびにＳ．Ｊｉｎ及びＮ．Ｖ．Ｇａｙｌｅによる文献、「Ｌｏｗ  Ｃｏｂａｌｔ  Ｃｒ−Ｃｏ−Ｆｅ  Ｍａｇｎｅｔ  Ａｌｌｏｙｓ  ｂｙ  Ｓｌｏｗ  Ｃｏｏｌｉｎｇ  Ｕｎｄｅｒ  Ｍａｇｎｅｔｉｃ  Ｆｉｅｌｄ」、ＩＥＥＥ  Ｔｒａｎｓ．Ｍａｇｎｅｔｉｃｓ、ＭＡＧ−１６、５２６（１９８０）を参照。これらの文献は、それらの全体を参照することによって本明細書に組み込まれる。磁気材料の磁気特性は、例えば、所与の材料における最高可能磁化値を指示する飽和磁化（Ｂｓ）、適用される場がゼロ磁場へと除去された後の残りの磁化値を指示する残留磁化（Ｂｒ）、及び材料の磁化をゼロへと減らす／強いるために適用される必要がある所要の外部印加磁場を指示するものであって、どれくらい硬いまたは軟らかい磁性材料であるかを指示する保磁力（Ｈｃ）を含む、いくつかのパラメータによって説明することができる。
【００２６】
一部の実施形態によれば、これらの種類の磁気合金は、矩形ループ形状を用いて高残留磁化を呈するように具体的には加工され、更に、（香り送出を含む）流体送出デバイスのための切り換え使用を簡単に可能にするように、ある特定の磁気保磁力を呈するように加工される。最終的な老化加熱処理温度及び時間は、磁気保磁力（Ｈｃ）が、望ましくは、３０〜３００Ｏｅのある特定の範囲内に、好ましくは、５０〜２００Ｏｅの範囲に、及びより好ましくは、８０〜１３０Ｏｅの範囲にあるように制御されることになる。
【００２７】
他のスピノーダル分解合金、例えば、Ｃｕ−Ｎｉ−ＦｅまたはＣｕ−Ｎｉ−Ｃｏなどがまた、高度に矩形ループ状の磁気合金を取得するために使用されてもよい。高度に単軸方向に変形される延性のある磁気合金もまた、２相構造への事前分解の選択肢を持って、利用されてもよく、例えば、Ｆｅ−Ｎｉ−Ｍｎ、Ｆｅ−Ｍｏ−Ｎｉ、Ｆｅ−Ｃｒ−Ｍｏ合金などは、単軸の塑性変形後、５０〜１５０ＯｅのＨｃ値を提供することができる。
【００２８】
以下の嵌合磁気材料である、図１（Ａ）〜１（Ｌ）における高透磁率材料は、軟磁石とすることができる（例えば、重量％で８０％Ｎｉ〜２０％Ｆｅもしくは４５％Ｎｉ〜５５％Ｆｅを有する、例えば、Ｐｅｒｍａｌｌｏｙ、またはケイ素鋼、または類似の軟磁性特性を有する他の合金）、半硬磁石（例えば、Ｆｅ−Ｃｒ、Ｆｅ−Ｎｉ、及び他の磁気合金）、または永久磁石（例えば、Ｆｅ−Ｃｒ−Ｃｏ、バイカロイ（Ｖｉｃａｌｌｏｙ）、Ｓｍ−Ｃｏ被覆片持ちばり）。図１では、４５％Ｎｉ〜５５％Ｆｅ合金の軟磁性合金が利用される。
【００２９】
図面を参照すると、図１は、（Ａ）内部機械的バネを用いる残留磁化バルブ、及び（Ｂ）移動可能な磁気ロッド構成要素の圧力に基づく分離を利用して、香りまたはガスの浸透を可能にするガス流バネを用いる残留磁化バルブを概略的に示す。図１（Ａ）に例解される、内部機械的バネを用いる残留磁化バルブの場合、閉じた状態（１１６）において、上の磁化されたラッチ可能なピン１０４は、下の高透磁率材料１１０に対してパチッとはまり、封止を生成すると同時に、前にスイッチを開いたままにしたわずかな力に打ち勝つ。スイッチを開くために、ピンは、（例えば、徐々に減少する磁場を伴うソレノイドの６０Ｈｚの消磁周期を使用することによって、または磁場の除去後、磁化状態の反動をゼロの近くにすることができる反対の磁場を印加することによって、）消磁される。図１（Ａ）における内部バネは、上部磁気ロッド（または磁気ピン）を上に押し戻すことによって、分離を助ける。
【００３０】
図１（Ｂ）に例解されるように、圧力に基づく分離を利用するガス流バネを用いる残留磁化バルブの場合、閉じた状態において、磁化されたラッチ可能なピンが、高透磁率材料に対してパチッとはまり、封止を生成する。開くために、ピンが消磁され、ガス圧力バネが分離を助ける。この図１（Ｂ）の切り換え構造の固有の性質は、機械的バネが使用されず、その代わりに、（香り放出及び送出のためにいずれにしても必要である）上向きのガス流が、ガスの送出を続けるための所望の持続期間にわたって磁気スイッチを開いたままにする揚力として同時に利用される。デバイス構造は、このため、図１（Ａ）の構造と比べてより有利かつ単純であるが、後者は、一定の設計及び適用のために依然として有用である。
【００３１】
図１（Ｃ）は、前鼻腔経路送出による薬剤吸収のために鼻孔の近くもしくは内側にガス、蒸気、霧、粉末、または浮遊物の形態で薬剤をラッチ可能に放出するためのデバイス／システムの追加的な適用を例解する。図１（Ａ）におけるものと同様に、磁化されたピンが高透磁率材料に対して封止する、受動的に閉じられた状態にあるスイッチは、貫通孔をブロックして、投与されるべき薬剤の流れを止める。「開いた（ＯＰＥＮ）」状態において、ラッチ可能な磁気ピンは、徐々に減少する磁場または（周囲のソレノイド（複数可）からの）一定の反対の磁場強度のいずれかによって消磁され、高透磁率材料から離れ、このため、薬剤霧または蒸気流のための貫通孔をあらわにする。
【００３２】
ガス流を制御することに加えて、小型化された残留磁化バルブがまた、制御された薬剤放出のために、手持ち式、静止した、または装着可能な構成で、使用されてもよく、その場合、ガス状態、蒸気状態、または霧状態の薬剤分量が、スケジュール通りにまたは制御ソフトウェアによってプログラムされるように、患者（または顧客）に投与される。ハードウェア接続型作動のみならず無線起動が可能である。デバイスの端部は、好ましくは、霧、蒸気／ガス、または浮遊薬剤の放出される量を最大限に方向付けて利用するように、（病院の患者用の酸素ガス供給装置と同様に）鼻孔の中に突出するエンドチューブ区分が存在するように構成することができる。
【００３３】
図１（Ｄ）は、開いた状態にあるときにピンの周りの流体の流れを許可するための非円筒形内部ピンガイドの使用を例解する。このガイドは、三角形として描写されるが、長方形、五角形、六角形等であってもよい。封止は、ラッチ可能なピン及び高透磁率リングからの２つの研磨された表面を嵌合することによって達成される。代わりに、より密な封止を促進することが必要である場合、薄型の適合封止をピンとリングの間に配置することができる。一部の実施形態では、内部ピンガイド及び外部ケースの周りの間隙が、（断面図で見られるときに）放射状に対称的であってもよい。かかる対称性の１つの利点は、筐体の周りの流れの均等な通過を可能にすることである。
【００３４】
種々の方法が、消磁後にリング及びピンを分離するために使用されてもよい。図１（Ｅ）は、ピンを押す片持ちバネを用いて分離を達成する。バネ特性は、具体的には、ピンとリングの間の引力が、片持ちばりのバネ力に打ち勝つときの磁化後の封止、及びバネ力が打ち勝ち、重力のまたはわずかな引力が残っているときの消磁後の分離を可能にするように選ばれる。
【００３５】
代わりに、図１（Ｆ）では、残留磁化バルブが、圧力に基づく分離を利用する。閉じた状態において、磁化されたラッチ可能なピンは、高透磁率材料に対してパチッとはまり、封止を生成する。開くために、ピンが消磁され、流体圧力が、分離を助ける。この図１（Ｆ）の切り換え構造の固有の性質は、機械的バネが使用されず、その代わりに、（流体の放出及び送出のためにいずれにしても必要である）上向きの流体の流れが、流体の送出を続けるために所望の持続期間にわたって磁気スイッチを開いたままにするための分離力として同時に利用されることである。デバイス構造は、このため、図１（Ｅ）の構造と比べてより有利かつ単純であるが、後者は、一定の設計及び適用のために依然として有用である。
【００３６】
別のバネのない構成が、図１（Ｇ）に描写され、それは、移動可能なピンの重力を利用して、ピンとリングの分離を生じさせる。この設計は、同様に、分離のためにバネを必要としないことが便利であるが、重力は、消磁後にラッチ可能なピンを分離するように必ず作用するので、狭い範囲のバルブ配向に限定される。そのように、重力に支援される設計は、固定位置用途、例えば、卓上または壁などに基づく放出により適している。図１（Ｈ）は、非円筒形ピン−ガイド及び磁化／消磁ソレノイドを組み合わせることによって、図１（Ａ）〜（Ｇ）の残留磁化バルブ概念を更に簡易化及び小型化する。図面は、三角形ソレノイド構成を表現するが、クロスプレーン（ｃｒｏｓｓ−ｐｌａｎｅ）ピン位置決めを維持するあらゆる非円筒形形状が、同様に機能する。バルブのための開放及び閉鎖機構は、前の図面に説明されるようなものである。ピンガイド及びソレノイドを組み合わせる１つの他の利点は、効率の観点から生じる。ピンのより近くにソレノイドの壁を配置することによって、磁場強度は、磁化及び消磁の間に同じパワーレベル分だけ増大する。
【００３７】
図１（Ａ）〜（Ｈ）に描写される単一ソレノイド構成に加えて、各ソレノイドが図１（Ｉ）に描写されるように別個に担当する二重ソレノイド構成が使用されてもよい。高透磁率プレートまたはリングに最も近いコイルは、活性化後にピンを磁化し、バルブを閉じて、それは、次いで、ピン材料の残留磁化に起因して閉じたままになる。第２のソレノイドは、反対の方向において横の距離に起因するより小さな大きさを有する磁場を作り出し、それによって、バルブを開いて、ピンにおける残留磁化を相殺する。この構成は、ピンが第２のコイルの中心に向かって移動するので、消磁の間にバルブを強制的に開放するという付加利益を有する。他の（バネ、圧力、重力の）放出機構は、したがって、二重コイル構成のために必要でない。１つの有利な態様では、磁化／消磁のための二重ソレノイドの使用が、給電回路を簡易化することによって、ハードウェアの節約を可能にし、また、バルブの開放及び閉鎖の両方のために電磁力を使用することによって、寿命及び信頼性を上げ得る。一部の実施形態では、材料の磁気ヒステリシスを考慮して、複数の磁化−消磁周期（例えば、６０Ｈｚ周波数）が、場を徐々に減少する手法で、迅速に適用されて、バルブの開放及び閉鎖を精密に制御してもよい。
【００３８】
図１（Ｊ）は、所望の香りのするまたは香りのないガス／霧／液体の便利な放出のための磁気的にラッチ可能なスイッチの２次元アレイを例解する。一部の実施形態では、所望の選択された香りまたは他の流体の便利な発生及び放出のための磁気的にラッチ可能なスイッチの２次元アレイが使用されてもよい。配合のために使用される２４個の香り原料を含有する容器の３×８のアレイ例が説明される。所望の香り原料（複数可）が、任意の所望のまたはプログラムされた組み合わせで制御可能に選択されてもよい。閉じた状態において、磁化されたラッチ可能なピンが、Ｐｅｒｍａｌｌｏｙプレート（サイズが適合する穴またはロッド）に対してパチッとはまり、（事によると、介在性エラストマーまたは他の種類の材料を用いて）密封を生成する。開くために、選択されたピンが消磁され、圧力、機械的バネ、または重力が、分離を支援する。円筒形ピンが、非円形（矩形、三角形、または他の）ピンガイドによって所定位置に保持され、このため、ピンが、Ｐｅｒｍａｌｌｏｙに対する封止から押し戻されるときに、ピンの縁の周りの一部のガス流を許可する。香りのするガスの発生及び流れの放出のために、ガス流が、任意選択的に、残留磁化スイッチアレイに隣接して位置する取り外し可能／取り換え可能なカートリッジを通して押し込まれ、次いで、装填されたガスが、逆止バルブを通って香り出口へと送出される。アレイ（例えば、１０×１０または８×２０等）内に位置付けられたバルブは、互換性のあるソフトウェアを用いて、無線または配線による信号によって、プログラム可能に及び選択的に（ただ１つのバルブのみ、または任意選択的に、（例えば、香りのする及び／または香りのないガスを含む流体の組み合わせ及び配合のために同時に起動される２つ以上のバルブを）作動することができ、その結果、特定のデバイスが磁化または消磁され、流体の流れが開始または停止される。単一のバルブが、個々の流体送出のために起動されてもよいし、または複数のバルブが、香り原料の配合／結合のために同時にまたは協同して起動されてもよい。
【００３９】
図１（Ｋ）を参照すると、一部の実施形態はまた、香りのするガス（複数可）または香りのないガス／霧／液体を含む、所望の流体の便利な放出のための磁気的にラッチ可能なスイッチの２次元アレイを含む。それぞれ、液体、半固体、または固体状態にある４つの香り原料のうちの１つを含有する、２×２の容器のアレイ例が説明される。所望のまたは選択された香り（複数可）が、図１（Ｋ）の切取図に示されるように制御可能に放出されてもよい。閉じた状態において、磁化されたラッチ可能なピンが、Ｐｅｒｍａｌｌｏｙプレート（サイズが適合する穴またはロッド）に対してパチッとはまり、ラッチ可能な磁性ロッドと対応するＰｅｒｍａｌｌｏｙプレート穴（またはロッド）の間に適合材料を圧縮して、密封を生成する。開くために、選択されたピンが消磁され、プレートを通るガス圧力が、分離を助ける。円筒形ピンが、非円形（矩形、三角形、または他の）ピンガイドによって所定位置に保持され、このため、ピンが、Ｐｅｒｍａｌｌｏｙに対する封止から押し戻されるときに、一部のガスが、ピンの縁の周りに流れることを許可する。香りの放出のために、ガス流が、任意選択的に、（図１（Ｋ）の構成の場合において磁気ピンの上方に位置付けられた）残留磁化スイッチアレイに隣接して位置する香り原料容器（「香りカートリッジ」）のアレイを含む取り外し可能／取り換え可能なカートリッジを通して押し込まれ、次いで、香りのするガスが、逆止バルブを通って香り出口へと送出される。アレイ（例えば、１０×１０または８×２０等）内に位置付けられたバルブは、互換性のあるソフトウェアを用いて、無線信号または配線による信号によって、プログラム可能に及び選択的に（ただ１つのバルブのみ、または任意選択的に、香りのするガスを発生するために同時に起動される２つ以上のバルブ）作動され得、その結果、特定のデバイスが磁化または消磁され、ガス流が、開始または停止される。香り発生は、適切なソフトウェアを用いる任意の通信または媒体デバイスからの、例えば、携帯電話、ＴＶ用リモコン、ラップトップコンピュータ、ＶＡＲデバイス、または任意のインターネット接続型もしくは無線デバイスからの、無線信号または有線信号によって、プログラム可能に作動することができる。かかるポータブルまたは手持ち式香り放出デバイスは、任意選択的に、最大数百までの出来合いの香りを保持することができる。単一バルブが、個々の香り送出のために起動されてもよいし、または複数のバルブが、原料の配合／結合のために同時にまたは協同して起動されてもよい。
【００４０】
製造の間の時間を浪費する及び複雑な巻き付け手順を回避するために、小型化されたバルブアレイは、非円筒形ピン−ガイド内に残留磁化ピンを囲む、基材上に位置する図１（Ｌ）にあるような平坦な螺旋形ソレノイドを利用してもよい。下部のソレノイドは、ソレノイドコイルへの電気接続として二重に機能することによって、高透磁率貫通孔に対してバルブの近くに場を作り出す。バルブは、ピンにおける残留磁化を取り除くために反対方向に方向付けられた、ただし減少されたＤＣ場、減少するＡＣ場、または図１（Ｉ）におけるような二重コイル構成を形成するためのピンの後部における任意選択的な第２のソレノイドを用いて、開放されてもよい。基材アレイが、潜在的に数百または数千のバルブが並列に作り出される、普通のリソグラフ及びエッチングプロセスを用いて並列に製造されてもよい。香り原料を含むカートリッジは、選択的な起動のためにバルブアレイに隣接して位置してもよい。単一バルブが、個々の香り送出のために起動されてもよいし、または複数のバルブが、原料の配合／結合のために同時にまたは協同して起動されてもよい。
【００４１】
香り送出システムの最適化及び実現可能な産業用途のために、ｉ）サイズの小型化、ｉｉ）動作の高速な切り換え速度、及びｉｉｉ）低電力使用量が、考慮される必要もある重要なパラメータである。
【００４２】
流れ調節機構の小型化が、既存の携帯電話、タブレット、仮想現実感ヘッドマウントディスプレイ、テレビ、ラップトップ、コンピュータ、装着可能技術等の中に組み込まれ得るかまたはそれに取り付けられ得る香り送出デバイスを構築するために有用である。香り原料を制御するための個々の流れ調節機構の数は、例えば、少なくとも１０、より高い可能性では、少なくとも１００、及び更により高い可能性では、少なくとも１０００であり得る。したがって、本明細書に説明されるように香り放出を調節する残留磁化バルブは、小型化された寸法、すなわち、望ましくは４ｍｍよりも少ない、好ましくは２ｍｍよりも少ない、及び更により好ましくは１ｍｍよりも少ない直径と、望ましくは１０ｍｍよりも少ない、好ましくは５ｍｍよりも少ない、及び更により好ましくは２ｍｍよりも少ない長さと、望ましくは２００ｍｇよりも少ない、好ましくは２５ｍｇよりも少ない、及び更により好ましくは５ｍｇよりも少ない重さを有し得る。
【００４３】
流れ調節機構の開放及び閉鎖の両方のときの高速な切り換えが、視覚的に表示されるコンテンツ、広告、ゲームプレー、音声、メッセージング等に対して香り放出を敏速に同期するために、本香り送出デバイスに有用である。高速な切り換えはまた、香り容器の時間を合わされるオン−オフ活性化によって、精密な比率での香り原料の配合に有用である。ユーザの鼻空間の近接に位置付けられた香りカートリッジの場合には、香り活性化から最終的な鼻空間の中への放出までの持続期間は、例えば、望ましくは５００ミリ秒よりも少なく、好ましくは２００ミリ秒よりも少なく、更により好ましくは１００ミリ秒よりも少ない。したがって、本明細書に説明される実施形態に従って香り放出を調節する残留磁化バルブは、１００ミリ秒よりも少ない、好ましくは１０ミリ秒よりも少ない、更により好ましくは１ミリ秒よりも少ない閉鎖及び開放の両方のためのスイッチング速度を有する。
【００４４】
流れ調節機構の低電力及びエネルギー消費は、バッテリ、例えば、携帯電話、タブレット、ラップトップ、仮想現実感デバイス、または類似のものなどによって電力付与され得る香り送出デバイスを構築するために有用である。マルチメディア体験のために香り送出デバイスを使用する過程に起こり得る個々の切り換え事象の数は、例えば、毎分少なくとも１０、より高い可能性では毎分少なくとも５０、及び配合の場合において更により高い可能性では毎分少なくとも２５０であり得る。したがって、本文書に従って香り放出を調節する残留磁化バルブは、最小限の電力及びエネルギー消費、すなわち、望ましくは２．５Ｗよりも少ない、好ましくは５００ｍＷよりも少ない、及び更により好ましくは１００ｍＷよりも少ない切り換え電力、ならびに望ましくは２５０ｍＪよりも少ない、好ましくは５ｍＪよりも少ない、及び更により好ましくは０．１ｍＪよりも少ないスイッチ毎に必要とされるエネルギーとなる。
【００４５】
小型化されたサイズ、動作の高速度、及び低電力要件は、発明に従って、切換可能な香り保管及び送出デバイスが、例えば、オンラインショッピングまたはビデオゲームをするためのいくらかの香りの簡単な放出のために、コンピュータ、ノートパッド、または携帯電話の中に単純にプラグ接続され得るＵＳＢデバイス（またはＵＳＢに接続可能な関連したデバイス）の中に、コンパクトかつ簡単に使用可能であることを可能にする。
【００４６】
デバイス実施例
【００４７】
開示される実施形態及び技法の様々な態様は、以下の実施例における実施へと変形されている。
【００４８】
実施例１−香り送出デバイスの原型が、キャンプファイア、草、レモン、香料、ベビーパウダー、及び新しいリネンのアロマの６つの香りの電子的に活性化される選択的な送出のために構築されている。デバイスは、６つの磁気的にラッチ可能な切り換え構造を備え、それぞれ、加圧デバイスと結合され、香り材料源を含有する個々別々の原料容器とそれらの出口において結合されている。それぞれの磁気的にラッチ可能な切り換え構造は、電子的に活性化されるガス流を許可し、それによって、容器からのガスの通過及び香りのするガスの最終的な送出を許可する。デバイスを取り囲むソレノイドを通る電流は、磁気ピンを磁化または消磁するように機能し得、それは、香りのするガスのための経路を開くかまたは閉じる。デバイスは、手持ち式とすることができるか、またはユーザの首からぶら下げることができる。活性化は、コンピュータへのデバイスのＵＳＢ接続によって制御される。香りの活性化後、電子信号は、１つ以上の選択されたラッチ可能なスイッチを起動して、香りのするガスの流れを開始する。容器を出た後、香り原料及び空気の混合物が、次いで、可撓性チューブを経て、ユーザの耳の近くに留められたヘッドセットへと輸送され、それは、任意選択的に、香りをユーザの鼻空間の中に放出する位置的に調節可能なアーマチュアを通して、ＶＲヘッドマウントディスプレイと併せて使用されてもよい。香り送出は、３００ミリ秒以内に達成される。ヘッドセットを装着している人間は、スイッチオンコマンドによって電子的に活性化されるときに、キャンプファイア、草、レモン、香料、ベビーパウダー、または新しいリネンの放出された香りのそれぞれを明確に感じ、区別する。香り放出動作は、少なくとも２０回繰り返し、再現可能な結果を伴った。
【００４９】
実施例２−は、風船ガム、オレンジ、アップルシナモン、または香料のアロマを送出するための４つの香り容量を備える香り送出デバイスである。デバイスは、８つのミニチュアサイズの磁気的にラッチ可能な切り換え構造を備え、それらのうちの４つが、香り材料源を保持する４つの香り原料容器の入口と結合され、一方で、他の４つの切り換え構造が、４つの香り原料容器の出口と結合され、出口は、自由空気の中に放出する。それぞれの磁気的にラッチ可能な切り換え構造は、磁気ピン及び台座構造の間の空気とバネの分離を通して電子的に活性化されるガス流を許可する。磁気合金ピンは、矩形ヒステリシスループを有するように加熱処理され、少なくとも０．９０の飽和磁化に対する残留磁化の比率が、ソレノイドを通る電流がピンを磁化または消磁するように機能し得るようなピンを取り囲む銅ソレノイドによって制御される。原料容器カートリッジは、個々の出来合いの香り材料を収容するデバイス活性化は、コンピュータへのＵＳＢ接続によって制御される。香り活性化後、電子信号は、１つ以上の香り容器の入口及び出口の両方においてバルブを開放して、空気流及び香り蒸気流を開始する。香り送出は、５００ミリ秒以内に達成され、送出される香りは、風船ガム、オレンジ、アップルシナモン、及び香料のアロマを含む。デバイスの３０センチメートル以内に位置する人間の鼻は、その放出の瞬間に放出された香りのそれぞれを明確に感じて、区別することができる。この香り付け動作は、少なくとも５０回繰り返し、人間の嗅覚によって再現可能な検出を伴った。
【００５０】
実施例３−は、Ｏｃｕｌｕｓ  Ｒｉｆｔ、ＨＴＣ  Ｖｉｖｅ、Ｓｏｎｙ  ＰｌａｙＳｔａｔｉｏｎ  ＶＲ、Ｓａｍｓｕｎｇ  Ｇｅａｒ  ＶＲ、Ｇｏｏｇｌｅ  Ｃａｒｄｂｏａｒｄ、または同様のものからのものを含む、市販のＶＲヘッドセットへの取り付けのための香り送出デバイスである。香り放出デバイスの場合、８つの磁気的にラッチ可能な切り換え構造を８つの香り容器の取り外し可能／取り換え可能なカートリッジと結合した。それぞれの磁気的にラッチ可能な切り換え構造は、磁気ピン及び台座構造の間の電子的に活性化されるガス流分離を（バネなしで）許可する。磁気合金ピンは、少なくとも０．９０の飽和磁化に対する残留磁化の比率で、矩形ヒステリシスループを有するように加熱処理される。ピンは、非円筒形プラスチックガイド内に含まれ、その周りに、２つのソレノイドは、電流がピンを磁化して及びバルブを閉鎖するように機能し得るか、またはピンを消磁するように機能し得るように、ピンに対応して巻かれている。原料容器は、個々の出来合いのまたは化学成分の香り材料を収容する。全てのデバイス構成要素は、単一筐体の中に組立てられ、それは、ＶＲ／ＡＲヘッドセットの前面下側に中心に実装した。香り放出デバイスの電子活性化は、ＵＳＢ接続によって制御及び電力付与される。香り活性化後、電子信号が、空気流を活性化して開始し、また任意選択的に、香り原料容器の入口における磁気逆止バルブを通す。ＶＲ／ＡＲヘッドセットの前面下側に位置付けられた鼻部分を通る香り送出は、１００ミリ秒以内に達成され、送出される香りは、とりわけ、血液、雨林、及び恐竜の息のアロマを含む。開示される香り放出デバイスを装備した、仮想現実感（ＶＲ）ギアを彼の頭の上に装着している人間は、対応する視覚ＶＲコンテンツと同期して放出された香りのそれぞれを明確に感じて、区別した。
【００５１】
受動的なガス放出のための磁気逆止バルブ構成及び方法の実施例
【００５２】
機能的なガス送出デバイスの場合、原料が使用中ではないときに原料容器を適切に封止することが重要である。これは、容器の入口及び出口の両方に残留磁化バルブを置くことによって、達成することが可能である。しかしながら、システムは、出口バルブを逆止バルブと取り換えることによって簡易化され、それは、関連付けられた入口残留磁化バルブが開放されるときにのみ開放する。そうすることで、バルブに必要な制御回路の数を半分にすることが、生産を簡易化し、内蔵型逆止バルブを有する可処分／再利用可能なカートリッジを可能にし得る。その内蔵型逆止バルブは、内蔵型構成要素として残留磁化バルブと共に実現可能ではないことが多い。
【００５３】
図２（Ａ）は、単一タブによってリングの上面に取り付けられた磁気的に感受性のあるフラップと嵌合する磁気リングから成る逆止バルブを概略的に描写する。このバルブについてのクラッキング圧力は、単純に、フラップ及びリングの間の磁気引力と釣り合うガス圧力である。対になった残留磁化バルブが開放されて、流れ及び高圧力が隣接の逆止バルブに到達することを許可するとき、バルブは、タブ付きヒンジにおいて曲がって開き、香りが容器から逃げることを許可する。残留磁化バルブを閉鎖した後、圧力が再び降下し、磁気引力が再び圧力差を圧倒し、逆止バルブを閉鎖して、容器を封止する。磁力及び圧力の釣り合いは、材料、磁気リングの寸法、フラップの寸法、及び封止インサートを経由するフラップとリングの間の距離を変更することによって、実質的に調節されてもよい。任意選択的に、フラップ及びリング表面は、香りの蓄積／汚染を防ぐもしくは最小限にする疎水性及び／または疎油性材料／組織あるいは滑らかな金属／セラミック層の成膜及びめっきで被覆することができる。
【００５４】
同様に、図２（Ｂ）は、リングの上面に単一タブによって取り付けられた磁気的に感受性のあるリングと嵌合する磁性フラップから成る逆止バルブを概略的に描写する。このバルブのためのクラッキング圧力は、単純に、フラップ及びリングの間の磁気引力と釣り合うガス圧力である。対になった残留磁化バルブが開放され、流れ及び高圧力が隣接の逆止バルブに到達することを許可するときに、バルブは、タブ付きヒンジにおいて曲がって開き、香りが容器から逃げることを許可する。残留磁化バルブを閉鎖した後、圧力が再び降下し、磁気引力が再び圧力差を圧倒し、逆止バルブを閉鎖して、容器を封止する。磁力及び圧力の釣り合いは、材料、磁気リングの寸法、フラップの寸法、及び封止インサートを経由するフラップとリングの間の距離を変更することによって、実質的に調節されてもよい。フラップ及びリング表面は、香りの蓄積／汚染を防ぐもしくは最小限にする疎水性及び／または疎油性材料／組織あるいは滑らかな金属／セラミック層堆積物及びめっきで被覆することができる。
【００５５】
磁化されたリングまたはフラップのいずれかを用いる磁気逆止バルブのアレイにおいて、バルブの開放は、図２（Ｃ）に示されるように裏側圧力上昇に完全に依存する。圧倒的な裏側圧力を伴うバルブのみが開放され、残りは、それらのそれぞれの容器を封止し続ける。逆止バルブアレイは、十分に位置付けられた貫通孔及び（単一ヒンジタブを除いて）打ち抜かれた周辺部と共に磁化され、適合した、及び磁気的に感受性のある材料の連続層を単純に適用することによって、まとめて製造されてもよい。任意選択的に、フラップ及びリング表面は、香りの蓄積／汚染を防ぐもしくは最小限にする疎水性及び／または疎油性材料／組織あるいは滑らかな金属／セラミック層堆積物及びめっきで被覆することができる。
【００５６】
図２（Ｃ）に描写されるスケーラブルな逆止バルブアレイの実施形態では、開放は、フラップ及び磁化されたリングの間の磁気引力に打ち勝つ圧力によって達成される。逆止バルブ活性化は、受動的であり、それゆえ、能動的バルブ、例えば、残留磁化バルブなどと対にされ得、逆止バルブのアレイにおける単一バルブを選択的に開放する。任意選択的に、フラップ及びリング表面は、香りの蓄積／汚染を防ぐもしくは最小限にする疎水性及び／または疎油性材料／組織あるいは滑らかな金属／セラミック層堆積物及びめっきで被覆することができる。
【００５７】
流体産出物及び流体化合物の組み合わせの実施例
【００５８】
多くの出来合いの（事前に調製された）香気、または（それとも「香り」と称される）フレーバー物質は、目下開示される実施形態を組み込むデバイスのユーザに（配合せずに）送出するために保管することができるが、無限数の香りがまた、（臭気発生化学物質を組み込む）基礎化学物質原料を配合することによる調合法（及び他の命令）に従って、オンデマンド式に、迅速に生成及び発生され得、香り化合物（「コンパウンディング」と称される前述の機能）を生成する。一部の実施形態によれば、原料は、液体、半固体、または固体状態で保管されてもよく、香りがアロマを発する化学物質、添加剤、及び他の化学物質を含む場合において、例として、限定されるものではないが、以下を含む。
【００５９】
アセタニゾール、コンミフォラ・エリスラエア（Ｃｏｍｍｉｐｈｏｒａ  ｅｒｙｔｈｒａｅａ）抽出物、オクタナールジメチルアセタール、メチル−４−フェニル−２−ブチルイソブチレート、エチルブチルアセテート、ヘプタナールジメチルアセタール、ヘキシルイソバレレート、ヘキシル２−メチルブチレート、スチレン、ベンゾニトリル、ベンジルアルコール、ベンズアルデヒド、アルファ、アルファ−ジメチルフェネチルアルコール、アルファ、アルファ−ジメチルフェネチルブチレート、３−へキセニル２−メチルブタノエート、アルファ−メチルシンナムアルデヒド、メチルフェニルアセテート、フェニルアセトアルデヒドジメチルアセタール、フェニルアセトアルデヒドエチレングリコールアセタール、１−（メチルチオ）−１−プロペン、ジフェニルメタン、ジフェニルエーテル、アルファ−アミルシンナミルアルコール、アルファ−ヘキシルシンナムアルデヒド、ｐ−トリルフェニルアセテート、エチルフェニルアセテート、イソブチルフェニルアセテート、ベンジルフェニルアセテート、アニシルフェニルアセテート、イソアミルフェニルアセテート、フェネチルフェニルアセテート、トリエタノールアミン、（トリ−）アセチン、ベンジルオクタノエート、２−メチル−４−フェニル−２−ブタノール、ジ−（２−エチルヘキシル）アジパート、エチルシンナメート、ベンジルシンナメート、油、ジャスミン、茉莉花（Ｊａｓｍｉｎｕｍ  ｓａｍｂａｃ）、フェネチルイソブチレート、シンナミルアセテート、炭酸、アセトアニリド、ｐ−トリルイソブチレート、メントン、油、ドイツアヤメ（Ｉｒｉｓ  ｇｅｒｍａｎｉｃａ）、ロジニルフェニルアセテート、メチル−２−ブテナール、ペンタノン、ミルテニルアセテート、酪酸、レソルシノール、シクロヘキサノール、フェノール、吉草酸等。
【００６０】
（ガス、蒸気、または液体形態のいずれか１つにおいて一様に）原料の選択された群が、中心配合チャンバに送られて、活性化される配合についてプログラムされた指定された調合に従って、または手動もしくは他の選択によって均質化合物を生成するように、原料は、保管され、選択的に放出される。任意選択的に、複数の配合チャンバが、ユーザ送出のために均質化合物を配合及び混合するように構成されてもよいし、動作上制御されてもよい。
【００６１】
香りのするガスの調製に特に関連して、配合されるべき原料は、溶媒、半固体、または固体状態において所望のもしくは指定された香りまたはフレーバーの必須の原料を含むが、触媒または酵素的化学物質または他の添加剤もまた含む。中心配合チャンバ（複数可）はまた、発生する化学反応のための熱力学的エネルギー障壁（複数可）が、より高い温度または圧力によって打ち勝つ必要がある場合があり得るので、化学反応を可能にするための加熱及び加圧能力を有し得る。また、化学物質原料の反応（及び配合）の動力学は、効率的な及び高速応答性の、香りまたはフレーバー送出システムのために常に十分高速であるとは限らない可能性がある。配合チャンバ内で制御して、香りまたはフレーバーのデジタルコンパウンディングを可能にするまたは増強するための温度範囲は、特定のガス化合物を最適に配合するために決定された最適温度に従って、最大２００℃までの所望の範囲において可変的に設定することができる。制御するためのチャンバ内の圧力範囲は、０．１〜１００気圧、好ましくは０．５〜２０気圧、及び更により好ましくは１〜５気圧の範囲内にある。
【００６２】
図３（Ａ）は、複数の香りを配合するために使用することができる装置３００を描写する。装置は、香り容器のアレイ（３０６）、流れ調節機構（例えば、３０４及び／または３０８）、混合チャンバ３１０、及び加圧チャンバ３０２を含む。アレイ内の各容器は、入口であって、その入口を通って入力ガスが流入する入口と、香り原料を保持するためのチャンバと、出口であって、その出口を通って入力ガス及び香り原料の混合物が流出する出口と、を有してもよい。流れ調節機構は、加圧チャンバからチャンバの入口までのガスの通路を制御する残留磁化バルブ３０４、またはチャンバの出力に位置付けられ、かつ混合チャンバ３１０の中への通路を制御する磁気逆止バルブ３０８のいずれか、あるいはそれらの両方を含んでもよい。一部の実施形態では、真空吸引チャンバ（図３（Ａ）に示されない）が、容器の入口の中にガスを強制的に流すために加圧チャンバ３０２に加えてまたはその代わりに使用されてもよい。
【００６３】
図３（Ａ）に描写されるように、原料の組み合わせは、種々の残留磁化バルブの同時開放によって達成されてもよく、それによって、原料容器を通るまたはその原料容器からの流体の流れ及び送出前の配合チャンバ内の配合を許可する。これは、配合の単なる基礎説明であるが、原料濃度、比率、及び他のパラメータを制御するためのバルブのデューティーサイクルを組み込むことによって、より優れた均質化及び比率及び濃度制御、ならびに（限定された原料と同等に）変形が可能である。より大きな原料数の場合、原料チャンバを中心配合チャンバから離して置くことが、図３（Ｂ）に示されるように必要であり得る。遠隔に置かれた原料は、次いで、組み合わせ及び混合のためにチャネルによって配合チャンバに送出され得る。
【００６４】
図３（Ｃ）及び図３（Ｄ）は、残留磁化バルブのアレイと嵌合する最大１０００個までの個々の原料を含む円板形状カートリッジを用いる高容量デバイス構成をそれぞれ表現する。容器は、バルブ活性化によって選択される。複数の選択は、原料の組み合わせの配合を同時に許可する。簡易化された電子制御のために、単一バルブは、バルブを原料に合致させるようにカートリッジ円板またはバルブ筐体の回転によって容易にされる原料容器の個々の半径を考慮に入れ得る。積み重ね構成及び鏡映構成は、更に拡大せずに、またはことによると円板サイズを削減せずに、より大きな原料数を可能にする。円板は、必要に応じて、取り換えられ得、補充され得、または再利用され得る。原料補給のために、平坦な、円板、リング、または入れ子状のカートリッジが、別個の補充／再装填ユニットの中に着座されてもよい。補充は、加圧された送出または単純な毛管作用によって達成されてもよい。
【００６５】
特に、図３（Ｄ）は、（例えば、円板形状パターンの半径に沿って）類似の容器配置パターンを有する容器アレイが、積み重ね構成（３１４）で互いの頂部上に積み重ねられるか、または１つのアレイが裏返または鏡映され、他のアレイの上方に積み重ねられた鏡映構成（３１６）にある積み重ね構成の例を示す。鏡映構成（３１６）では、２つのアレイからの容器のガス出口は、互いに向き合う。これらの構成は、簡易化された電子制御を可能にし得、その間に、アレイが、バルブを原料に合致させるように回転されてもよい。積み重ね及び鏡映構成は、円板のサイズ（半径）を増加させずに、香り容器のより密なパッキングを可能にする。
【００６６】
同様に、図３（Ｅ）及び図３（Ｆ）は、残留磁化バルブのアレイと嵌合する最大１０００個までの個々の原料を含む円筒形リング容器を有する高容量デバイス構成を表現する。容器は、バルブ活性化によって選択される。複数の選択は、原料の組み合わせの配合を同時に活性化する。原料の数は、それぞれの追加的な内部リングが圧力降下を維持して、圧力差が維持される限り、リングを入れ子にすることによって、増やすことができる。これを達成するために、レベル間の加圧された開放通路は、どのバルブも入れ子状レベルにおいて開放されていない場合でさえも、流れがリングの中へ通過することができるように維持される。図３（Ｄ）の円板型構造に類似して、リングまたはバルブアレイが、所望される場合、使用中のバルブの数を最小限にするように回転されてもよい。
【００６７】
図３（Ｆ）に描写される実施形態では、容器の３つの同心リングが、概ね同心の様式で互いの中に入れ子状にされている。描写された実施形態では、各リング状のアレイについて、筐体リングが、容器アレイを保持する内部リングの外側にあり、その内部リングを支持する。有利には、アレイ状の容器は、このため、それらの出口が概ね中心に向いた状態で配向される。混合チャンバは、意図された適用のために、混合物を収集して、調合法に従って配合された出力を提供するために、チャンバの方に位置する。動作の間に、加圧が、最大直径リングの外部で行われ、入れ子状の第２の最大リングの外部のガス流が、選択された残留磁化バルブの活性化によって達成され、最大直径リング及び結合された容器リングを通る流れを許可する。外部から内部リングまでの香りのない流れのために、香りのする材料を有さない容器と結合されるバルブが、活性化されてもよい。一貫した圧力降下を維持するために、香りのする及び香りのない容器に対してアレイ状にされたバルブが、時間を合わされてもよいし、順序付けられてもよいし、及び反復されてもよい。リングを更に入れ子状にするための後続の遷移は、残留磁化バルブ活性化によって制御されるものと同じ機構、すなわち、香りのするまたは香りのない容器を通る順序付けられ、時間を合わされ、及び反復された流れによって、達成されてもよい。
【００６８】
組み合わされた香りのするまたは香りのない流体に対する種々の原料の満足な配合を達成するために、能動的撹拌が（別個に、または可変的に制御される温度及び圧力と併せて）必要であり得る。電力消費を削減するという利益のために、幾何学的アプローチが、図３（Ｇ）に提示され、その場合、回転性の動きが採用され、構成要素を混合する。万一、斜めの出口ストリームが不十分だと判明された場合、螺旋形インサートまたは類似のものが、配合を強いるまたは支援するために使用されてもよい。
【００６９】
流体放出の強度または濃度の制御及び調節は、種々の適用のために望ましい可能性があり、背景材料（例えば、ガスまたは一部の溶媒）を挿入するために放出された材料の混合における比率を減少させるための機構によって達成することができる。図３（Ｈ）は、内部高透磁率ピンと整列する外部のラッチ可能な磁性によって決定される円弧位置を伴って、流れを種々の比率で分割される／組み合わされるように位置付け可能な内部円弧を有する、残留磁化ラッチによって動作される３方向配合／分割バルブを概略的に説明する。この構成は、ガスまたは溶媒を入れるまたは香り付けたまたは香り付けないチャネルと、そうなでないチャネルとの間の流れを分割するように位置付けられるときに、最終的に再び組み合わされるストリームの流体送出のための強度または濃度制御として効果的に機能しない可能性がある。香り送出の場合において、その機構は、選択された物質の匂いの知覚された強度の可変調節を許可する。ラッチ可能な残留磁化配合／分割バルブは、精密に作り出されたブロッキングウェッジセクタを含む円筒形チャンバによって仲介される３つのチャネルの交差を利用し、そのブロッキングウェッジセクタは、単一チャネルへの入口または単一チャネルからの出口を十分に不明瞭にし得るか、あるいは２つの入口／出口チャネル間の角度において位置付けられ得、特定の比率において流れを分割するかまたは再び組み合わせる。内部円筒形チャンバは、完全に封止されたままであり得るが、依然として、ブロッキングウェッジセクタ内に埋め込まれる高透磁率嵌合部品と磁気的に相互作用するように位置決めされたラッチ可能な残留磁化ピンの円弧の使用を通して制御可能であり得る。ウェッジを位置決めするために、各ラッチ可能なピンの周りに巻き付けられたソレノイドが、ピンを連続して磁化及び消磁して、内部ウェッジを決定された放射状位置に進めるために使用される。一旦その位置に到達すると、磁化された残留ピンは、いかなる追加的な電力も必要とせずに、その位置を受動的に維持する。以前の通り、磁化は、ソレノイドを通るＤＣ電流によって達成され、消磁は、減少するＡＣ場または交互の方向（１つまたは多くのステップ）において減少されるＤＣ場ステップのいずれかによって達成される。バルブ内のブロッキングウェッジの角度を変えることは、影響を受けたチャネルへの／からの流れの比率を制御する。発明に従う香り発生デバイスは、コンパクトな寸法を理由として、非常に多数の原料を取り扱うことができる。開示される香り発生デバイスにおいて多くの異なる種類の香りを混合及び発生するための原料の好適な数は、少なくとも１００、好ましくは少なくとも１，０００、より好ましくは少なくとも５，０００である。
【００７０】
香りコンパウンディングについての組み合わせの流体産出のためのデバイスは、以下の欄に開示される種々の潜在的な実施形態を用いて装着可能な適用のために構成されてもよい。デバイスは、アレイ内の原料容器に対して制御バルブが１対１の適合で実装されてもよいし、またはそれらは、回転性のＸ−ＹまたはＸ−Ｙ−Ｚ行列構成を使用して、個々に、順次に、または同時のいずれかで送出するために香り容器を位置決めしてもよい。位置決めは、例えば、図３（Ｈ）におけるように電気モータまたは交互に配列された残留磁化ピンによって制御されてもよい。
【００７１】
香り送出デバイス構成の実施例
【００７２】
種々様々な香り送出デバイス構成は、多様な適用のための利点を実証し得る。図４（Ａ）は、代替の容器、バルブ、及び加圧構成を示す。加圧は、デバイスの入口または出口のいずれかに位置し得る。残留磁化バルブは、香気原料容器の前、後、または前及び後の両方に現れてもよい。逆止バルブは、容器に取り付けられたデバイスの出口に現れてもよい。潜在的なハードウェア構成のサンプリングが、図４の残りに提供される。図４（Ａ）は、このため、香り送出システムの異なる可能な構成を例解し、それにおいて、一連の加圧、バルブ、及び容器が、そのシステムの意図された適用に従って異なり得る。
【００７３】
便宜上、香り流体放出デバイスは、図４（Ｂ）におけるように構成されてもよく、図４（Ｂ）は、制御された放出のために残留磁化バルブのアレイと嵌合する置き換え可能なカートリッジを概略的に示す。描写されるように、カートリッジは、デバイスに挿入され、かつ物理的なラッチ、摩擦、バネロック、または一部の典型的な機械的手段によって固定されるときに、９５個の容器のそれぞれが、残留バルブアレイの１つのポート及び直接的にユーザの鼻空間に入る１つの出口ポートと整列されるように、例えば、５×１９行列にアレイ状にされた９５個の容器を有してもよい。放出は、次いで、排出するためにカートリッジを押し下げること、フック付きラッチの縁を広げること、手動でカートリッジを引く抜くこと、または一部の他の典型的な排出手段によって達成されてもよい。カートリッジは、取り換えられ、再利用され、補充され、または処分されてもよい。香り送出のためにチャネリングを必要としない本構成では、堆積物蓄積の問題が解消される。放出は、任意の便利な方法、例えば、レーザ、Ｗｉ−Ｆｉ、または他の無線信号、センサ、ヘッドセットへの電気接続、アクチュエータ、ボタン等などによって、活性化及び制御されてもよい。加圧は、内部小型扇、ポンプ、または類似のものによって提供されてもよい。個々の香りのするガスは、単一のバルブ活性化を経て送出されてもよい。逆に、複数の原料の配合は、追加的なバルブの同時のまたはデューティーサイクル化された活性化を経て達成されてもよい。図４（Ｂ）は、このため、利用に従って異なった香り組成または原料を可能にするカートリッジに基づく設計の実施例を例解し、香り送出デバイスは、ＶＡＲヘッドウェアまたはアイウェアの中心に取り付けられ得る。
【００７４】
図４（Ｃ）は、バルブ筐体と嵌合されるカートリッジ及び加圧チャンバからの鼻下用の香り送出の別の構成を示し、全てＶＲまたはＡＲヘッドセットに直接的に実装される。描写されるように、カートリッジは、デバイスに挿入され、かつ物理的なラッチ、摩擦、バネロック、または一部の典型的な機械的手段によって固定されるときに、１２８個の容器のそれぞれが、残留バルブアレイの１つのポート及びユーザの鼻空間に直接的に入る１つの出口ポートと整列されるように、例えば、８×１６行列にアレイ状にされた１２８個の容器を有してもよい。出口ポートは、任意選択的に、拡散制御及び長期使用のために磁気逆止バルブを含んでもよい。カートリッジ放出は、排出するためにカートリッジを押し下げること、フック付きラッチの縁を広げること、手動でカートリッジを引き抜くこと、または一部の他の典型的な排出手段によって達成されてもよい。カートリッジは、取り換えられ、再利用され、補充され、または処分されてもよい。香り送出のためにチャネリングを必要としない本構成では、多くの堆積物蓄積の問題が、解消される。放出は、任意の便利な方法、例えば、無線、ヘッドセットへの電気接続、アクチュエータ、ボタン等などによって活性化及び制御されてもよい。加圧は、内部小型扇、ポンプ、または類似のものによって提供されてもよい。個々の香りのするガスは、単一のバルブ活性化を経て送出されてもよい。逆に、複数の原料の配合は、追加的なバルブの同時のまたはデューティーサイクル化された活性化を経て達成されてもよい。
【００７５】
図４（Ｄ）は、仮想現実感（「ＶＲ」）デバイス、または拡張もしくは複合現実感（「ＡＲ」）デバイス用の香りのするガス送出のための鼻下用のカートリッジ構造の概略図を示す。図面は、任意選択的に、香り保管材料用の専用の区分と、真下に位置し、保管材料を投与される及び保管材料によって供給される）基材を有する別個の区分とに分割された、香り容器を備えるＶＲまたはＡＲヘッドセットを示す。（香りのするまたは香りのないガス発生のために）香り材料及び基材を含有するカートリッジは、補充／取り換え／再利用のために取り外されてもよい。カートリッジは、カートリッジと、香気またはフレーバー基材を含有する容器を含む選択された容器と、を通るガスを駆動する手段を含む隣接構造によって制御される。カートリッジは、単独型の再装填ユニットとのドッキングによって補充されてもよいし、または代わりに、再利用のために送られてもよい。香りのするガスは、カートリッジの内側の選択的に活性化された香りのする基材容器から直接的に鼻空間の中に直接的に放出される。この種の設計では、カートリッジは、香り出口領域の非常に近くに位置付けられ、そのため、香り輸送のための接続チャネルまたは他の幾何学的形状のチューブもしくはチャネルのアレイの使用を省略することができ、それは、デバイスをより単純にかつより安価にさせ、及び後で送出されるべき他の香り（複数可）の質に悪影響を及ぼし得る／その質を落とし得る接続チャネル内部壁表面上のいかなる香り材料堆積物も除去／最小限にする。香り放出の作動は、無線または有線信号方式のいずれか、またはセンサによる活性化によって行うことができる。この後者（センサによって活性化される選択肢）に関して、例えば、ユーザによる嗅ぐことまたは呼吸が、音響センサまたはガス流センサをトリガして、香り放出を開始することができる。個々の香りのするガスは、単一のバルブ活性化を経て送出されてもよい。逆に、複数の原料の配合は、追加的なバルブの同時のまたはデューティーサイクル化された活性化を経て達成されてもよい。図４（Ｃ）では、左上から時計回りに、最初に、香り容器を備えるＶＲ／ＡＲヘッドセットがユーザの鼻孔の真下にある構成が、示される。次に、香りを含有するカートリッジが、示され、補充、取り換え、再利用、または別の目的のためにヘッドセットから取り外し可能である。カートリッジは、単独型の再装填ユニットとのドッキングによって補充されてもよいし（ある例が、図４（Ｃ）の右下挿入図に描写される、または再利用（処分）するために送られてもよい。左下挿入図には、ガス流の隣接制御及び香り選択を考慮した、ヘッドセットの構成が示される。香りは、方向付けられた流れの配管を使用せずに、鼻空間の近くで直接的に放出されてもよい。香り放出の作動は、無線信号方式または有線信号方式によって達成されてもよいし、またはセンサによって活性化されてもよく、例えば、鼻で嗅ぐことまたは鼻からの吸い込みが、音響またはガス流センサをトリガして、香り放出をトリガしてもよい。
【００７６】
図４（Ｅ）は、ＶＡＲデバイスのための中線カートリッジ位置を用いる香り送出の実施例を例解する。香りのするガスは、残留磁化スイッチによって選択される開いた香り容器を用いる取り外し可能／取り換え可能な香りカートリッジを通して、及びユーザの鼻孔の近くの香り拡散器へと導くその専用のチューブまたはチャネルの中にガス流を方向付けることによって生成される。
【００７７】
図４（Ｅ）は、ＶＡＲデバイス用のヘッドセットにおける中線カートリッジ位置を用いる香り送出の図を概略的に例解する。自己充足式香り送出ユニットは、眼鏡またはＶＡＲアイウェアに留められてもよいし、あるいは頭上にもしくは頭の周りに配置された構造上のブレース、ストラップ、または他の支持体を用いて単独で装着されてもよい（４２０）。香りを含有するカートリッジは、再装填または取り換えのために取り外し可能である（４２２）。香りのするガスは、カートリッジから別個のチャネルによって鼻空間へと送出される（４２６）。コントローラ、ポンプ、電源、及びスイッチは全て、コンパクトな設計及び効率的な動作のために内部にあり得る（４２４）。香り放出は、隣接スイッチによって十分に制御可能である。香り放出は、残留磁化スイッチによって選択される開いた香り容器を用いて取り外し可能／取り換え可能な香りカートリッジを通してガス流を押し込むことによって達成され、次いで、香りのするガスは、別個のチャネリングを通してユーザの鼻孔の近くの香り拡散器に送出される。個々の香りのするガスは、単一のバルブ活性化を経て送出されてもよい。逆に、複数の原料の配合は、追加的なバルブの同時のまたはデューティーサイクル化された活性化を経て達成されてもよい。香りのするガスは、ユーザの鼻孔の近くの香り拡散器へと導く専用のチューブまたはチャネルの中への香りのする流れを許可する残留磁化スイッチによって選択される開いた香り容器を用いて取り外し可能／取り換え可能な香りカートリッジを通してガス流を方向付けることによって、生成されてもよい。
【００７８】
ＶＡＲデバイスのための完全にまたは部分的に可処分な香り送出ユニットが、図４（Ｆ）に説明される。香り放出は、可処分／再利用可能なカートリッジ、外向きチャネル、及び鼻孔の近くの拡散器を通してガス流を押し込むことによって達成される（４２８）。香りは、扇、バッテリ、マイクロエレクトロニクス、及びスイッチから成る常設部分における残留磁化スイッチによって選択される。完全に可処分／再利用可能な、自己充足式香り送出部がまた、ＶＡＲデバイスに取り付けられてもよいし、またはＶＡＲデバイスの中に組み込まれて共に使用されてもよいし、または単独で装着されてもよい。常設部分の中に入る取り換え可能な部分を有する部分的に可処分な香り送出デバイスもまた、実施形態構成のうちの１つとすることができる（４３０）。香り送出デバイスの常設部分は、バッテリ、扇、マイクロエレクトロニクス、及びスイッチを含む（４３２）。可処分／再利用可能な部分は、常設部分の中に入れられる香りカートリッジ、外向きチャネル、及び拡散器を含む（４３４）。香り放出は、可処分／再利用可能なカートリッジ、外向きチャネル、及び鼻孔の近くの拡散器を通してガス流を押し込むことによって達成される。香りは、扇、バッテリ、マイクロエレクトロニクス、及びスイッチから成る常設部分における残留磁化スイッチによって選択される。個々の香りのするガスは、単一のバルブ活性化を経て送出されてもよい。逆に、複数の原料の配合は、追加的なバルブの同時のまたはデューティーサイクル化された活性化を経て達成されてもよい。例えば、常設部分４３２に位置する残留磁化スイッチを使用して、本明細書に説明されるバルブの種々の実施形態が、香り送出を制御するために使用されてもよい。
【００７９】
図４（Ｇ）〜（Ｍ）は、種々の場所に実装される／位置付けられるカートリッジまたはカートリッジのアレイを利用する香り原料保管及び送出構造の種々の実施形態を概略的に例解する。
【００８０】
図４（Ｇ）は、ＶＡＲデバイスを用いる使用のための１つ以上の側面実装される取り換え可能／補充可能なカートリッジから自己充足式に制御可能な、または頭への適切な取り付け品を用いて単独で装着可能な香り送出を説明する（４３４）。香り放出は、残留磁化スイッチによって選択される開いた香り容器を用いて、頭の側面に位置する取り外し可能／取り換え可能な香りカートリッジを通してガス流を押し込むことによって達成され、次いで、香りのするガスが、別個のチャネリングを通してユーザの鼻孔の近くの香り拡散器に送出される。ヘッドセット、アイウェア、または他の構成デバイスからの全ての香り放出は、無線信号（例えば、Ｗｉ−Ｆｉなど）または配線による信号によってプログラム可能に作動することができる。制御ソフトウェアは、ハードウェア構成要素内に記憶されてもよいし、または無線信号を通して利用されてもよい。対称的なカートリッジがまた、同じ拡散器の中に導く送出アームを用いて、頭の反対側に位置付けられてもよい。
【００８１】
図４（Ｈ）は、ＶＡＲデバイスを用いる使用のための１つ以上の側面に実装される取り換え可能／補充可能なカートリッジからの自己充足式に制御可能な、または頭及び小さな鼻空間用の拡散器への適切な取り付け品を用いて単独で装着可能な香り送出を説明する（４３６）。香り放出は、残留磁化スイッチによって選択される開いた香り容器を用いて、頭の側面に位置する取り外し可能／取り換え可能な香りカートリッジを通してガス流を押し込むことによって達成され、次いで、香りのするガスが、別個のチャネリングを通してユーザの鼻孔の近くの香り拡散器へと送出される。ヘッドセットまたは他の構成デバイスからの全ての香り放出は、無線信号（例えば、Ｗｉ−Ｆｉなど）または配線による信号によってプログラム可能に作動することができる。制御ソフトウェアは、ハードウェア構成要素内に記憶されてもよいし、または無線信号を通して利用されてもよい。
【００８２】
図４（Ｉ）は、首に実装された取り換え可能／補充可能なカートリッジからの自己充足式に制御可能な香り送出を例解する。香り放出は、ユーザの首から吊り下げられるカートリッジを有する取り外し可能／取り換え可能な香りユニットを通してガス流を、香りに特有のチャネリングを通して上に頭の側面における係留位置へと、次いで、ユーザの鼻孔の近くの香り拡散器へと押し込むことによって達成される。制御機構及び扇／ポンプは、吊り下げられたカートリッジと共に位置する。代替案として、制御機構、扇／ポンプ及び香りカートリッジ（複数可）を含むより大きなユニットが、より多数のまたは長持ちする量の香りを可能にするバックパックとして後方に実装されてもよい。
【００８３】
図４（Ｊ）は、ベルトに実装された取り換え可能／補充可能なカートリッジからの自己充足式に制御可能な香り送出を例解する。構成は、ＶＡＲヘッドセットまたはアイウェアへの取り付け品を用いてまたは用いずに装着及び使用することができる。香り放出は、ユーザのベルトから吊り下げられた取り外し可能／取り換え可能な香りカートリッジを通してガス流を、香りに特有のチャネリングを通して上に頭の側面における係留位置へと、または代わりにそれに経路を定められ、次いで、ユーザの鼻孔の近くの香り拡散器へと押し込むことによって達成される。制御機構及び扇／ポンプは、吊り下げられたカートリッジと共に位置する。
【００８４】
図４（Ｋ）は、腕に実装された取り換え可能／補充可能なカートリッジからの自己充足式に制御可能な香り送出を説明する。香り放出は、ユーザの腕から吊り下げられた取り外し可能／取り換え可能な香りカートリッジを含むユニットを通してガス流を、香りに特有のチャネリングを通して上に頭の側面における係留位置へと、次いで、ユーザの鼻孔の近くの香り拡散器へと押し込むことによって達成される。制御機構及び扇／ポンプは、ユニットと共に位置する。
【００８５】
図４（Ｌ）は、卓上または手持ち式の取り換え可能／補充可能なカートリッジからの自己充足式に制御可能な香り送出を説明する。デバイスは、ＶＲまたはＡＲヘッドセットを用いるまたは用いない使用のために構成することができる。香り放出は、卓上または手持ち式ユニット内の取り外し可能／取り換え可能な香りカートリッジを通してガス流を、香りに特有のチャネリングを通して上に頭の側面における係留位置へと、次いで、ユーザの鼻孔の近くの香り拡散器へと押し込むことによって達成される。制御機構及び扇／ポンプは、香りカートリッジと共に位置する。
【００８６】
図４（Ｍ）は、大きな香り容量（すなわち、数千もの専用の香り）を有する大きな中心ユニットからの自己充足式に制御可能な香り送出を説明する。デバイスは、ＶＡＲデバイスを用いるまたは用いない使用のために（例えば、テレビまたはデスクトップコンピュータモニタの通常の視聴のために）構成することができる。香り放出は、大きな中心ユニット内の香りカートリッジを通してガス流を、香りに特有のチャネリングを通して上に頭の側面における係留位置へと、次いで、ユーザの鼻孔の近くの香り拡散器へと押し込むことによって達成される。制御機構及び扇／ポンプは、大容量の専用の香りを有する大きな中心ユニット内に位置する。
【００８７】
図４（Ｇ）〜（Ｍ）において、香り放出は、残留磁化スイッチによって選択される開いた香り容器を用いて便利に位置する取り外し可能／取り換え可能な香りカートリッジを通してガス流を押し込み、次いで、香りのするガスを別個のチャネリングを通してユーザの鼻孔の近くの香り拡散器へと送出することによって達成される。ヘッドセットまたは他の構成デバイスからの全ての香り放出は、無線または配線による信号によってプログラム可能に作動することができる。制御ソフトウェアは、ハードウェア構成要素内に記憶されてもよいし、または無線信号もしくはセンサを通して利用されてもよい。対称的なカートリッジがまた、同じ拡散器の中に導く送出アームを用いて、頭の反対側に位置付けられてもよい。制御機構及び扇／ポンプは、吊り下げられたカートリッジユニット共に位置してもよいし、またはヘッドセットまたはアイウェアと共に係留されてもよい。個々の香りのするガスは、単一のバルブ活性化を経て送出されてもよい。逆に、複数の原料の配合は、追加的なバルブの同時のまたはデューティーサイクル化された活性化を経て達成されてもよい。
【００８８】
図４（Ｎ）は、二重または三重の香り拡散器出力を用いる３次元香り送出例を示す。方向性の香りのために、香り組成及び濃度が変わる二重または三重の香りストリームの採用が、香り（元及び他の場所）の知覚の精密な制御を可能にする。鼻空間の中への送出は、完全に分離されたチャネリングを経てもよいし、または分離された出力と組み合わされたもしくは束ねられたチャネルを経てもよい。
【００８９】
図４（Ｎ）は、３次元環境に適用可能な方向性の香り送出のための２つの潜在的な構成を描写する。香り組成が変わる二重香りストリームの採用は、香りの知覚の精密な制御を可能にする。鼻空間の中への送出は、完全に分離されたチャネリングを経てもよいし、または分離された出力と組み合わされたもしくは束ねられたチャネルを経てもよい。例えば、一部の実施形態では、以下のように、第１のチャネル（「左のチャネル」）が、香りの送出のために使用されてもよく、第２のチャネル（「右のチャネル」）が、対応する二重の香りの送出のために使用されてもよい。出力において、第１の出力チャネルの外へ送出される流体は、左のチャネル及び右のチャネルの組み合わせであってもよいし、同様に第２の出力チャネルはまた、方向または空間的な香り体験をユーザに提供するために送出システムによって制御される割合で、左及び右のチャネルの組み合わせとして送出される香りを有してもよい。前の構成のように、香りの選択は、残留磁化バルブ活性化によって達成される。香りの濃度は、加圧レベル、デューティーサイクル、温度、及び／または配合によって動的に変動させてもよい。個々の香りのするガスは、単一のバルブ活性化を経て送出されてもよい。逆に、複数の原料の配合は、追加的なバルブの同時のまたはデューティーサイクル化された活性化を経て達成されてもよい。
【００９０】
制御される送出（例えば、香り送出）のマルチメディア適用において、鼻空間拡散器への音声マイクロホンの組み込みは、音声及び香り機能の組み合せを提供するためのデバイスへの有用な追加である。図４（Ｏ）に概略的に描写されるように、ユーザの鼻孔の下に位置する香り送出デバイスの潜在的な一実施形態は、使用の間の音声捕捉及び相互作用のために内蔵マイクロホンを有する。香り放出の隣接場所及び口によって作り出された聴覚信号は、この場合において単一アーマチュアによって便利に収容される。他の実施形態は、二重アーマチュアまたは単一中心接続によってヘッドセットに接続されてもよい。聴覚信号はまた、自動化またはプログラムされた香り活性化を選択的に、自動的に、またはプログラム通りにトリガするために使用されてもよいし、及びその逆もまた同様である。発話認識機構がまた、採用されてもよい。追加的に、キーワード／フレーズの対及び／または音（限定せずに、呼吸の音を含む）の動力学を香り対応物の放出とプログラム可能に調整させるソフトウェアが実現され得る。
【００９１】
図４（Ｐ）は、香り放出のための有線デスクトップ構成の概略図を示す。隣接コンピュータからの信号は、有線接続によって香り放出デバイスへと運ばれ、コマンドで香り放出を開始する。コンピュータまたは放出デバイスは、所望の香り（複数可）をプログラム可能に放出する制御ソフトウェアを含む。放出は、調節可能な出口ポートまたは拡散器によって対象空間に方向付けられてもよい。香り放出のための有線接続は、デスクトップ適用を越えて種々の他の適用、例えば、ブリック＆モルタルショッピング体験、生の娯楽、遠隔会議等に拡張することができる。
【００９２】
同様に、図４（Ｑ）は、無線接続されたデスクトップ香り放出構成を描写する。図面に示されるように、香り放出作動及び管理は、隣接コンピュータからの有線信号によってもしくは隣接コンピュータからの無線信号によって、またはローカル無線制御と組み合わせて無線信号もしくは携帯電話信号を通して制御することができる。コンピュータまたは放出デバイスは、所望の香り（複数可）をプログラム可能に放出する制御ソフトウェアを含む。放出を開始する制御ソフトウェアは、持続期間及び周波数及び放出の強度を維持し、香り放出の終了、ならびに種々のデバイスを接続／調整するソフトウェアは、開示される技術の一部の態様である。ソフトウェアはまた、画像、音響、香り、及び／もしくは他の感覚要素、またはコンテンツの要素、例えば、物語、行動、キャラクター、照明、音楽、音響、運動、（伝統的な映画またはアニメの場合における）カット及びディゾルブ、（ＶＲの場合における）場面間の移送、タイミング、順序付け、繰返し、ユーザプライミングに関する設定等の調整を含む、マルチメディアディスプレイを同期するために利用することができる。香り放出は、方向付けられた拡散器によって、あるいは拡散器を用いてもしくは用いずに可撓性香りのするチャネリングまたはチャネルを通して、行われてもよい。香り放出のための有線及び無線接続は、デスクトップ適用を越えて種々の他の適用、例えば、オンラインショッピング、ＶＡＲ体験または娯楽、遠隔会議、ＰＰＣバナーまたは他の種類のオンライン広告、装着可能な適用、例えば、衣服または宝石類など、広告キオスクまたはディスプレイ等に拡張することができる。個々の香りのするガスは、単一のバルブ活性化を経て送出されてもよい。逆に、複数の原料の配合は、追加的なバルブの同時のまたはデューティーサイクル化された活性化を経て達成されてもよい。
【００９３】
一部の実施形態では、近くのコンピュータ、または伝送センサ、例えば、ビーコンなどからの無線信号が、香り放出デバイスに通信されて、コマンドで香り発生及び放出を開始する。コンピュータまたは放出デバイスは、発明したデバイスの統合部分であり、かつ一定の様式で所望の香り（複数可）を選択、発生、及び能動的に放出するようにプログラムされた制御ソフトウェアを含む。放出は、調節可能な出口ポートまたは拡散器によって対象空間へと方向付けられてもよい。香り放出のための無線接続は、デスクトップ使用ならびにブリック＆モルタル店舗内ディスプレイ、または店頭または製品ショッピング、遠隔会議等のような適用を含む。デバイスはまた、装着可能な適用、例えば、首の周りに装着され、かつユーザの鼻空間に向かってある角度に曲げられるデバイスなどのために小型化することができる。
【００９４】
図４（Ｒ）は、ユニットとしてフレキシブルな寸法及び配置を用いる可動性または固定された香り送出デバイスを例解する。ユニットは、人工壁の中に置かれ得、大きな床面に基づく単独型ユニット、より小さな卓上着座型ユニット、または他の寸法のフレキシブルな構成として位置する。ユニットは、統合型ユーザインターフェースまたは任意の有線もしくは無線使用可能な媒体デバイスへの外部接続を有してもよい。香りは、補充またはカートリッジの取り換え／再利用によって補給されてもよい。香り放出は、空気流を香りに特有のチャネリングを通してユニット内に位置する香り容器を通して、ユーザの鼻空間に調節可能にねらいを定められる方向付けられた香り拡散器に押し込むことによって達成される。制御機構及び扇／ポンプは、大容量の専用の香りと共にユニット内に位置する。デバイスは、可動性ユニットとしてまたは固定ユニットとして構築されてもよい。形態、形状、及び配置は、フレキシブルである。個々の香りのするガスは、単一のバルブ活性化を経て送出されてもよい。逆に、複数の原料の配合は、追加的なバルブの同時のまたはデューティーサイクル化された活性化を経て達成されてもよい。
【００９５】
図４（Ｓ）は、着脱可能、取り換え可能、または補充可能なカートリッジを用いる手持ち式デバイスから自己充足式に制御可能な香り送出を概略的に例解する。香り放出は、ガス流を、好ましくは、残留磁化スイッチによって選択される香り容器を有する手持ち式の上部部分に位置する取り外し可能／取り換え可能な香りカートリッジを通して、押し込むことによって達成され、香りのするガスは、別個のチャネリングを通してデバイスの端部における香り拡散器へと送出される。手持ち式の物理的に分離されたデバイス（本明細書における表現「手持ち式」は、指に保持されるもの、または裸の人間もしくは動物の体の任意の部位に装着されるものを含む）からのかかる独立した自己充足式に制御可能な香り送出は、ユニット自体上の１つ以上のボタンを押すことによって、または無線信号、携帯電話信号、磁気信号、光学信号、レーザ信号、音響／振動信号、もしくは任意のコードレス遠隔信号、または保持者もしくはデバイスを保持していない別の人間によって作動されるセンサによって、作動することができる。かかる独立した香り送出デバイスまたはそれらのアレイはまた、遠隔の場所に、例えば、卓上もしくは壁上などに配置することができるか、または別のデバイスもしくは固定物に取り付けることができ、及び無線もしくは他の遠隔信号方式を使用して、近くもしくは遠隔に位置する操作者によって作動することができる。追加的な機能のために、図４（Ｕ）は、カメラを組み込み、そのカメラを用いて、手持ち式デバイスは、任意選択的に、製品を特定して、指定された香りをトリガすることができる。デバイスは、有線もしくは無線で、任意のデジタル／無線、電子機器、プロジェクタ、ＶＡＲ、または生の媒体にプログラム可能に同期することができる。いずれの構成においても、個々の香りのするガスは、単一のバルブ活性化を経て送出されてもよい。逆に、複数の原料の配合は、追加的なバルブの同時のまたはデューティーサイクル化された活性化を経て達成されてもよい。
【００９６】
前のデバイス構成のいずれも、任意選択的に、図４（Ｔ）におけるように便利に位置する拡散器を用いるフレーバー／味の送出を含むことができる。本明細書に開示される香りデバイスは、飲食の間にユーザにフレーバー付きガスを送出するように活性化されてもよく、味の知覚を増強、調整、または修正する。香りデバイスはまた、ユーザが、物理的にまたは模擬的な様式（ＶＲ、ＡＲホログラフィック、または複合現実感活動）で、食べているかまたは飲んでいる間に、あるいは食品もしくは飲料または味と関連付けられた他の物体のための買い物をしている間に、フレーバー付きガスを送出するように活性化されてもよい。組み込まれたカメラを用いて、手持ち式デバイスは、任意選択的に、製品を特定して、指定された香りをトリガすることができる。デバイスは、有線または無線で、任意のデジタル／無線、電子機器、投影機、または生の媒体にプログラム可能に同期することができる。
【００９７】
湿度レベルは、香り送出デバイスからの香り産出の質、快適さ、または感覚に直接的に影響を及ぼし得るので、図４（Ｖ）は、多気候動作用の香り送出パラメータを標準化するためにデバイスの吸気ポートにおける除湿器の包含を概略的に例解する。かかる除湿器は、組み合わされてもよいし、あるいは炭素フィルタもしくは他のガス浄化フィルタの後または前に配置されてもよい。かかる除湿器は、常に活性化されてもよいし、手動で活性化されてもよいし、またはセンサによって活性化されてもよい。フレーバー／味の分配は、便利に位置する拡散器分散機構に組み込まれてもよい。
【００９８】
図４（Ｗ）は、本明細書に説明される種々の掃除機構のいずれかと併せて使用される排気機構を概略的に描写する（図５を参照）。必要に応じて、香り送出デバイスは、代替の出口バルブを必要としてもよく、それを通して、掃除からのあらゆる廃棄物質が定期的に排出されてもよい。デバイス出力の近くに追加的な２重残留磁化バルブを含むことは、掃除の間及び直後にユーザの鼻空間から流れを離してそらすことを可能にする。湿度レベルは、香りまたは他の流体送出デバイスからの流体産出の質に直接的に影響を及ぼし得るので、任意選択的に、除湿器が、デバイスの吸気ポートにおいて含まれてもよい。かかる除湿器は、常に活性化され、手動で活性化され、またはセンサによって活性化されてもよい。
【００９９】
流体送出チャネル構成の実施例
【０１００】
流体送出チャネルの内部上の堆積物の蓄積は、複数の流れチャネリングの利用を防止し、かつ高容量デバイスに必要な材料全体を増加するかなりの限定である。壁上のかかる堆積はまた、いくらかの香りを作り出し得、後に入る香りを汚染し、このため、後の時間に同じチャネルを通って送られる他の香りのする流体の嗅覚演出の清浄度及び質に影響を与える。図５（Ａ）〜（Ｇ）は、単一チャネルを下って連続的または同時に複数の原料または材料を送出するためのチャネル堆積物の掃除手順の種々の実施形態を表す。熱的、化学的、及び電磁／機械的アプローチが開示される。
【０１０１】
図５（Ａ）は、香りの交差汚染を防止するように種々の香りのするまたは香りのない流体の送出のための束ねられた香りに特有の送出チャネルの概略図を示し、香り容器から送出される各香りは、いずれの他の香りとも共有されない単一の特定のチューブまたはチャネルを有する。個々別々のチューブまたはチャネルのかかるアセンブリは、より大きな全径を必要とし、それは、一部の適用に受け入れ可能であり、かつ多くの異なる香り（例えば、１０を超える異なる香り）を必要とし得る一部の他の適用には望ましくない可能性があり、かさばることではなくてコンパクトさ、例えば、ユーザによって装着される軽量ヘッドセットまたはアイウェアなどを好む可能性がある。交差汚染の類の流体を防止するために、その流体材料を搭載した容器から送出される各流体は、いずれの他の流体とも共有されない単一の特定のチューブを有する。
【０１０２】
図５（Ｂ）は、異なる時間に異なる香りを送出するために使用することができる非多孔性残留物に耐性のある単一チャネルを概略的に描写する。単一残留物に耐性のあるチャネルを使用することは、デバイス全体のサイズの削減を可能にする。この目的のために、チャネル内部は、例えば、疎水性及び／または疎油性内部コーティング、滑らかな金属／セラミック層堆積物及びめっき（好ましくは、不活性材料）または香り蓄積及び汚染を防止するまたは最小限にする他の堆積物に耐性のある材料で被覆され得る。この実施形態では、単一チャネルが、香りの交差汚染を防止するかまたは最小限にしながら、ある期間にわたって多くの香りのするまたは香りのない流体を送出することができる。一部の実施形態では、単一残留物に耐性のある流体送出チューブまたはチャネルが、送出チャネルの内面上に堆積物を伴わずに、多くの個々の異なる香りのするまたは香りのない流体の連続式の放出及び送出に適応することができ、それによって、流体の交差汚染を防止する。単一の流体送出チャネルは、デバイスのサイズ全体を著しく減らすことができる。チューブ（または、他の幾何学的形状のチャネル）の内部は、香り蓄積／汚染を防止するまたは最小限にする疎水性及び／もしくは疎油性材料／組織または滑らかな金属／セラミック層堆積物及びめっきで被覆され得る。
【０１０３】
図５（Ｃ）は、抵抗加熱による内部コーティングの堆積物の掃除を描写する。伝導性ライナが、送出チャネルの内部上に堆積される（または、例えば、分解によって後に除去される中心要素の周りに作り出される）。内部ライナを通して電流を通過させることは、次いで、内面を抵抗加熱して、あらゆる表面堆積物を破壊または分解するために使用される。蓄積を最小限にするために最初の内部研磨または適切なコーティングと組み合わせて、抵抗加熱が、前の流れ材料のチャネルを効果的にきれいにすることができ、最小限の汚染で異なる材料が連続してチャネルを通過することを可能にする。チャネリングの内壁上の金属ライナは、単純に、プラスチック（例えば、ＰＴＦＥまたは類似のまたは他の可撓性）チャネリングに挿入される薄壁可撓性金属チャネリングとすることができる。金属チャネリングインサートは、継ぎ目のないチャネリングとすることができるか、またはチャネリングの形態にある不完全に閉じられた、曲げられた、または柔軟な金属シートとすることができる。代わりに、金属ライナは、例えば、スパッタリング、蒸発、電気めっきもしくは無電解めっき、または化学蒸着によって達成される、チャネリングの内壁上に薄く堆積された金属とすることができる。電流抵抗加熱に望ましい金属は、高電気抵抗率合金、例えば、（例えば、８０％のＮｉ及び２０％のＣｒでできた）ニクロム合金などでできている。
【０１０４】
図５（Ｄ）は、誘導加熱による内部コーティングの堆積物の掃除を描写する。伝導性磁気ライナは、送出チャネルの内部上に堆積かまたは挿入される（または、例えば、分解によって、後に除去される中心要素の周りに作り出される）。内部ライナは、次いで、高周波数ＡＣ信号によって活性化されるときに、巻き付いているソレノイドによって誘導加熱されてもよい。ＡＣまたはＲＦ場を使用する誘導結合された加熱の場合、好適なライナ材料は、金属または合金、好ましくは強磁性合金、例えば、鋼、ケイ素鋼、もしくはＰｅｒｍａｌｌｏｙなどとすることができる。かかる磁気合金ライナは、スパッタリング、蒸発、電気めっき、無電解めっき、または化学蒸着によって挿入または堆積された単純な金属チャネリングとすることができる。内部ライナ金属箔の好適な厚さは、１〜１，０００μｍ、好ましくは５〜１００μｍの範囲にあり得る。下限厚さは、薄箔の取り扱いが、困難になり過ぎないまたは慎重を要し過ぎないことを確実にするような、かつまた磁気誘導による十分で高速な加熱を確保するようなものとなる。上限は、デバイスのコンパクトさの目的のためのもの、ならびに十分な電気抵抗が、電気抵抗加熱についてより薄い寸法の箔で得られることを確保するようなものとなる。物理蒸着、化学蒸着、電気化学堆積、または無電解堆積による薄膜コーティングの場合において、所望の厚さは、０．２〜５０μｍ、好ましくは０．５〜５μｍの範囲にあり得る。
【０１０５】
図５（Ｅ）におけるように、複数の流れチャネルの化学パージングが、単独でまたは別の堆積物掃除技法と組み合わせて使用されてもよい。香りのするまたは香りのない流体の流れに露出されるときに、綺麗な複数の流れチャネルは、例えば、表面欠陥における表面もしくは機械的制限を伴う分子結合またはファンデルワールス力などの要因に起因して、堆積物の蓄積を体験する。例えば、アセトンまたは他の化学的蒸気を用いる、定期的な、別個の化学パージは、この内部蓄積層を分解して、同じ種類または異なった組成のいずれかの材料の連続的な流れのために準備された綺麗な複数の流れチャネルを回復させる。化学パージング剤の流れ及び方向は、本明細書に開示されるように、残留磁化バルブのために選択されてもよいし、残留磁化バルブによって制御されてもよい。化学パージを用いる周期的な掃除は、おそらく、他のリスト化された選択肢と協力して、複数の流れチャネルにおける堆積物の蓄積の自動化された掃除のための１つの実現可能な方策である。
【０１０６】
熱的及び化学的方法に加えて、内部堆積物は、図５（Ｆ）におけるような運動学的手段によって取り扱われてもよく、その図は、ガス流を経る間にチャネルを電磁的に震わせることによる堆積物の掃除を示す。本明細書に説明される熱的、化学的、及び運動学的方法が、個々にまたは組み合わせて使用されてもよいことに留意されたい。開示されるように、多層チャネルが、剛性外部チャネルから成り得、そのチャネルは、ソレノイド巻線と、長さ方向にかつ内部チャネルの外側に沿って放射状に交互に配列された磁石を伴う緩んだ可撓性内部チャネルと、を支持する。ソレノイドを通るＡＣ信号による磁場の生成に露出されるときに、チャネルを震わせることは、チャネル内部から堆積された分子または原子の除去に物理的に寄与することができる。チャネルを通る流れと組み合わせて、それが高強度振動を経るように、堆積物が、他の流れ材料のための準備においてチャネルから排出されてもよい。ＡＣ信号は、内部磁石に取り付けられたチューブの十分に激しい震えを作り出し、堆積物の蓄積を緩和させる。複数の流れチューブを通る香りのないガス流と組み合わせる、香り送出の場合において、定期的な震えが、香りの交差汚染を制限し得る。
【０１０７】
図５（Ｇ）は、システム構成要素を掃除するための事前または断続的な加熱機構を概略的に描写する。香りストリームと相互作用する香り送出システムの加圧チャンバ（複数可）、バルブ、容器（複数可）、及び任意の他のチャンバのうちの１つもしくは組み合わせの不定期の包括的なまたは断続的な内部掃除は、香り送出デバイスの吸入における加熱機構の組み込みによって達成されてもよい。デバイスの全てまたは一部分を通る十分に加熱するガス流は、デバイス全体にわたるいかなる堆積物の蓄積をも除去するように機能するが、特に、（例えば、複数の流れチャネルによって）既に能動的に掃除されていない部分に有用である。異なった組成を有する流体ストリーム（例えば、個々別々の香りのするガスを有する複数のストリームなど）が相互作用する流体送出システムの加圧チャンバ（複数可）、バルブ、容器（複数可）、及び任意の他のチャンバの１つもしくはその組み合わせの不定期の包括的なまたは断続的な内部掃除は、吸入における加熱機構の組み込みによって達成されてもよい。典型的な適用では、この掃除ハードウェア及び方法は、図４（Ｗ）におけるように、放出の前に排気バルブと対にされている。
【０１０８】
ナノ泡、ナノ霧、及び香りのするガスの発生のためのデバイス及び方法の実施例
【０１０９】
前鼻腔経路薬剤送出、脂溶性または水溶性医薬品の鼻腔内投与は、薬剤吸収の容易さのために人気を得ている。例えば、皮下注射針の使用を怖がる一部の子供のために、または医薬品を注入するための静脈内アクセスが困難である患者のために、前鼻腔経路薬剤送出が、便利な代替の経路である。口に基づく呼吸経路がまた、場合によっては、鼻腔内経路（吹送）と組み合わせて利用されてもよい。前鼻腔経路薬剤送出は、鼻孔チャネルの体腔内への蒸気、霧、ガス、または粉末の吸い込みによって達成される。例えば、喘息もしくは気腫などの肺疾患の治療用の多くの呼吸用薬剤、またはアレルギー疾患用の一部の医薬品が、前鼻腔経路を通して送出される。一部の快楽を得るための薬剤または幻覚剤もまた、この手法で送出される。
【０１１０】
留意すべき重要な態様の１つは、前鼻腔経路薬剤送出が、多くの場合、通常、経口投与よりも高い生物学的利用能をもって、経口投与される医薬品送出よりもかなり高速な薬剤効果の発現を誘発することである。この生物学的利用能は、副鼻腔（ｓｉｎｕｓ  ｃａｖｉｔｙ）及び門脈循環バイパスの粘膜に存在する軟組織を通る血流の中への薬剤分子の急速吸収によってもたらされる。一部の薬剤は、吸収のより高い率を有し得るので、このため、この経路を通る小さな服用量においてより効果的である。一部の特定の薬剤は、それらが、体循環のために消化管によって吸収される前に肝臓によって代謝される必要があるような手法で製造されており、かかる薬剤は、前鼻腔経路によって投与されるべきではない。
【０１１１】
留意すべき別の重要な態様は、鼻を通る医薬品の前鼻腔経路または鼻腔内経路投与が、一定の薬剤及び分子が、嗅覚上皮及び神経周囲の鞘を通る拡散によってまたは嗅覚及び三叉神経に沿う逆行性軸索輸送によって、血液−脳−関門（ＢＢＢ）をバイパスすることを可能にし得ることである。後者のプロセスは、おそらく、分子のエンドサイトーシス、すなわち、疎水性形質または細胞膜を通過することができない大きな有極分子を飲み込み、吸収する人体細胞を暗示する。例えば、アルツハイマー疾患（ＡＤ）の治療などのための、多くの薬剤は、ＢＢＢ疾患が原因で脳神経細胞によって効果的に吸収されることができない。前鼻腔経路薬剤送出は、このため、脳が、脳に拡散する嗅球（匂い情報を鼻から脳へと伝送する神経構造）において高濃度の薬剤にアクセスすることを可能にするように、かかる医薬品を人体に送出する便利な代替の方法とすることができる。
【０１１２】
本文書に開示される香り送出機構及び技術はまた、上記に説明される前鼻腔経路を通る効率的な及びうまく制御され薬剤送出のために利用することができる。本文書における香り送出機構を使用する薬剤送出は、（直径がミクロンよりも小さく一様に分配される）霧液滴、蒸気、ガス、もしくは粉末、または他の浮遊物の形態で薬剤を投与することができる。効率的な香り送出のための利点に加えて、より効率的な薬剤吸収のための霧、または好ましくはナノ寸法の霧の形成が、開示される実施形態の一部の有利な使用である。
【０１１３】
図６（Ａ）は、任意選択的に、磁気粒子活性化を用いる、香気原料保持のための被覆されたまたは中空多孔性マイクロ／ナノ粒子を描写し、すなわち、被覆されたマイクロまたはナノ粒子が、香り送出のために必要な体積に対する高表面積の比率を可能にする。中空多孔性粒子への移動は、高表面積の利点を保持しながら、より長い作用持続期間を可能にする。磁気内部粒子の包含は、交流電磁場への露出による活性化された放出が、磁気粒子を撹拌することを許可する。磁気粒子は、粒子内部内の交流場によって加速及び減速されるので、香り分子に付与される運動量は、物質温度を上げるのに役立ち、ナノ多孔性またはマイクロ多孔性表面を通る蒸発のみならず、孔から香り材料を排出することを駆り立てる。
【０１１４】
図６（Ｂ）は、汚染または酸化が生じ得る長期適用に有用な、別個の区分に分割された容器の断面を概略的に例解する。この設計において、液体原料貯蔵器は、隣接の香り基材を定期的または継続的に補給するように含まれる。液体チャンバからの移送は、毛管作用、加圧、または類似のことによって達成されてもよい。描写されるように、３つの移送チャネルは、液体が貯蔵器から高表面積の香り基材へと流れることを可能にする。追加的なチャネリングが、基材を十分に供給するために追加されてもよい。
【０１１５】
図６（Ｃ）は、長期適用に有用な、分割された容器の断面を概略的に例解する。この設計において、液体香り原料貯蔵器は、多孔性の、中空、分岐チャネリングから成る隣接の香り基材を定期的または継続的に補給するように含まれる。小さなまたは大きなチャネリング上への孔の包含は、液体原料ベースの高表面積露出を可能にする。液体チャンバからの移送は、毛管作用、加圧、または類似のことによって達成されてもよい。描写されるように、３つのレベルの分岐が、基材にわたって液体を分配する。追加的な分岐の一組、レベル、角度、拡張等が、それが入口からチャンバを通って出口へと流れる際に、香り基材の表面積を最大の香りの空気（または他のガス）へと増大するように採用されてもよい。
【０１１６】
図６（Ｄ）は、液滴が、空気または他のガスの横の流れに分散される、出口面に疎水性／疎油性／オムニフォビック（ｏｍｎｉｐｈｏｂｉｃ）コーティングを有するパターン化プレートを通る流体の加圧分配によってマイクロスケール／ナノスケール液滴を分散するためのデバイスを概略的に示す。疎水性／疎油性／オムニフォビックコーティングの使用は、一部の実施形態に従って、霧発生または蒸気泡発生構造からの霧液滴または蒸気泡の放出をかなり容易に増強する。パターン化プレートは、任意の便利な製造技法、例えば、ＡＡＯ（陽極酸化アルミニウム）自己集合の後にエッチング、フォトリソグラフィ、ナノインプリンティング等を使用して、マイクロスケールまたはナノスケール孔と共に作り出されてもよい。表面張力が、孔を通る非加圧流体（例えば、薬剤）漏出を防止し、プレートの後部上の表面コーティング／処理は、表面湿潤性が、放出の後に貯蔵器を空にすることを防止する。霧状化を達成するために、圧力が、（手動または機械支援のいずれかで）プランジャによって流体貯蔵器に印加され、液体の小さいストリーム／液滴を、パターン化プレートを通して、横の空気／ガス流の中へと強いる。液滴サイズは、プレート孔の寸法もしくは幾何学的形状を変えることによって及び／または横の流れの速度を変更することによって、制御されてもよい。ナノもしくはマイクロ寸法のメッシュまたは孔構造の使用は、より小さな、サブマイクロまたはナノ泡及び霧を発生するために有用である。代わりに、表面構造、例えば、粗いまたはパターン化されたまたは溝付きまたは穴付きまたはテクスチャ加工されたまたはワイヤメッシュ表面などの単独利用が、より小さな泡を発生させるために採用することができ、テクスチャ加工されたまたは粗い表面の寸法は、好ましくは１０μｍよりも少ない、より好ましくは１μｍよりも少ない、更により好ましくは０．１μｍよりも少ない幅、穴サイズ、またはフィラメント間隔になる。かかる表面構造は、表面の上への事前作製したナノワイヤ、ナノメッシュ層、ナノ粉末層、もしくは膜材料の表面ナノワイヤ、または物理的な取り付け具のための、機械的砂吹き、リソグラフィカルパターニング、化学または電気化学エッチパターニング、表面陽極酸化、ＲＦテクスチャリング（ｔｅｘｔｕｒｉｎｇ）によって誘発することができる。落下分離が、抵抗加熱、誘導加熱、または触媒作用表面の使用によって促進されてもよい。
【０１１７】
ナノもしくはマイクロ寸法のメッシュまたは孔構造または粗い表面の３Ｄまたは２Ｄ表面構造の両方が、任意選択的に、泡／霧形成を更に加速するために、例えば、抵抗加熱のための電流によって加熱されてもよい。金属構造が、抵抗加熱を行うためのセラミック構造に好適である。加熱の程度は、泡形成の速度を能動的に高めるのに関係する液体の沸騰温度を超えてもよいし、または泡形成の動力学を単純に増強するように沸騰温度を幾分下回ってもよい。
【０１１８】
霧発生の別の実施形態が、図６（Ｅ）に描写され、その図は、３次元メッシュを経てマイクロスケール／ナノスケール液滴を分散するためのデバイスを説明し、周囲の圧電性材料への機械的接続によって震動される疎水性／疎油性／オムニフォビック表面が、高周波数範囲において活性化される。疎水性、疎油性、もしくはオムニフォビックコーティングまたは表面処理を伴うマイクロスケールまたはナノスケールメッシュは、散在流体内のナノスケール泡及び空洞の形成を促進する。周囲の要素の圧電性活性化によるメッシュの高周波数振動は、貯蔵器上方の横の流れへの液滴排出をもたらす。貯蔵器の表面にメッシュを置くことは、液体を効率的に霧状にし、液滴サイズは、メッシュの周波数及びスケールによって影響を及ぼされる。図（Ｅ）の実施形態では、落下分離が、抵抗加熱、誘導加熱、または触媒表面の使用によって促進されてもよい。
【０１１９】
霧状化とは対照的な蒸発について、図６（Ｆ）は、蒸気が、液体閉じ込めチャンバを通って流れる際の、長さ方向がナノスケールのフィラメントによって別個の保持されるマイクロ泡／ナノ泡による流体の連続的な吸い上げのためのデバイスを概略的に例解する。ＡＡＯ自己集合及びエッチングまたは類似のプロセスによって作り出されるような、ナノスケールまたはマイクロスケール孔を有する２つのパターン化されたプレートが、液体を含むために、ただし容器を通るガス流を許可するために利用される。マイクロまたはナノ泡は、貯蔵器を通して誘導され、フィラメントの長さ方向のアレイによって別個に保たれる。一部の実施形態では、マイクロスケールまたはナノスケールフィラメントは、任意選択的に、好ましくは１００度を超える、より好ましくは１３０度を超える液滴接触角を伴う、疎水性、疎油性、またはオムニフォビックな表面処理を用いて、誘導する。泡サイズを最小限にすること及び量を最大限にすることは、体積に対する高表面積の比率、及び香りのするまたは装填された蒸気の結果として生じるストリームへの流体の最適な蒸発を結果としてもたらす。
【０１２０】
十分に固化される、高濃度適用について、図６（Ｇ）は、長寿命及び小型化を可能にする、香り原料に特有の、固体または半固体の、相互に接続し合う、及び非多孔性の媒体を概略的に描写する。代替のガス（窒素、アルゴン等）が、酸化を制限するために、または嗅覚演出または印象を変えるために採用されてもよい。香り原料の蒸発が、より高い温度への露出によって加速されてもよい。フィラメント上の疎水性、疎油性、またはオムニフォビック表面を促進するのに有用であり得る処理は、アレイは、泡形成を更に促進し得る。
【０１２１】
快適さまたは増強された香り体験のためのデバイス、特徴、及び方法の実施例
【０１２２】
いくつかの可能な適用では、本文書の香りデバイスが、媒体の同時発生提示と関連するにせよ、または他のやり方と関連するにせよ、長期間の使用のために意図される。この観点から、人間（または、使用のために必要に応じて、動物）の生物学的及び神経的構成を考慮して、香り送出が、長い持続期間にわたって快適に提示され得ることを確保することが重要である。例えば、持続期間が変動する香りのするガスの個々または順次の提示が、可変ガス濃度から成り、分子原料が、考慮に入れられる必要がある。使用の快適さ及び快楽論もまた、ユーザ体験が、実現可能である、望ましい、または最適化される場合、考慮に入れられる必要がある。
【０１２３】
更に、ユーザへの香り送出は、媒体を用いてまたは用いずに体験を最適化するのに役立ち得、あるいは媒体を用いてまたは用いずに新たなもしくは他の所望のユーザ感覚及び反応をもたらすために使用され得る。香りの提示は、可読形式、別個に画像もしくは音響または視聴覚形式、触感媒体（例えば、触覚）、味覚媒体（例えば、食品）、または任意の他の種類または組み合わせの媒体であろうと、音響もしくは音楽を伴ってもよいし、または他の媒体と同期もしくは対にされてもよい。他の感覚、ブロードキャスト、または通信媒体と関連させて匂いの感覚を提示するときに、人間感覚間の通様相性効果は、体験及び知覚を増強または修正することができる。例えば、本または映画形式で提示されようが、物語の劇的な要素は、適切に選択された香りの提示によって、強調または色付けされ得る。音楽的なライトモチーフが、映画のサウンドトラックにおいて使用され得るのとほとんど同じに、香りのライトモチーフは、映画（またはビデオゲーム）の場面においてまたはその場面間の放出のためにプログラムされ得、前の行動または物語の要素を聞き手に思い出させることができる。現実的なキャラクター、またはアバターが、それらの個々の匂いと関連付けられ得る。通様相性相互作用の更なる例として、治療の適用では、わずかな味覚を有し得る慢性的または末期的な病気の患者が、味覚を増すように特別に設計された香り（及びフレーバー）の送出を通じて食べることを誘発され得、彼または彼女が食べているある特定の食品の快楽性を改善する。
【０１２４】
ＶＡＲ適用に特に関して、匂いの感覚は、全面没入（すなわち、遠隔環境における現実感及び存在の完全な感覚）を体験するのに必要とされた重要な感覚的特徴である。しかしながら、付随する適切な現実的な動力学を伴わない香りのその場限りの提示が、その人工的な導入の脳の不調和な自覚をトリガするのに反対の影響を及ぼし得、それによって、存在の感覚を抑制する。例えば、物体の性質またはユーザからのその視覚的に知覚された距離のいずれかを仮定して、仮想物体の匂いが、不適切な強度を用いずにユーザに提示され得るか、またはユーザによって体験され得、それによって、現実の幻想を消滅させる。
【０１２５】
追加的に、ユーザの呼吸（吸気または吸気のパターン）に対して送出を監視及び同期することができるシステムは、不必要な香り送出を減らすことができ、それによって、香りデバイスの効率を上げ、香りデバイスまたはカートリッジ内での（香り原料の量の）使用の費用を低くする。他の生物学的センサは、香り送出を調節して、ユーザの快適さを適応させること、あるいはユーザ体験、または彼／彼女が体験している生の、２Ｄ、３ＤもしくはＶＡＲ媒体の知覚されたコンテンツを強調または修正することができる。
【０１２６】
ユーザの体験を増強、調整、修正、または最適化するためのデバイスの実施形態の特徴は、以下を含み得る。
【０１２７】
図７（Ａ）は、湿気を香りのするガス送出の中に導入するためのまたは代わりに加湿された（香りのない）ガスをユーザの鼻空間に直接的に送出するための出力前の香り送出デバイスへの加湿器の包含を概略的に描写する。かかる加湿器は、デバイス使用の間に常に活性化されてもよいし、あるいはセンサもしくはプログラミングによって選択的または自動的に活性化されてもよい。鼻空間（例えば、ユーザの鼻のみならずユーザの唇の内側または上皮）を加湿することは、炎症を回避するのに及びユーザの快適さを最大限にするのに重要であり、あるいは、それはまた、送出される香り、あるいは香り送出に付随するかもしくは同期される媒体の種類、特徴、または質のユーザ印象を修正または増強するために使用されてもよい。実施形態は、唇または鼻孔の不愉快なひび割れが、香り送出デバイスの長い使用持続期間から回避されるのに有用であり得る。加湿器は、任意選択的に、香り出力の前に含まれてもよい。かかる加湿器は、常に活性化され、手動で活性化され、またはセンサによって活性化されてもよい。
【０１２８】
図７（Ｂ）は、香りのするガスの温度を上げるための送出チャネルの傍らの加熱ユニットの包含を概略的に描写する。かかる加熱機構は、抵抗または誘導加熱を使用して、センサまたはプログラミングによって、選択的または自動的に活性化されてもよい。加熱機構は、ユーザの快適さのために外部の冷たい環境において、デバイス吸気を加熱するために使用してもよいし、あるいは、その代わりに、送出される香り、あるいは香り送出に付随するもしくは同期される媒体の種類、特徴、または質のユーザ印象を修正または増強するために、あらゆる外部環境において使用してもよい。
【０１２９】
図７（Ｃ）は、香りのするガスの温度を冷却するための送出チャネルの傍らの熱電冷却ユニットの包含を概略的に描写する。冷却機構は、ユーザの快適さのために、外部または熱い環境においてデバイス吸気を冷却するために使用してもよいし、あるいは、その代わりに、送出される香り、あるいは香り送出に付随するもしくは同期される媒体の種類、特徴、または質のユーザ印象を修正または増強するために、あらゆる外部環境において使用してもよい。
【０１３０】
図７（Ｄ）は、香りのないガスのストリームを用いる香りのするガスストリームの制御された希釈によって香り送出の間に香りの容量（強度）を変えるための図３（Ｈ）におけるように、配合バルブの包含を示す。容量／強度はまた、加圧レベルを変えること、残留磁化バルブ活性化をデューティーサイクル化することによって、または香気原料容器内の原料充填レベルを変更することによって、制御されてもよい。特定のハードウェア構成に応じて、これらの強度制御尺度の全てまたは任意の組み合わせが、採用されてもよい。例えば、図４（Ｂ）〜（Ｄ）または類似のものにおけるように、香りカートリッジが鼻の直下に位置付けられた構成において、強度は、圧力レベル、デューティーサイクル、カートリッジ原料濃度、温度、及びデューティーサイクル化された香りのないガスストリームの包含の一部の組み合わせによって制御される。図５（Ｂ）〜（Ｆ）におけるように単一の複数流れチャネルを通る個々の香りのするガス送出のために、容量制御が、送出チャネルの前に香りのないガスを用いて香りのするガスを制御可能に希釈するように制御された加圧及び配合バルブの一部の組み合わせによって達成され得る。図３（Ａ）〜（Ｆ）におけるように香りのするガスにおいて混合または結合された原料の送出のために、容量制御は、カートリッジ容器内の加圧、デューティーサイクル化された原料活性化、温度、様々な液体／固体原料濃度レベルの組み合わせ、及び制御可能な容量の香りのないガスを用いる香りのするガスの混合の希釈に頼り得る。容量調節は、所望のレベルに従って変動するように手動であり（ユーザによって調節され）得、自動化され得、またはプログラムされ得、あるいは付随する媒体または活動と共に（変動するように）設計され得る。
【０１３１】
図７（Ｅ）は、単一の香りのするガスストリームが、鼻空間の中に方向付けられる２つ（もしくはそれ以上）のチューブ（またはチャネル）に分離される動作、または、２つのチャネルの場合において、香り送出のために鼻孔の基部において直接的に配置され得る動作を概略的に描写する。香り送出の時において及び香り送出の持続期間にわたって、（ｉ）１つ以上のチャネルが、他（複数可）が香りを流す（送出する）間に閉じられてもよいし、または（ｉｉ）チャネルの任意の組み合わせが、指定された組み合わせで、同じまたは指定された可変濃度で、濃度及び／またはタイミングを連続的または階段的のいずれかで、同じまたは異なる香りをプログラム可能に送出してもよい。
【０１３２】
媒体（すなわち、映画、ビデオゲーム、または広告）の提示の間に異なったまたは可変濃度を個人の鼻孔に送出する能力は、香り場所及び提示される媒体空間における深さの３Ｄ知覚を容易にすることができる。例えば、ユーザの立場から左に位置するビデオゲームの物体またはキャラクターの匂いを演出する（マッチさせる）こと、すなわち、左鼻孔にのみ送出することが望まれ得、ユーザからの知覚された距離及び場所にマッチする強度は、匂いが適切に物体から３次元空間におけるユーザの左に生ずるように出現する印象を付与するように較正することができる。
【０１３３】
送出チャネルのそれぞれまたは任意の組み合わせにおいて変動する香りのするガス（及びそれらの濃度）を送出する能力は、デバイスに、鼻空間内での組み合わせ的な香りまたは香り一致の（より限定された）範囲をプログラム可能に混合するための更なる選択肢を与え、特別な効果を提供するか、またはより迅速に一定の香り化合物を作り出す。
【０１３４】
図７（Ｆ）は、（ｉ）顔、首、または（皮膚及び線または皺（及びそれらの変形）のようなその表面特徴、ならびに熱の放射を含む）体の他の露出部位の位相幾何学的特徴、（ｉｉ）頭のポーズ、体の姿勢、または運動、（ｉｉｉ）個人の体の特徴、例えば、手及びそれらの運動または位置等を捕捉及び記録する動作の間にユーザの物理的な状態を観測するための香り送出デバイスへのカメラまたは他のセンサの組み込みによって使用可能なフィードバック機構を示す。ユーザの動画または静止画（複数可）を解釈するデバイスソフトウェアは、ユーザの感情、挙動、意図、または神経系状態、ならびに前述のパターン化された傾向を特定することができ、かつ（ｉｖ）香り送出デバイスの香りカートリッジ内の出来合いの香り容器からの香りの選択、発生、及びユーザへの送出を活性化するようにプログラムされ得るか、または、さもなければ、（ｖ）（原料、分子量などのパラメータ、ならびに濃度などの配合及び放出のための明細のリストを含む）標識付き調合法を選択して、かつ送出デバイスに、放出及び送出のための調合法の化合物を選択的に配合して、ユーザに送出することを命令するようにプログラムされ得る。ソフトウェアは、任意選択的に、ユーザ体験及び知覚を更に増強または修正するために、前述の選択された配合された香り化合物（または、場合に応じて、出来合いの香り）を送出する間に、他の感覚発生機構の動作（例えば、加熱、冷却、または加湿など）をトリガするための命令を送信してもよい。例えば、ビデオゲームをしている間に、ユーザの特徴が、カメラ上で捕捉され得、ユーザが不安を表していることがデバイスのソフトウェアによって解釈され得る。ソフトウェアは、デバイスの冷却特徴を自動的にトリガして、香り送出温度を下げるようにプログラムされてもよく、それによって、ユーザへの鎮静作用を誘発する。実施形態は、顔面特徴及び表現、（感情を解釈するためのならびにユーザからの香りの３Ｄ仮想空間における距離及び場所の解釈用に使用するための頭または体の運動、ならびに呼吸の光学的な／動き捕捉及び検出のために、カメラ／センサ（またはＶＡＲデバイスにおける１つのものへのリンク）を含んでもよい（それらのうちの最後のものは、香り送出を個人の呼吸または呼吸周期に同期するように使用することができる）。
【０１３５】
図７（Ｇ）は、増強、修正、または最適化されたユーザ体験のための香り送出デバイスに組み込まれ得る入力、決定、及び出力の図解的な概要を表す。ユーザフィードバック、仮想もしくはデジタル媒体及び／またはユーザ（複数可）相互作用、インタラクティビティまたは交換、及び設計されたパラメータに従って、香り出力を能動的またはプログラム通りに調節する完全に機能的な、反応的な、統合された香り送出デバイスのためのソフトウェア入力、機能、及び出力の基礎レイアウトが示される。以下の欄は、香り送出相互作用に対する種々のアプローチを扱う。
【０１３６】
図７（Ｈ）は、新たな香りを設計し得るか、あるいは表にされた調合法、化学的パラメータ、ならびに時間を合わされるもしくは実時間の配合または容器選択及びデバイス放出をトリガするための適合ソフトウェアを用いる他のユーザデバイスへの有線または無線命令（伝送）のための関連する規制上の制約（すなわち、送出用の化学物質または化学物質濃度の限られた使用）からのデータベース描画から香りをプログラム通りに選択し得る、消費者、商業上、または他の種類のユーザのための実施形態例を示す。命令は、例えば、（ｉ）香りのデジタル共有または交換、（ｉｉ）任意の種類の香りのする媒体の働きとの（例えば、本、電子メール、映画、ビデオゲーム、音楽等との）同期、（ｉｉｉ）オンラインショッピングのため等の目的のために、１つまたはグループまたはユーザから他のものへと伝送されてもよい。説明、コンテンツ、ユーザ状態、環境、社会的、心理測定学的、及び化学的配合パラメータのプログラム通りの解釈は、任意選択的に、伝送される視聴覚または他の媒体と併せて、プログラム通りのまたは自動化されたデジタル香り生成及び伝送ならびにユーザ間の相互作用を可能にする。
【０１３７】
香りのする仮想、複合、または拡張現実感（「ＶＡＲ」）データ、通信、センサ、及び信号
【０１３８】
香りデバイスは、ＶＡＲデバイスに取り付けられてもよいし、または統合されてもよい。香りデバイスのソフトウェア、ハードウェア、及び／または電子機器は、それ及びそのコンパニオンＶＡＲデバイスと通信するために、またはそれらの間でデータを伝送するために使用可能であってもよく、光照射野アレイ、波形、ＶＡＲカメラ、レーザ、追跡、動き捕捉、音楽及び他のＶＡＲ媒体データまたはユーザデータの香りデバイスの受信ならびに解釈を許可する。香りデバイスソフトウェアは、受信される前述のＶＡＲデータを読み取って解釈するように、かつＶＡＲユーザ活動もしくは体験に応答してまたはそれと同時に起こる香りの選択的な活性化、発生、及び送出をトリガするようにプログラムされ得る。
【０１３９】
ＶＡＲ媒体
【０１４０】
一部の実施形態は、ＶＡＲデバイスに取り付けられてもよいし、または統合されてもよい。香りデバイスのソフトウェア、ハードウェア、及び／または電子機器は、それ及びＶＡＲデバイスにストリーミングされた独立した媒体（例えば、ビデオゲーム、映画、シミュレータ、操作もしくは訓練用ビデオ等）と通信するために、またはそれらの間でデータを伝送するために使用可能であってもよい。香りデバイスソフトウェアは、媒体データを読み取って解釈するように、かつＶＡＲユーザ挙動または他の応答もしくは体験に応答してあるいはそれと同時に起こる香りの選択的な活性化、発生、及び送出をトリガするようにプログラムされ得る。代わりに、香りデバイスソフトウェアは、香り送出の間にユーザに伝送される独立した媒体を変える、重ね合わせる、増強する、またはさもなければ修正する目的のための動作命令または伝送データを用いて、データをＶＡＲデバイスに手動で、自動的に、またはプログラム可能に伝送してもよい。
【０１４１】
外部環境センサ及び伝送
【０１４２】
一部の実施形態は、外部有線または無線センサ及び伝送デバイス、例えば、レーザまたは他の光学機器または無線ビーコンなどから信号及び情報を受信するために使用可能であってもよい。その信号は、時間を合わされる香り発生及び送出のために、香りデバイスソフトウェアを起動及び／または命令することができる。デバイスはまた、適切なソフトウェア及び通信インターフェースを使用して、伝送デバイスまたはセンサにデータを別個にまたは相互的に伝送してもよい。例えば、センサを用いる食料品店内の食料製品は、ユーザの香りデバイスを自動的にまたはプログラム可能に活性化し得、ユーザが棚からその食料製品を選び取る間にその食料の指定された香りを発生して送出する。更なる例として、センサまたは伝送デバイスは、ユーザがディスプレイに近づくときに店舗のディスプレイ画面上に香水のビデオ広告の起動をトリガし得る間に、同時にユーザの香り送出デバイスを活性化して、選択、発生、及び送出するためのデータをそれに伝送して、広告の特定の要素に同期され、香水ブランドの匂いが広告される。この最後の例では、俳優のコロンの匂いが、俳優が画面上に現れる瞬間にユーザへの放出のために活性化され得、彼が場面から去る瞬間にオフに切り換えられ得る。
【０１４３】
発話認識
【０１４４】
聴覚信号がまた、香り活性化を選択的に、自動的に、またはプログラム通りにトリガするために使用されてもよく、その逆もまた同様である。発話認識機構がまた、採用されてもよい。追加的に、香り対応物の放出とのキーワード／フレーズ及び／または（呼吸の音を限定せずに含む）音響動力学のペアリングをプログラム可能に調整するソフトウェアが、実装されてもよい。特に、香り送出は、任意選択的に、鼻から嗅ぐこと／鼻からの吸い込みに応答して、活性化されてもよい。
【０１４５】
ユーザ間の香り伝送
【０１４６】
本文書に開示される香りデバイス及びソフトウェアは、ユーザの一人またはグループが、インターネット、携帯電話、ＶＡＲデバイス、または任意の他の通信もしくはブロードキャストハードウェア、アプリケーション、プログラム、（ウェブサイトなどのメディアインターフェースを含む）インターフェース、及び／またはソフトウェア経由で、（単独で）香りまたは香りのする媒体（例えば、香りのする写真、電子メール、音声メール、ビデオ、音響、音楽、歌、物語、または他の香りのする任意の種類の媒体など）を他のユーザと共有するかまたは伝送することを可能にし得る。例えば、個人のユーザは、Ｆａｃｅｂｏｏｋによって互いにそれらのそれぞれの休日の香りのする写真をポストまたは共有してもよいし、または香りのする電子メール等を互いに送信してもよい。図７（Ｈ）は、香り送出伝送のレイアウトを提供する。
【０１４７】
会社または（商業上、政治上、軍事、機関、もしくは組織的かに関わらず）他の第３者は、種々の目的のために互換性のあるソフトウェアを使用して香りのする媒体を本明細書に開示されるデバイスのユーザに伝送することを望み得る。例えば、旅行代理店は、広告目的のために熱帯リゾートの香りのするパンフレットまたはビデオをユーザにデジタルで伝送することを望み得る。更なる例として、美容インターネットショッピングサイトは、特価提供品を広告しながら、香水の香りのする画像をユーザにデジタルで伝送することを望み得る。別の例は、アルツハイマー患者の医者が、送出デバイスのＡＰＩを使用して、同時に伝送される彼の子供の画像にタグ付けされる香り放出をプログラムして、彼の記憶及びそれらの認識の回復を支援することを含む。
【０１４８】
香り生成
【０１４９】
一部の実施形態はまた、単一ユーザまたは複数のユーザが、共同して、香水、浴室及び他の美容製品に使用される香気、または香りのする旅行ビデオ、香りのする映画、香りのするビデオゲームもしくは他の媒体のために設計される香り、または他の目的のための香りを生成することも可能にし得る。
【０１５０】
ユーザは、専門家であってもよいし、または非専門家であってもよい。例えば、専門的な香水商は、本明細書に開示されるデバイスを使用し得、小売り用の香水、または顧客旅行代理店の香りのするパンフレット用の香りを生成し得る。非専門家のユーザは、個人使用のためにまたは他のユーザとデジタルに共有もしくは交換するために、香水または他の香りを生成し得る。
【０１５１】
香り生成及び伝送のためのプログラムに従う支援
【０１５２】
香り生成、及び香りに関係する共有または他の相互作用を容易にするために、ユーザは、送出デバイスのソフトウェア（例えば、ＡＰＩなど）を使用して、キーワード、例えば、香り原料の名前など、または、香り一致標識、または他の説明、化学的パラメータ等によって、そのデータベースを検索してもよい。香り送出デバイスの情報データベース及びカテゴリは、（ｉ）匂いの標識及び付随説明を有する香気ならびにフレーバー（「香り」）調合法、（ｉｉ）関連付けられた香りの種族、化学構造、または他のユーザもしくはシステムが定義したカテゴリとの調合法の結び付け、（ｉｉｉ）化学原料（及びそれらの構成要素及びパラメータ、例えば、分子量等）、（ｉｖ）原料のそれぞれもしくは組み合わせの濃度の限られた範囲または上限、（ｖ）香り送出もしくは適用のための化学物質の使用のためのＩＦＲＡ／法的／政治ガイドラインまたは制約のデータベースを含み得る。香り生成及び伝送を更に助けるために、香り送出デバイスまたはソフトウェアは、以下を含んでもよい。
【０１５３】
快楽論に関係するユーザ説明及び命令ならびに匂いの精神物理的な説明または匂いに対する反応を解釈し、かつ自動的なまたは時間を合わされる香り発生及び送出のための調合法をプログラム可能に生じさせるための能力。
【０１５４】
ユーザに（生でまたはデジタルに）提示される聴覚、視覚、視聴覚、もしくは他のマルチメディアのコンテンツ及び動力学、または多感覚的コンテンツ（またはデジタルもしくは他のブロードキャストデータ）を受動的に解釈、記録、及び検索し、かつコンテンツと同期もしくは非同期式の香りの自動的なまたは時間を合わされる発生及び送出のための調合法をプログラム可能に生じさせるための能力。
【０１５５】
ユーザの顔面、体、及び姿勢または動きの捕捉、及び息の吸い込み／吐き出しパターンなどのユーザデータを解釈、記憶、及び／または伝送し、かつ自動的なまたは時間を合わされる香りの発生及びユーザへの送出のための調合法をプログラム可能に生じさせるための能力。
【０１５６】
香気コンパウンディング及びユーザへのもしくはユーザ間の送出の自動式なまたは時間を合わされる起動のための外部無線または有線信号及び命令を解釈するための能力。
【０１５７】
ユーザ間の（デジタルまたは生の）社会的な相互作用を解釈し、かつ（規則に基づくまたは定義された目的のための）調合法及びユーザへの香りの時間を合わされる送出を生じさせるようにプログラム可能に選択する能力。
【０１５８】
（ユーザの香気及びフレーバーデータベースを含む）任意のユーザデータを他のユーザの互換性のあるデバイスとデジタルに共有するための能力。
【０１５９】
更に、他のユーザまたは第３者（例えば、会社）が命令をユーザのソフトウェアに送信し、かつ香りの調合法及び時間を合わされる発生及び１人以上のユーザへの送出をプログラム可能に生じさせることを可能にするための能力。
【０１６０】
触覚型の香り活性化
【０１６１】
本明細書に説明される一部のデバイス実施形態は、ＶＡＲまたは他の媒体を使用しながらユーザ間の相互作用の間に触感覚の印象を付与するように動作する触覚技術と併せて使用されてもよい。香りデバイスは、触覚ソフトウェアまたはハードウェア動作によってトリガされてもよいし、または、代わりに、香りデバイスのソフトウェアが、触覚機能または動作または信号を解釈するようにプログラムされ得、香り送出用の香りまたは感覚特徴をプログラム可能に活性化及び選択して、触感または付随的媒体の知覚を修正または増強してもよい。例えば、仮想現実感ビデオゲームの間に、触覚コントローラを用いるプレイヤーは、岩を丘の上に（仮想的に）押すことを試みながら、増大する力のフィードバックを体験し得る。汗の香りが、触覚動作と同期され、ユーザが激しく岩を押せば押すほど、強度を増大してもよい。
【０１６２】
フレーバー／味の活性化
【０１６３】
本明細書に説明される一部のデバイス実施形態は、任意選択的に、他のデバイス感覚特徴、例えば、湿気などの放出と併せて、飲食の間にフレーバー付きガスをユーザに送出するように活性化され、味の知覚を増強、調整、改善、または修正してもよい。例えば、カスタード砂漠を物理的に飲食している間、カスタードの食感の口当たりまたは知覚が、湿気の選択的な放出を用いて増強されてもよい。
【０１６４】
香りデバイスはまた、ユーザが、食品または飲料または他の物体の匂いを体験する間、ＶＡＲ媒体内に没入される間に味の印象を付与することができるフレーバー付きガスまたは霧を送出するように活性化されてもよい。例えば、クッキングショーに仮想的に出席しているＶＡＲ環境におけるユーザの香りデバイスが、仮想的に調理されているベーコンのフレーバーの同期性の香り送出のためにプログラム可能に活性化されてもよい。この実施例では、香り強度が、任意選択的に、ベーコンが調理される際に、ベーコンの増大されたジュージューという音と同期して増大されてもよい。
【０１６５】
呼吸間隔またはパターン認識
【０１６６】
本明細書に説明される一部のデバイス実施形態は、個人の胸部（または、それを覆う衣服）の膨張を測定するか、または装着可能センサから信号を検出して、ユーザの実時間のまたは記録された吸い込み及び吐き出しを判断するためのカメラを組み込んでもよい。適切に互換性のあるソフトウェアを用いる媒体または第三者アプリケーションは、媒体またはアプリケーションの使用の間に息の間隔またはパターンに時間を合わされる香り発生及び送出用に指定された香りをプログラム可能に選択するように使用可能であってもよい。代わりに、デバイスプログラミングは、第三者媒体またはソフトウェアを解釈して、媒体のストリーミングまたは媒体との相互作用の間に香り発生及び送出用の香りをプログラム可能に選択してもよい。例えば、香りのする（戦争）ビデオゲームは、ユーザが肩に担いで発射できるロケットを放ち、近くの敵のタンクを破壊したときに、ユーザへの硫黄の香りの放出及び送出をトリガするようにプログラムされてもよい。
【０１６７】
デバイスソフトウェアはまた、息の吸い込み間隔の間にのみ香り送出のタイマーをかけて、例えば、図７（Ｉ）に描写されるような、香り材料の最も好都合な使用のために吐き出しの間に送出を止めるようにプログラムされてもよい。香りデバイスユーザ（例えば、彼／彼女の音声、体の位置、反応）の能動的監視は、彼らの呼吸波形のプログラム通りの決定／推定を可能にする。（デバイスの幾何学的形状、人間の知覚、及び切り換え時間を考慮する）送出活性化及び知覚の間の予想または実時間間隔を知ることは、香りが、息の吸気（吸い込み）の間にのみ供給されるような出力調節を可能にする。更なる動的調節は、３Ｄ送出、動き調節、及び配合調合法を組み込む。
【０１６８】
例えば、図３（Ａ）〜３（Ｈ）及び図７（Ａ）〜７（Ｉ）に関して記述したように、本明細書に説明される技術を使用すると、デジタル制御可能な香り生成及び送出装置は、容器（例えば、原料３０６を保持する容器）のアレイであって、各容器が、入口と、香り容器と呼ばれるチャンバと、出口と、を有し、入口を通って入力キャリヤガスが流入し、チャンバが、香り原料または原料と呼ばれる特徴的な臭気を作り出す基本またはベース化学物質を含有する材料を保持するためのものであり、出口を通って入力ガス及び香り原料の混合物が流出する、容器のアレイと、電磁信号に基づいて、各容器を通るガス流を制御する流れ調節機構（例えば、バルブ３０６、３０８のうちの１つ以上）と、容器の出口に結合され、かつ送出チャネル出口を有する１つ以上の配合チャンバであって、配合チャンバ（例えば、３１０）が、容器の出口からの個々の出力を均質に共に配合して、所定の香りを発生し、送出チャネル出口を通して所定の香りを流出させることを可能にする、１つ以上の配合チャンバと、容器の入口に結合され、かつ入力キャリヤガス流を発生させる加圧チャンバと、を含む。
【０１６９】
一部の実施形態では、香りのするガス、蒸気、または液体物質を分注するためのデジタル制御可能なデバイスは、それぞれが、香り原料、香り組成、薬剤、または他の香りのするもしくは香りのない物質を含有する、１つ以上の容器を含むカートリッジ構造と、カートリッジを保持するための区分を含む筐体構造と、１つ以上の物質をデバイスから外部環境に分注することを可能にするための開口と、区分及び開口の間に形成された１つ以上の輸送チャネルであって、１つ以上の輸送チャネルのそれぞれが、対応する容器から開口へ及び開口を通って物質を送出するように構成される、１つ以上の輸送チャネルと、対応する輸送チャネル内に配列されたアクチュエータスイッチであって、適用される信号に基づいて開放位置と閉鎖位置の間を移動するように動作可能であり、対応する輸送経路からの香りのする物質の通過を選択的に可能にする、アクチュエータスイッチと、を含む。
【０１７０】
一部の実施形態では、例えば、図１（Ａ）〜１（Ｌ）に関して説明されるように、流体の流れを制御するためのバルブが、流体の通過を可能にする流れチャネルであって、流れチャネルが、第１の部分（例えば、下部部分１２１）及び開口を有する硬いまたは軟らかい封止によって第１の部分とは分離された第２の部分（例えば、上部部分１２３）を有し、第１の部分は、流体が流れチャネルに入るための入口及び流体が第２の部分に入ることを可能にする開口を有する、流れチャネルと、バルブ内のチャネルに位置付けられた磁気的に移動可能なピンであって、ピンは、ピンが磁化されて開口を閉じ、それによって、ガスが流れチャネルの第１の部分から流れチャネルの第２の部分の中に流れることを禁止する閉鎖位置、及びピンが消磁されて開口とは分離され、それによって、ガスが流れチャネルの第１の部分から流れチャネルの第２の部分の中に流れることを許可する開放位置の中にチャネルに沿って移動可能である、ピンと、ピンに対応する領域においてバルブの外部上に位置するソレノイドであって、一方向にソレノイドを通る電流が磁化と、それによって、閉鎖位置及び開放位置の間のピンの位置を制御し、ピンが、十分な圧力下でガスにガイドに沿ってピンを移動させることによって、閉鎖位置から開放位置に更に移動可能であるような、ソレノイドと、を含む。
【０１７１】
一部の実施形態では、例えば、図１（Ａ）〜１（Ｌ）に関して説明されるように、ガス、蒸気、または液体物質の流れを制御するためのデジタル制御可能なバルブ装置が、一端部上に貫通孔を備える高透磁率プレート及び別の端部において１つ以上の貫通孔を備える背面プレートを有する筐体と、筐体の内部内に位置付けられ、かつ一端部及び別の端部の間を行ったり来たり移動することができる残留磁化ピンであって、ピンが磁化され、それが一端部へと移動するときに、ピンが高透磁率プレートに接触し、それによって、貫通孔を閉じて、筐体を通るガスまたは蒸気または液体物質の通過を禁止するような、及びピンが消磁され、それが別の端部に向かって一端部から離れて移動するときに、ピンは、貫通孔、筐体の内部、及び別の端部における１つ以上の貫通孔を通るガスまたは蒸気または液体の通過を可能にするような、残留磁化ピンと、筐体の外部上のソレノイドであって、電流を運んで、一端部と別の端部の間でピンの磁化または消磁及び後続の運動を引き起こすことができる、ソレノイドと、を含む。
【０１７２】
一部の実施形態では、例えば、図２（Ａ）〜２（Ｃ）に関して説明されるように、逆止バルブ装置がそれの中心における開口を取り囲むリング材料を含む平坦リングと、少なくとも１つのヒンジによってリングに取り付けられたフラップ材料でできたフラップと、を含み、フラップは、少なくとも、フラップが開口を通る流体の通過または漏出を止める閉鎖位置と、フラップが、流体が開口を通ってフラップ及び平坦リングの間の間隙を経て逃げることを可能にする開放位置と、においてヒンジの周りに移動可能である。リング材料及びフラップ材料の間の磁気引力は、閉鎖位置においてフラップを移動または保持するように機能し、フラップを押し込む空気流れ力は、開放位置においてフラップを移動させるように機能する。
【０１７３】
一部の実施形態では、例えば、図３（Ｈ）に関して説明されるように、混合または分割バルブ装置が、同じ平面にある各チャネル及び３つのチャネルの合流点において軸方向に対称的なオープン中心チャンバを有する、３つのチャネル筐体であって、軸が３つのチャネルを含む平面に直交するような、３つのチャネル筐体と、中心チャンバ内に位置し、かつ中心チャンバ対称軸の周りに回転可能で、放射状に位置決め可能なブロッキングウェッジと、ブロッキングウェッジに埋め込まれ、かつバルブ外部に隣接して位置付けられた高透磁率嵌合部品と、電磁信号によって磁化または消磁されるバルブの外部に位置付けられたソレノイドにおいて巻かれた磁気的にラッチ可能なピンの円弧状アレイと、を含み、中心チャンバ軸を中心としたブロッキングウェッジの角度位置が、埋め込まれた高透磁率嵌合部品及び磁化された外部のラッチ可能なピンの間の磁気引力によって決定され、かつ第１のチャネルから第２のチャネルへの、第３のチャネルまでの流れを方向付けるのに役立つか、またはブロッキングウェッジの放射状位置によって決定された比例量で第２及び第３のチャネルの間の流れを分割するか、あるいは代わりに、第３のチャネルからの、第２のチャネルから第１のチャネルの中への流れを許可するか、または第２及び第３のチャネルの両方からの流れをブロッキングウェッジの放射状位置によって決定された比例量と組み合わせるのに役立つ。
【０１７４】
例えば、図４（Ａ）〜４（Ｖ）に関して説明される、一部の実施形態では、デジタル制御可能な香り生成及び送出装置が、空気が装置に入る入口ポートと、所定の香りが装置から流出する出口ポートと、加圧機構の配列と、残留磁化バルブと、香り原料を保持する香り容器と、を含み、配列が、入口ポートから出口ポートまで、加圧機構の後の残留磁化バルブの後の香り容器、加圧機構の後の香り容器の後の残留磁化バルブ、香り容器の後の残留磁化バルブの後の加圧機構、残留磁化バルブの後の香り容器の後の加圧機構、残留磁化バルブの後の香り容器の後の第２の組のもしくは残留磁化バルブの後の加圧機構、または加圧機構の後の残留磁化バルブの後の香り容器の後の第２の組のもしくは残留磁化バルブのうちの１つからのカスケードを備え、加圧機構が、空気をその出力の外へ強い、その場合、残留磁化バルブが、電磁制御信号を使用してバルブの選択的な開放によって空気流を制御する。
【０１７５】
例えば、図４（Ａ）〜４（Ｖ）及び図８に関して説明される、一部の実施形態では、デジタル制御された香りを増強されたマルチメディア体験を送出する方法８００が、非嗅覚的な感覚刺激、例えば、音響、視覚、及び／または他の刺激などをユーザに送出すること（８０２）と、香り活性化、香りの配合、放出、及びユーザへの送出を制御する電磁制御信号によって香りデバイスからの香り刺激の同期送出を制御すること（８０４）と、香り刺激をユーザに送出することであって、香り刺激が、非嗅覚刺激に関連し、かつ非嗅覚刺激のユーザ体験を増強する、増大する、修正する、変更するか、またはそれと統合する、送出すること（８０６）と、香り刺激をユーザに送出することであって、香り刺激が、非嗅覚刺激に関連し、ユーザが、非嗅覚刺激と受動的もしくは能動的に、またはインタラクティブに関わる、送出すること（８０８）と、選択的に香り刺激をユーザに送出することであって、ユーザが活動に従事する間に、香り刺激が非嗅覚刺激に関連する、送出すること（８１０）と、を含む。
【０１７６】
例えば、図６（Ａ）〜図６（Ｇ）及び図９に関して説明されるような、一部の実施形態では、香り原料の霧を発生する方法９００が、微粒子形態で香り原料の制御された逃げを可能にする少なくとも１つの多孔性側面を有する貯蔵器内に香り原料を液体形態で保管すること（９０２）と、香り原料を微粒子形態で貯蔵器から少なくとも１つの多孔性側面を通して流れチャンバの中に逃がすこと（９０４）と、流れチャンバを通して空気流を制御して（９０６）、微粒子形態で香り粒子を含む霧の中への香り原料の所望の分離を達成することと、流れチャンバの出口において霧形態を出力すること（９０８）と、を含む。
【０１７７】
例えば、図６（Ａ）〜図６（Ｇ）に関して説明されるような、一部の実施形態では、霧発生装置が、香り原料を液体形態で保管する貯蔵器であって、微粒子形態で香り原料の制御された逃げを可能にする少なくとも１つの多孔性側面を有する貯蔵器と、香り原料が微粒子形態で貯蔵器から少なくとも１つの多孔性側面を通って流れチャンバの中に逃げることを引き起こす機構と、空気が流れることを可能にし、多孔性側面から香り粒子を含む霧の中に逃げた微粒子形態での香り原料の所望の分離を達成するための流れチャンバと、流れチャンバから霧を出力するための出口と、を含む。
【０１７８】
例えば、図７（Ａ）〜７（Ｉ）及び図１０に関して説明されるような、一部の実施形態では、容器からの香り原料の放出を制御する複数の残留磁化バルブを備える香り送出アレイをデジタル制御する方法１０００が、残留磁化バルブを繰り返しオン及びオフすること（１００２）と、香り原料の放出の圧力を変動させること（１００４）と、香りのないガスと混合することによって香り原料の希釈を計測すること（１００６）と、キャリヤガス温度を調整すること（１００８）と、それによって、香り原料の濃度及び比率を配合及び制御すること（１０１０）と、所望の香りが香り送出アレイから送出されることを引き起こすこと（１０１２）と、を含む。
【０１７９】
例えば、図７（Ａ）〜７（Ｉ）及び図１１に関して説明されるような、一部の実施形態では、カスタマイズ可能な嗅覚体験を提供するソフトウェアに実装される方法１１００が、限定なしに含まれる、香りの説明及び標識原料ならびに付随調合、化学パラメータ、消費者もしくは個人のデータ優先、味覚及び知覚、ならびに／または香り原料もしくは組成の使用またはそれのユーザへの送出を支配する規制上の制約、限定、パラメータ、もしくは条件を、検索可能なデータベース内に、記憶すること（１１０２）と、特定の香りが要求される事象を示す入力信号を受信すること（１１０４）と、検索可能なデータベースに少なくとも基づいて、入力信号のための香り生成、発生、及び送出情報を導出すること（１１０６）と、香り容器のアレイ、流れ調節機構、混合チャンバ、及び加圧チャンバを備えるデジタル制御可能な香り送出装置を動作させて（１１０８）、特定の香りを発生及び送出することと、を含む。
【０１８０】
例えば、図１２に例解される、一部の実施形態では、物質を対象部位に送出する方法１２００が、物質を構成する１つ以上の原料を保持する１つ以上の容器であって、各容器が、少なくとも１つの磁気的に制御可能なバルブを備え付けている、１つ以上の容器を提供すること（１２０２）と、制御回路を動作させて、物質の所望の特徴に基づいて、磁気的に制御可能なバルブのうちの少なくとも一部を選択的に作動させて（１２０４）、１つ以上の原料のうちの少なくとも一部を所定の割合で混合させることと、対象部位の近傍に配置された出口を通る物質の結果として生じる均質混合物を送出すること（１２０６）と、を含む。
【０１８１】
例えば、図７（Ｅ）及び図１３に関して説明されるような、一部の実施形態では、デジタル制御された香りを増強されたマルチメディア体験を送出する方法１３００が、アレイ内の香り容器のうちの少なくとも一部から第１のチャネルへの香り原料の放出を制御する電磁制御信号によって香り容器のアレイからの第１の香り刺激の送出を制御すること（１３０２）と、アレイ内の香り容器のうちの少なくとも一部から第２のチャネルへの香り原料の放出を制御する電磁制御信号によって香り容器のアレイからの第２の香り刺激の送出を制御すること（１３０４）と、ユーザの左鼻孔空間の近くに第１の割合で第１の香り刺激及び第２の香り刺激の第１の混合物を送出すること（１３０６）と、ユーザの右鼻孔空間の近くに第２の割合で第１の香り刺激及び第２の香り刺激の第２の混合物を送出すること（１３０８）と、を含み、第１の割合及び第２の割合が、ユーザによる空間的な香り体験を可能にするように選択される。例えば、所望のユーザ体験が、香りがユーザの左端から来ていることである場合、左チャネルの１００％が、右チャネルの０％と混合され得、左鼻孔に送出され得る。香り刺激自体は、複数の異なった匂い原料から成り得るので、このため、複数の場所における複数の芳香性源からの同時嗅覚体験を真似る複雑な感覚体験がまた、ユーザに提供され得る。
【０１８２】
種々の開示される実施形態及び技法は、以下の付記を使用して説明され得る。
【０１８３】
付記Ｐ１．１−この新たな構造として図１Ｂに例解されるような機械的バネの代わりにガス流バネを用いる磁気的にラッチ可能な切り換え構造は、同じ発明者らによるＰＣＴ出願である「ＳＷＩＴＣＨＡＢＬＥ  ＧＡＳ  ＡＮＤ  ＬＩＱＵＩＤ  ＲＥＬＥＡＳＥ  ＡＮＤ  ＤＥＬＩＶＥＲＹ  ＤＥＶＩＣＥＳ，ＳＹＳＴＥＭＳ，ＡＮＤ  ＭＥＴＨＯＤＳ」と題された出願通し番号第ＰＣＴ／ＵＳ１４／０３５０５４号に説明されるデバイスのものよりもコンパクトであり、より単純であり、かつより簡単に制御される。
【０１８４】
付記Ｐ１．２−例えば、図１Ｄ〜１Ｇに例解されるような、ガス流を促進するために非円筒形ピンガイドを用いる磁気的にラッチ可能な切り換え構造。この構造は、コンパクトであり、より単純であり、かつより簡単に制御される。
【０１８５】
付記Ｐ１．３−例えば、図１Ｇに例解されるような、磁気的にラッチ可能な切り換え構造の片持ちバネ分離を使用する方法。この新たな構造は、ロバストであり、配向に依存せず、かつコンパクトである。
【０１８６】
付記Ｐ１．４−例えば、図１Ｈに示されるような、磁気的にラッチ可能な切り換え構造の圧力に基づく分離を使用する磁気的にラッチ可能なスイッチの構造。この構造は、コンパクトであり、配向に依存せず、かつ単純である。
【０１８７】
付記Ｐ１．５−例えば、図１Ｉにおけるような、ガス流のための重力に基づく分離を使用する磁気的にラッチ可能な切り換え構造。この構造は、コンパクトであり、単純であり、かつ一部の固定位置用途に適切している。
【０１８８】
付記Ｐ１．６−例えば、図１Ｈに例解されるような、非円筒形ソレノイド／ピン−ガイドを用いる磁気的にラッチ可能な切り換え構造。この構造は、より効率的であり、コンパクトであり、かつ単純である。
【０１８９】
付記Ｐ１．７−（図１Ｉにおけるような）磁化及び消磁によってバルブ開放／閉鎖を別個に担当する二重ソレノイドを用いる磁気的にラッチ可能な切り換え構造。この構造は、より反応的であり、かつより簡単に制御される。
【０１９０】
付記Ｐ１．８−多数の、高速かつ迅速に切換可能な、エネルギー効率的な、香りのするまたは香りのないガス送出能力を有する装置のための例えば、図に１Ｊ〜１Ｌにおけるような）図１Ａ〜１ＩのデバイスのＸ−ＹまたはＸ−Ｙ−Ｚ行列アレイ。
【０１９１】
付記Ｐ１．９−例えば、図１Ｌに描写されるような、単一または二重平坦螺旋形ソレノイドのいずれかを用いる磁気的にラッチ可能な切り換え構造。この構造は、コンパクトであり、典型的なリソグラフプロセスを用いて製造可能であり、制御可能であり、かつ反応的である。
【０１９２】
付記Ｐ１．１０−例えば、図１Ｌ〜Ｎにおけるように、図１Ａ〜ＫのデバイスのＸ−ＹまたはＸ−Ｙ−Ｚ行列アレイ。この行列アレイは、配合及び送出のための多数の香りのするまたは香りのないガス原料の高速かつ迅速に切換可能な組み合わせのために使用される。
【０１９３】
付記Ｐ２．１−例えば、図２Ａにおけるように、ヒンジを介して取り付けられた磁化されたリング及び磁性フラップを用いる磁気的に閉鎖される逆止バルブ。この逆止バルブは、コンパクトであり、単純であり、かつ受動的ガス流制御適用に適している。
【０１９４】
付記Ｐ２．２−例えば、図２Ｂにおけるように、ヒンジを介して取り付けられた磁化されたリング及び磁性フラップを用いる磁気的に閉鎖される逆止バルブ。この逆止バルブは、コンパクトであり、単純であり、かつ受動的ガス流制御適用に適している。
【０１９５】
付記Ｐ２．３−多数の香り送出能力のために流れを受動的に管理するための（図２Ｃにおけるような）図２Ａ〜２Ｂのデバイスのアレイ。
【０１９６】
付記Ｐ３．１−例えば、図３Ａ〜３Ｆに示されるように、香りのないまたは香りのするガスの多数の調合の時間を合わされる、高速配合、及び高速な順次の送出のための図１Ａ〜ＫのデバイスのＸ−ＹまたはＸ−Ｙ−Ｚ行列アレイ。磁気的にラッチ可能なバルブスイッチの２または３次元アレイは、個々にまたは均質配合として、所望の香りのするまたは香りのない流体の便利かつ高速な選択、発生、及び送出を可能にする。ただ１つのスイッチが、１つの特定の香りのするまたは香りのないガスのために開かれてもよいし、または複数のバルブが、ガスの組み合わせのために同時に活性化されてもよい。スイッチは、互換性のあるソフトウェアを用いて無線または配線による信号によって活性化することができ、それゆえ、特定のデバイスが磁化または消磁され、流体の流れが、開始または停止される。
【０１９７】
付記Ｐ３．２−例えば、図３Ｃ及び３Ｅに示されるように、個々の原料を制御する個々の残留磁化バルブを用いて構成された付記Ｐ３．１におけるようなデバイス。
【０１９８】
付記Ｐ３．３−例えば、図３Ｄに示されるように、原料を含有する容器またはバルブ筐体のいずれかの回転またはＸ−ＹもしくはＸ−Ｙ−Ｚアドレス指定可能な動きによって原料容器と整列され得る残留磁化バルブを用いて構成された付記Ｐ３．１におけるようなデバイス。
【０１９９】
付記Ｐ３．４−例えば、図３Ｄ及び３Ｆに示されるように、ガス流が、鏡映、積み重ね、または入れ子状構成のいずれかにおいて、順次にまたは時間を合わされる様式で、バルブの複数の層及び原料容器を通過する、付記Ｐ３．１、Ｐ３．２、及びＰ３．３におけるようなデバイス。この構成は、調合における多数の原料の小型化及び加速配合を可能にする。
【０２００】
付記Ｐ３．５−例えば、図３Ｈに描写されるような、埋め込まれた高透磁率嵌合部品を伴う、磁気的にラッチ可能なピンの外部円弧及び放射状に位置決め可能な内部ブロッキングウェッジを用いる、ラッチ可能な残留磁化配合または分割バルブ。この設計は、受動的ラッチ位置を用いてエネルギー効率的であり、流れは、十分に閉じ込められ、比率制御を提供する。
【０２０１】
付記Ｐ４．１−例えば、図４に描写される方法及び構成において、送出可能なガスの香りのするストリームを発生させるために、取り換え可能な及び／または補充可能な香りのする溶媒カートリッジ内にアレイ状にされた及び閉じ込められた、香りのする基材または被覆されたもしくは他の保持材料を有する１つ以上の容器を通るガスの流れを選択的に活性化する、付記Ｐ１、Ｐ２、及びＰ３に記載されるような、磁気的にラッチ可能な切り換え構造を含むデバイス。
【０２０２】
付記Ｐ４．２−香り放出が（例えば、図４Ｂ〜４Ｃにおけるような）送出チャネリングを用いずに達成される、鼻空間に直接的に隣接して位置付けられ、かつ鼻空間の中に方向付けられた残留磁化バルブのアレイの中に入る、Ｐ２．１及びＰ２．２におけるような逆止バルブまたは残留磁化バルブによって制御される出口ポートを用いる、置き換え可能なカートリッジを有する香り送出デバイス。この方法は、カートリッジ内の多数（数百）の出来合いの香りの保管を可能にするコンパクト性を許可して、単一香り送出チャネルを使用する内部堆積物の問題を回避し、送出される香りの完全性を提供する。
【０２０３】
付記Ｐ４．３−ＶＲ、ＡＲ、もしくは複合現実感（「ＶＡＲ」）ヘッドギア及びアイウェアとの統合された使用ならびにそれらへの取り付けまたはそれらへの組み込みのために図４Ｂ〜４Ｏに例解されるような、ＶＡＲユーザに提示される媒体コンテンツとの同期した使用のために電子的に活性化され得るもの。これらのデバイスは、（ｉ）ヘッドセットに組み込まれたもしくはヘッドセットに取り付けられた扇またはマイクロポンプ要素及びガスチャネルによって供給される取り外し可能／補充可能な統合された香りカートリッジならびに拡散器を用いて構成することができ、その場合、統合されたカートリッジが、（ｉ）鼻空間の中への直接的な香りのするガスの拡散を可能にするためにＶＲヘッドセットの中間区分、（ｉｉ）ＶＡＲヘッドウェア／アイウェア上に留めるかまたはさもなければそれに取り付ける（扇、チャネル、マイクロコントローラ及び他の電子機器、バッテリ、取り換え可能な香りカートリッジ、ならびに拡散器を含む）統合されたユニットに取り付けられ、（ｉｉｉ）ＶＡＲヘッドウェア／アイウェアの上部または側面区分（複数可）の近くに配置された、あるいは首の周りに、背中に、ベルトの周りに、あるいは腕もしくは肩の上またはその近くに装着された、香りカートリッジを用いて構成され、（ｉｖ）デスクトップまたは一部の他の静止場所上に置かれる。
【０２０４】
付記Ｐ４．４−例えば、図４Ｄ〜４Ｏに例解されるような、ＶＡＲヘッドギアまたはアイウェアに実装される構成要素が、代わりに、頭の上のデバイスを固定するストラップまたは他の材料に独立して装着及び実装される、付記Ｐ４．３におけるデバイス。この付記Ｐ４．４におけるデバイスは、ＶＡＲヘッドギアまたはアイウェアと共にあるいはそれなしで（あるいはそれと独立して）、装着または動作されてもよい。
【０２０５】
付記Ｐ４．５−香り放出及び制御の作動を有線信号もしくは無線信号、磁気信号、光学信号、音響／振動信号、または任意のコードレス遠隔信号によって行うことができる付記Ｐ１、Ｐ２、Ｐ３、及びＰ４におけるようなデバイス。
【０２０６】
付記Ｐ４．６−着脱可能な、取り換え可能な、または補充可能なカートリッジを用いる手持ち式の物理的に分離されるデバイスからの、付記Ｐ１におけるような、磁気的にラッチ可能な切り換え構造を組み込む自己充足式に制御可能な香り送出の方法。この独立した手または指に保持される香り送出デバイスは、（ｉ）ユニット自体上の１つ以上のボタンを押すことによって手動で作動され得、かつボタンの解放を用いて自動的に非作動化され得、または時間を合わされる持続期間及び非作動化にわたってプログラムされ得るか、あるいは（ｉｉ）無線信号、携帯電話信号、磁気信号、光学信号、音響／振動信号、もしくは任意のコードレス遠隔信号またはセンサによって、時間を合わされる、オン−オフ香り送出のために自動的にまたはプログラム可能にあり得る。それはまた、保持者またはデバイスを保持していない別の人間によって作動されてもよい。かかる独立した香り送出デバイスまたはそれらのアレイはまた、遠隔の場所、例えば、卓上または壁上に配置することができ、かつ近くの操作者によって作動されてもよいし、あるいはセンサによってまたは無線もしくは他の遠隔信号方式を使用して遠隔から活性化されてもよい。
【０２０７】
付記Ｐ４．７−３Ｄまたは仮想空間における源及び場所、ならびにＶＡＲ媒体物体、場面、事象、または他のコンテンツの（例えば、匂いの強度を含む）特徴の印象を決定または付与するために互換性のあるソフトウェアを用いてＶＡＲ香り使用可能なデバイスのユーザを支援する目的のために（例えば、図４Ｎ及び７Ｅにおけるように描写されるように）香り組成及び濃度が変動する二重または複数の香りストリームからユーザへの香り送出。
【０２０８】
付記Ｐ４．８−以下のものと共に使用される空間節約的な、統合された、及び多機能的な設計として、（例えば、図４Ｏにおけるような）統合されたマイクロホンを用いる、鼻空間に隣接して位置付けられた及び鼻空間の中に方向付けられたカートリッジまたは拡散器からの香り送出方法。
【０２０９】
付記Ｐ４．８．１−互換性のあるデバイス及びソフトウェアを用いるユーザまたは他のユーザへの即時の、時間を合わされる、または順次の送出のために香りを指定するデバイスソフトウェアユーザの命令または要求と通信する発話認識。
【０２１０】
付記Ｐ．４．８．２−互換性のあるソフトウェアまたは他のマルチメディアデバイスを用いる任意の香りデバイスへの生物学的フィードバックのためのユーザ音響入力（例えば、波形または他の音響データなど）。
【０２１１】
付記Ｐ４．９−例えば、図４Ｕに描写されるような、統合された香りのするガス送出を用いて、及び任意選択的に、他の感覚要素、例えば、湿気などと共に送出される、口に隣接して位置付けられた及び口に方向付けられたカートリッジまたは拡散器からのフレーバー（複数可）／味（複数可）の送出方法。本技法は、その空間節約的な、統合された、及び多機能的な設計、ならびに種々の感覚要素を付与して、味覚の印象に影響を与えるかまたはその印象を変える能力に起因して有利である。
【０２１２】
付記Ｐ５．１−香り輸送のための複数の、ただし個々別々のチューブまたはチャネル、あるいは、異なる時間における種々の異なる香りの送出のために共有され得る、１つのもしくはいくらかの汚染に耐性のあるチューブまたはチャネルのアセンブリ。かかるアセンブリは、例えば、付記Ｐ４におけるようなデバイスに組み込まれ得る。
【０２１３】
付記Ｐ５．２−例えば、図５Ｃにおけるように、あらゆる表面堆積物をきれいにするために、材料に電流を通過させることによって抵抗加熱され得る伝導性膜または伝導性シート層の内部層を利用する複数の流れのチャネリング方法。この構造及び方法は、図４Ｗ、５Ｃまたは５Ｅ〜５Ｇにおけるように、きれいにされた堆積物の排気パージングと併せて、交差汚染なしで複数の流れ組成物のための単一チャネルの使用を許可する。より高い電気抵抗率材料コーティングまたは層が、かかる抵抗加熱に好適である。
【０２１４】
付記Ｐ５．３−交流電流（例えば、図５Ｄにおけるように）で活性化される外部ソレノイドコイルによって誘導加熱され得る伝導性膜または伝導性シート層の内部層を利用する複数の流れのチャネリング方法。この構造及び方法は、図４Ｗ、５Ｃまたは５Ｅ〜５Ｇにおけるようにきれいにされた堆積物の排気パージングと併せて、エネルギー効率的なパージング及び複数の流れ組成物のための単一チャネルの使用を提供する。伝導性金属またはセラミックが、強磁性材料と共に、誘導加熱可能な層として、特に、かかるコーティングまたは挿入された層に好適な高い磁気モーメント及び大きなヒステリシス損失を伴うものを使用することができる。
【０２１５】
付記Ｐ５．４−特にラッチ可能な残留磁化バルブによって制御されるような、（例えば、図５Ｅにおけるような）複数の流れチャネルの内部の化学パージングの方法。
【０２１６】
付記Ｐ５．５−ソレノイドが、（例えば、図５Ｆにおけるように）交流電流によって活性化されるときに物理的に震わされ／震動され得る、放射状に及び線形的に交互に配列された磁気材料を用いて、ソレノイド巻線及び緩い可撓性内部チャネルを支持する剛性または半剛性外部層を利用する複数の流れのチャネリングの方法。
【０２１７】
付記Ｐ６．１−任意選択的に、（例えば、図６Ａにおけるように）交流磁場の存在においてトリガされる活性化のために内部磁気粒子を用いる、被覆された、カプセル化された、または中空の多孔性マイクロ−ナノ粒子による香り蒸発の方法。
【０２１８】
付記Ｐ６．２−（例えば、図６Ｂにおけるように）毛管作用、加圧された送出、または類似のものによって隣接高表面積基材を補給する溶媒貯蔵器を用いる、分割された香り原料容器。
【０２１９】
付記Ｐ６．３−（例えば、図６Ｃにおけるように）溶媒原料の通過を可能にするための多孔性表面を有する分岐された中空マイクロ／ナノチャネルを通る毛管作用、加圧された送出、または類似のものによって隣接高表面積基材を補給する溶媒貯蔵器を用いる分割された香り原料容器。
【０２２０】
付記Ｐ６．４−液体に、横の蒸気流れの中へと（図６Ｂにおけるように）プレートの反対側に疎水性、疎油性、もしくはオムニフォビック表面処理を伴うマイクロスケールまたはナノスケールパターン化されたプレートを通すことを強いることによる霧発生のための技法。この方法は、単純であり、制御可能であり、かつエネルギー効率的である。
【０２２１】
付記Ｐ６．５−隣接する横の蒸気流れを用いて（例えば、図６Ｃにおけるように）液体に部分的または全面的に浸漬された疎水性、疎油性、もしくはオムニフォビック表面処理を伴うマイクロスケールまたはナノスケールメッシュを震動させることによる霧発生のための技法。これは、マイクロ及びナノ液滴の霧状化ならびに送出のための効率的な手法である。
【０２２２】
付記Ｐ６．６−マイクロ泡またはナノ泡を、（例えば、図６Ｄにおけるような）フィラメントガイド付き貯蔵器チャンバの中へとパターン化されたプレートを通過させて、第２のパターン化されたプレートを通して出させることによって、連続的な蒸発を達成する方法。この方法は、蒸発された材料の吸い上げの増大をもたらす。
【０２２３】
付記Ｐ７．１−（例えば、図７Ａにおけるような）香り送出デバイスの出口ポートにおけるまたはその近くへの加湿器の組み込み。この実施形態は、不快さを防止するのに有用であり、使用のより長い持続期間を可能にし、かつユーザ体験に影響を与えるような追加的な感覚を提供する。
【０２２４】
付記Ｐ７．２−以下のための方法に使用される（例えば、図７Ｂにおけるような）ガス流デバイスからの排出前もしくは後の抵抗または誘導加熱による香りのするまたは香りのないガスストリームの調整された加熱。
【０２２５】
付記Ｐ．７．２．１−配合及び流れを含む、最適化された香りのするまたは香りのないガス発生のための周囲の吸気温度の調整。
【０２２６】
付記Ｐ．７．２．２−ユーザへの無汚染ガスの送出。
【０２２７】
付記Ｐ．７．２．３−任意選択的な、標準的または可変ガス温度送出。
【０２２８】
付記Ｐ．７．２．４−デバイスのユーザに熱の追加的な感覚的成分を送出すること。
【０２２９】
付記Ｐ．７．２．５−本明細書に開示される香りデバイスのユーザにブロードキャストまたは提示される媒体のユーザ知覚を修正すること。
【０２３０】
付記Ｐ７．３−以下のための方法に使用される（例えば、図７Ｂにおけるような）排出前または後の熱電冷却によって、香りのするまたは香りのないガスストリームを調整して冷却すること。
【０２３１】
付記Ｐ．７．３．１−配合及び流れを含む、最適化された香りのするガス発生のための周囲の吸気温度の調整。
【０２３２】
付記Ｐ．７．３．２−任意選択的な、本文書のデバイスからの標準的または可変ガス温度送出。
【０２３３】
付記Ｐ．７．３．３−本文書のデバイスのユーザに追加的な感覚的成分を付与する送出。
【０２３４】
付記Ｐ．７．３．４−ＶＡＲデバイスまたはそのアプリケーションを使用するときの本明細書に開示される香りデバイスのユーザの付随するユーザインタラクティビティ、相互作用、活動、または行動。
【０２３５】
付記Ｐ７．４−ユーザへの香り送出のために、知覚された強度において調節可能な、釣り合いのとれた、均質化合物を（指定された調合法に従って）プログラム可能に発生するための、残留磁化バルブの高周波数サイクル、圧力及び／または温度変化、ならびに／あるいは（図７Ｄにおけるような）香りのないガスを用いる計測された希釈による、ガス原料の濃度及び比率の配合ならびに制御。
【０２３６】
付記Ｐ７．５−以下の方法における、本文書の香りデバイスからユーザへの、感覚要素、例えば、湿気または低もしくは高温度、触感、音響、または他の感覚媒体などの送出と任意選択的に同期された、香りフレーバー（複数可）の送出。
【０２３７】
付記Ｐ７．５．１−実際のまたは模擬的な飲食の間に味の知覚に影響を与えること。
【０２３８】
付記Ｐ．７．５．２−食品、飲料、花、またはＶＡＲの間に匂いを発するかまたはその匂いと関連付けられた他の物体もしくは商品、２Ｄコンピュータ、ラップトップもしくはノートブック、携帯電話、またはオンラインもしくはブリック＆モルタルショッピングのための買い物を増強させること、あるいはそれの購入を誘発させること。
【０２３９】
付記Ｐ７．６−（例えば、図７Ｆにおけるような）香りデバイスの香り出力を動的に調節するためのユーザの状態のバイオセンサフィードバックを使用する方法。この機構は、ユーザの感情的、挙動的、もしくは生物物理学的な状態または快適さレベルを変えるために、香り選択及び送出のデバイス自動化またはプログラム通りの調節を可能にするか、あるいは生の活動の間にもしくは生の活動と併せて、または互換性のある香り使用可能なＶＡＲデバイスを使用するときに、増強もしくは修正された体験またはインタラクティビティを可能にする。
【０２４０】
付記Ｐ７．７−香りのするガス放出作動及び送出を制御及び決定し、放出及び送出の周波数ならびに持続期間を規定し、及び香り放出及び送出を終了し、ならびに様々な他の電子または無線デバイスへの前述の通信のための、付記Ｐ４におけるような、デバイスのためにプログラムされたソフトウェア。
【０２４１】
付記Ｐ７．８−本文書に開示されるデバイスにおける、画像、音響、音楽（または他の媒体要素）を用いる、香り選択、配合、及び（配合デバイスにおける）ユーザへの香り送出のタイミング、順序付け、繰返し等の調整を含む、ユーザへの媒体ストリーミングまたは提示の同期のためのソフトウェア。
【０２４２】
付記Ｐ７．９−本文書に開示されるデバイスにおける、画像、音響、音楽（または他の媒体要素）を用いる、香り選択及び（非配合デバイスにおける）ユーザへの香り送出のタイミング、順序付け、繰返し等の調整を含む、ユーザへの媒体ストリーミングまたは提示の同期のためのソフトウェア。
【０２４３】
付記Ｐ７．９−生の環境におけるときに、または例えば、ＶＡＲデバイスなどの媒体デバイスを動作させるもしくは使用するときに、ユーザへの媒体ストリーミングまたは提示の間に、ユーザに特有の行動においても利用され得る付記Ｐ７．８及びＰ７．９におけるようなソフトウェア。
【０２４４】
付記Ｐ７．１０−限定されるものではないが、ユーザの動き／振動、例えば、呼吸または嗅ぐ行動などを検出する追加されたセンサ、鼻に接近する手持ち式デバイスを含む物体の性質を光学的に認識することができるセンサ、または香りのするガスの放出及び送出を自動的またはプログラム可能に活性化するために顧客の顔面の方へ移動する物体またはデバイスを検出する動きセンサの利用を含む、ショッピング活動または広告におけるユーザに特有の行動または相互作用においても利用され得る付記Ｐ７．８及びＰ７．９におけるようなソフトウェア。本ソフトウェアはまた、顧客の習慣（特に、リピート顧客または常連の顧客）を覚えてもよいし、プログラム可能な基準、例えば、顧客の好み及び習慣などに従って送出するための選択された香りをプログラム及び活性化してもよい。本ソフトウェアはまた、ユーザの前述の活動とユーザの呼吸行動の間に香り放出及び送出の活性化、持続期間、及び終了を調整することもできる。
【０２４５】
付記Ｐ７．１１−付記Ｐ４におけるようなデバイスにおいて選択された香り（複数可）は、適切なソフトウェアを用いる任意の通信または媒体デバイスからの、例えば、携帯電話、ＴＶ用リモコン、ラップトップコンピュータ、壁のスイッチ、ＶＡＲデバイス、触覚デバイスなどからの、無線信号（例えば、Ｗｉ−Ｆｉ、磁気信号、光学信号、音響で活性化され信号等）または有線信号によって、プログラム可能に作動することができる。かかる手持ち式香り放出デバイスは、多数の専用及び出来合いの香りを保持することができる。
【０２４６】
付記Ｐ７．１２−香りまたは薬剤送出の同時のまたは時間を合わされる活性化を選択的、自動的、またはプログラム可能にトリガするための電子的にまたは無線マイクロホンで起動される信号の利用、あるいは逆もまた同様。
【０２４７】
付記Ｐ７．１３−キーワード、フレーズ、音声の抑揚、音量、及び他の音響動力学を認識して、データベース内の香りと関連付け、かつ発話もしくは音響と同時のまたは時間を合わされる（任意選択的に、他の感覚特徴、例えば、強度などを用いる）オン−オフ式の香り送出を調整するプログラム可能なソフトウェア。
【０２４８】
付記Ｐ７．１４−任意の有線または無線手段により、互換性のある香りデバイスもしくはソフトウェアのユーザによってまたはそれらのユーザ間で、（限定なしで、調合法を含む）香り生成情報及びデータを伝送または交換するための能力について要求される、香りデバイスソフトウェアまたはインターフェースを使用してユーザによって命令またはプログラムされ得る検索［ＭＭ１］可能な香りデータベース（適合する調合法、化学及び配合パラメータ、規制上の制約、ならびに要件等を伴う香りの説明及び標識）を含む、サーバまたは遠隔サーバまたはサービス（例えば、「クラウド」）への接続を経る（任意選択的に、促進された協働での）付記Ｐ３及びＰ４のデバイスのユーザによる香り生成。
【０２４９】
付記Ｐ７．１５−以下をするための能力を有する付記Ｐ３及びＰ４のデバイスにおける香り生成ソフトウェア。
【０２５０】
付記Ｐ７．１５．１−匂いの快楽論的及び精神物理的な説明または匂いに対する反応に関係するユーザがデジタルに書かいた及び伝送したまたは口頭説明及び命令を解釈して、自動式のまたは時間を合わされる香りコンパウンディングのための調合法及びユーザへの送出をプログラム可能に調節すること。
【０２５１】
付記Ｐ７．１５．２−光照射野アレイ、動画、動き捕捉、波形、または他の聴覚、視覚、もしくは視聴覚のコンテンツ、または他の媒体データもしくはコンテンツを受動的に解釈、記録、及び／または検索して、自動式のまたは時間を合わされる香りコンパウンディングのための調合法及びユーザへの同期式または非同期式の香り送出をプログラム可能に生じさせること。
【０２５２】
付記Ｐ７．１５．３−ユーザの顔面、体、及び姿勢または動きの捕捉、ならびに息の吸い込み／吐き出しパターンまたは実時間の息の吸気のようなユーザデータを捕捉／記録、解釈、及び／または記憶して、自動式のまたは時間を合わされる香りコンパウンディング及びユーザへの香りの送出のための調合法及び付随する感覚的効果（例えば、ガス温度及び強度）をプログラム可能に生じさせること。香り調合法は、それらの化学組成、構成要素の重さ、及び濃度によって、香り原料を特定し得、かつまた、種々の化学物質または原料の混合の割合を特定し得る。香り調合法は、例えば、種々の香り化合物または香り自体をリスト化する香りデータベースのエントリを特定し得る。香りデータベースは、他の用途（例えば、皮膚への用途のための香水）に使用される香りの調合のバランスを再び取るために自動式のまたは規則に基づく調節を含んでもよい。
【０２５３】
付記Ｐ７．１５．４−自動式のまたは時間を合わされる香りコンパウンディングの活性化及び１人以上のユーザへの送出のための外部無線または有線信号及び命令を受信して解釈すること。
【０２５４】
付記Ｐ７．１５．５−ユーザ間の（デジタルまたは生の）相互作用を解釈して、自動式のまたは時間を合わされる香りコンパウンディングならびにそれらへの及びそれらの間の香りの送出のための調合法をプログラム可能に生じさせること。
【０２５５】
付記Ｐ７．１５．６−ＶＡＲコンテンツとのユーザ（複数可）の相互作用を解釈して、自動式のまたは時間を合わされる香りコンパウンディング及びユーザ（複数可）への香りの送出のための調合法をプログラム可能に生じさせること。
【０２５６】
付記Ｐ７．１５．７−ユーザの香気及びフレーバーデータベースへのアクセスを他のユーザの互換性のあるデバイスとデジタルに共有することまたはそれに提供すること。
【０２５７】
付記Ｐ７．１５．８−他のユーザまたは第３者（例えば、会社）が、ユーザのソフトウェアに命令を送信することを可能にして、自動式のまたは時間を合わされる香りコンパウンディング及び１人以上のユーザへの指定された香りの送出のための調合法を自動的またはプログラム可能に生じさせること。
【０２５８】
付記Ｐ７．１５．９−付記Ｐ１５において、代わりに、コンパウンディング及びユーザへの送出のための調合法を自動的またはプログラム可能に生じさせることに代えて、自動的またはプログラム可能な香りのユーザへの送出のために本技術の香りカートリッジにおける出来合いの香りの自動的またはプログラム可能な選択を可能にすること。
【０２５９】
付記Ｐ７．１６−図７Ｉにおけるように、見込まれるもしくは現在検知された吸い込み、息のパターンまたは間隔と適合させるために、香り送出デバイスのユーザの呼吸パターン及び／または予想されるもしくは実時間の呼吸間隔、及び香り放出の後続のタイミングの測定ならびに評価。
【０２６０】
付記Ｐ８．１−標的の特定の器官であろうと、または体内のより一般的な分散のためであろうと、経皮的薬剤送出のための鼻孔、口、または皮膚の特定の領域を通る付記Ｐ１、Ｐ２、Ｐ３、Ｐ４、Ｐ５、Ｐ６、及びＰ７のデバイスを通る液体、霧、粉末、ガスまたは浮遊物薬剤の送出。
【０２６１】
付記Ｐ８．２−鼻腔の方へ向けられるかまたは鼻腔に挿入される分注機構を有する磁気的に作動されるスイッチシステムを使用する効果的な、高速な、制御された医薬品投与のための前鼻腔経路薬剤送出デバイス。
【０２６２】
付記Ｐ８．３−浮遊物を含む蒸気、霧、ガス、または粉末の形態での医薬品の使用を可能にする前鼻腔経路薬剤送出デバイス。
【０２６３】
付記Ｐ８．４−肺疾患、例えば、喘息もしくは気腫などを治療するための、またはアレルギー疾患の治療のための前鼻腔経路薬剤送出デバイスが、前鼻腔経路を通して送出される。
【０２６４】
付記Ｐ８．５−アルツハイマー疾患、パーキンソン疾患、てんかん、精神病用の薬剤、または脳の機能に関連した他の薬剤を含む、脳関連疾患を治療するための前鼻腔経路薬剤送出デバイス。
【０２６５】
付記Ｐ９−付記Ｐ１〜Ｐ８におけるようなデバイスのための他の適用として、オンライン、生、またはＶＡＲの社会的相互作用、遠隔会議、ショッピング、広告、ならびに他の商業上活動、娯楽及び他の体験、活動、またはインタラクティビティ；ソーシャルメディア；香気、フレーバー、または味の調合法の生成；挙動修正；治療；アロマ療法；訓練；命令／教育；シミュレーション；嗅覚表示；オンラインストリーミング及びブロードキャスト；ブリック＆モルタルショッピングならびに浴室及び美容製品、食品、花のサンプリング；前鼻腔経路薬剤送出；（簡単に飲むことができない患者のための）口に配向されたヘッドセットを使用する薬剤の滴状送出を用いる経口薬剤送出；研究または製造のためのオンデマンド式流体合成等が挙げられる。
【０２６６】
本特許文書に説明される主題及び機能的動作の実現形態は、本明細書に開示される構造、及びそれらの構造上の等価物を含む、種々のシステム、デジタル電子回路において、またはコンピュータソフトウェア、ファームウェア、もしくはハードウェアにおいて、またはそれらのうちの１つ以上の組み合わせにおいて、実現することができる。本明細書に説明される主題の実現形態は、１つ以上のコンピュータプログラム製品、すなわち、データ処理装置による実行のために、またはデータ処理装置の動作を制御するために、有形の及び非一時的なコンピュータ可読媒体上に符号化されたコンピュータプログラム命令の１つ以上のモジュールとして、実現することができる。コンピュータ可読媒体は、機械可読記憶デバイス、機械可読記憶基板、メモリデバイス、機械可読伝播信号をもたらす物質の構成物、またはそれらのうちの１つ以上の組み合わせとすることができる。
【０２６７】
（プログラム、ソフトウェア、ソフトウェアアプリケーション、スクリプト、またはコードとしても既知の）コンピュータプログラムは、コンパイル済または解釈される言語を含む、プログラミング言語の任意の形態で書かれ得、それは、単独型のプログラムのような、またはコンピューティング環境における使用に適したモジュール、構成要素、サブルーチン、もしくは他のユニットのようなものを含む、任意の形態で配備され得る。コンピュータプログラムは、ファイルシステム内のファイルに必ずしも対応しない。プログラムは、他のプログラムまたはデータ（例えば、マーク付け言語ドキュメント内に記憶された１つ以上のスクリプト）を保持するファイルの一部内に、問題のプログラムに専用の単一ファイル内に、または複数の調整されたファイル（例えば、１つ以上のモジュール、サブプログラム、もしくはコードの部分を記憶するファイル）内に記憶することができる。コンピュータプログラムは、１つのコンピュータ上で、あるいは１つの場所に位置するまたは複数の場所にわたって分配され、かつ通信ネットワークによって相互に接続される複数のコンピュータ上で実行されるように配備することができる。
【０２６８】
本明細書に説明されるプロセス及び論理フローは、入力データについて動作して出力を発生することによって機能を果たすための１つ以上のコンピュータプログラムを実行する１つ以上のプログラム可能なプロセッサによって行うことができる。プロセス及び論理フローはまた、特殊用途論理回路、例えば、ＦＰＧＡ（フィールドプログラマブルゲートアレイ）またはＡＳＩＣ（特定用途向け集積回路）によって行うことができ、及び装置はまた、その特殊用途論理回路として実現することができる。
【０２６９】
コンピュータプログラムの実行に適したプロセッサは、例として、汎用及び特殊用途マイクロプロセッサの両方、ならびに任意の種類のデジタルコンピュータの任意の１つ以上のプロセッサを含む。一般に、プロセッサは、読み取り専用メモリまたはランダムアクセスメモリまたはその両方から命令及びデータを受信する。コンピュータの必須要素は、命令を行うためのプロセッサ、ならびに命令及びデータを記憶するための１つ以上のメモリデバイスである。一般に、コンピュータはまた、データを記憶するための１つ以上の大容量記憶デバイス、例えば、磁気、磁気光学ディスク、または光学ディスクを含むか、あるいはその大容量記憶デバイスからデータを受信するかまたはその大容量記憶デバイスにデータを転送するかまたはその両方のために動作可能に結合される。しかしながら、コンピュータは、かかるデバイスを有する必要はない。コンピュータプログラム命令及びデータを記憶するのに適したコンピュータ可読媒体は、例として、半導体メモリデバイス、例えば、ＥＰＲＯＭ、ＥＥＰＲＯＭ、及びフラッシュメモリデバイスを含む、不揮発性メモリ、媒体、及びメモリデバイスの全ての形態を含む。プロセッサ及びメモリは、特殊用途論理回路で補われてもよいし、またはそれに組み込まれてもよい。［ＭＭ２］
【０２７０】
この特許文書は、多くの詳細を含むが、これらは、いずれの発明の範囲または特許請求され得るものの限定として解釈されるべきではなく、むしろ、特定の発明の特定の実施形態に特有であり得る特徴の説明として解釈されるべきである。別個の実施形態の文脈において本特許文書内に説明される一定の特徴はまた、単一の実施形態において組み合わせて実現することができる。逆に、単一の実施形態の文脈において説明される種々の特徴もまた、複数の実施形態において別個にまたは任意の適切なサブの組み合わせで実現することができる。その上、特徴は、一定の組み合わせにおいて機能するように上記で説明され得、それどころかそのように最初に特許請求され得るが、特許請求される組み合わせからの１つ以上の特徴は、一部の場合では、組み合わせから削除することができ、特許請求される組み合わせが、サブの組み合わせまたはサブの組み合わせの変形に導かれてもよい。
【０２７１】
同様に、動作は特定の順序で図面に描写されるが、これは、かかる動作が示される特定の順序もしくは順次の順序で行われること、または全ての例解される動作が、所望の結果を達成するように行われることを要求するように理解されるべきではない。その上、本特許文書に説明される実施形態における種々のシステム構成要素の分離は、全ての実施形態においてかかる分離を要求するように理解されるべきではない。
【０２７２】
いくつかの実現形態及び実施例のみが説明されており、他の実現形態、改良、及び変形が、本特許文書に説明及び例解されるものに基づいてなされ得る。
【図１−１】
2018516719.tif 000003
【図１−２】
2018516719.tif 000004
【図１−３】
2018516719.tif 000005
【図１−４】
2018516719.tif 000006
【図１−５】
2018516719.tif 000007
【図１−６】
2018516719.tif 000008
【図１−７】
2018516719.tif 000009
【図１−８】
2018516719.tif 000010
【図１−９】
2018516719.tif 000011
【図１−１０】
2018516719.tif 000012
【図１−１１】
2018516719.tif 000013
【図２Ａ】
2018516719.tif 000014
【図２Ｂ】
2018516719.tif 000015
【図２Ｃ】
2018516719.tif 000016
【図３Ａ】
2018516719.tif 000017
【図３Ｂ】
2018516719.tif 000018
【図３Ｃ】
2018516719.tif 000019
【図３Ｄ】
2018516719.tif 000020
【図３Ｅ】
2018516719.tif 000021
【図３Ｆ】
2018516719.tif 000022
【図３Ｇ】
2018516719.tif 000023
【図３Ｈ】
2018516719.tif 000024
【図４Ａ】
2018516719.tif 000025
【図４Ｂ】
2018516719.tif 000026
【図４Ｃ】
2018516719.tif 000027
【図４Ｄ】
2018516719.tif 000028
【図４Ｅ】
2018516719.tif 000029
【図４Ｆ】
2018516719.tif 000030
【図４Ｇ】
2018516719.tif 000031
【図４Ｈ】
2018516719.tif 000032
【図４Ｉ】
2018516719.tif 000033
【図４Ｊ】
2018516719.tif 000034
【図４Ｋ】
2018516719.tif 000035
【図４Ｌ】
2018516719.tif 000036
【図４Ｍ】
2018516719.tif 000037
【図４Ｎ】
2018516719.tif 000038
【図４Ｏ】
2018516719.tif 000039
【図４Ｐ】
2018516719.tif 000040
【図４Ｑ】
2018516719.tif 000041
【図４Ｒ】
2018516719.tif 000042
【図４Ｓ】
2018516719.tif 000043
【図４Ｔ】
2018516719.tif 000044
【図４Ｕ】
2018516719.tif 000045
【図４Ｖ】
2018516719.tif 000046
【図４Ｗ】
2018516719.tif 000047
【図５Ａ】
2018516719.tif 000048
【図５Ｂ】
2018516719.tif 000049
【図５Ｃ】
2018516719.tif 000050
【図５Ｄ】
2018516719.tif 000051
【図５Ｅ】
2018516719.tif 000052
【図５Ｆ】
2018516719.tif 000053
【図５Ｇ】
2018516719.tif 000054
【図６Ａ】
2018516719.tif 000055
【図６Ｂ】
2018516719.tif 000056
【図６Ｃ】
2018516719.tif 000057
【図６Ｄ】
2018516719.tif 000058
【図６Ｅ】
2018516719.tif 000059
【図６Ｆ】
2018516719.tif 000060
【図６Ｇ】
2018516719.tif 000061
【図７Ａ】
2018516719.tif 000062
【図７Ｂ】
2018516719.tif 000063
【図７Ｃ】
2018516719.tif 000064
【図７Ｄ】
2018516719.tif 000065
【図７Ｅ】
2018516719.tif 000066
【図７Ｆ】
2018516719.tif 000067
【図７Ｇ】
2018516719.tif 000068
【図７Ｈ】
2018516719.tif 000069
【図７Ｉ】
2018516719.tif 000070
【図８】
2018516719.tif 000071
【図９】
2018516719.tif 000072
【図１０】
2018516719.tif 000073
【図１１】
2018516719.tif 000074
【図１２】
2018516719.tif 000075
【図１３】
2018516719.tif 000076
【国際調査報告】
2018516719.tif 000077
2018516719.tif 000078
2018516719.tif 000079
2018516719.tif 000080
2018516719.tif 000081